(57)【要約】本開示の例示的な実施形態は、無線システムの動作を可能にする。本明細書に開示される技術の実施形態は、マルチキャリア通信システムの技術分野で用いられてもよい。より具体的には、本明細書に開示される技術の実施形態は、マルチキャリア通信システムにおける無線アクセス技術に関連してもよい。無線デバイスは、第２のネットワークノードを介して第１のネットワークノードと通信する。無線デバイスは、無線リンク障害レポートを第３のネットワークノードに送信する。無線リンク障害レポートは、第１のネットワークノードと第２のネットワークノードとの間のバックホールリンク障害を示す。【選択図】図３３
2021536706.tif 000002
【特許請求の範囲】
【請求項１】
方法であって、
第２のネットワークノードを介して第１のネットワークノードから無線デバイスによって、前記第２のネットワークノードの第１のセルの構成パラメータを含む少なくとも１つの無線リソース制御メッセージを受信することと、
前記無線デバイスによって前記第２のネットワークノードに、前記第１のセルを介してパケットを送信することと、
前記第１のネットワークノードと前記第２のネットワークノードとの間のバックホールリンク障害に基づいて、前記無線デバイスによって、前記第１のネットワークノードへの接続の障害を判定することと、
前記無線デバイスによって、前記接続の前記障害の前記判定に基づいて、無線リソース制御接続のための第３のネットワークノードの第２のセルを選択することと、
前記無線デバイスによって前記第３のネットワークノードに、前記バックホールリンク障害を示す無線リンク障害レポートを送信することと、を備える、方法。
【請求項２】
さらに、前記第２のネットワークノードから前記無線デバイスによって、前記第１のネットワークノードと前記第２のネットワークノードとの間に確立された第１の無線リンクの障害を示すバックホールリンク障害情報を受信することを備える、請求項１に記載の方法。
【請求項３】
前記無線デバイスが、
媒体アクセス制御制御要素、
ダウンリンク制御情報を含む物理レイヤコマンド、
適応レイヤ表示、または
無線リソース制御メッセージ、のうちの少なくとも１つを介して前記バックホールリンク障害情報を受信する、請求項２に記載の方法。
【請求項４】
前記無線デバイスが、前記バックホールリンク障害情報に基づいて前記接続の前記障害を判定する、請求項２に記載の方法。
【請求項５】
前記バックホールリンク障害情報が、
前記第１のネットワークノードの第１のノード識別子、
前記第２のネットワークノードの第２のノード識別子、
障害タイプであって、
一時的な閉塞、
前記第２のネットワークノードの複数のバックホールリンクの少なくとも１つの障害、または
前記第２のネットワークノードの全てのバックホールリンクの障害、のうちの少なくとも１つを備える障害タイプ、
統合アクセスおよびバックホールノード障害を判定するためのタイマー値、
前記第２のネットワークノードの１つ以上のセルの休止状態への状態遷移を示す表示パラメータ、
前記第２のネットワークノードの１つ以上のセルの解放を示す表示パラメータ、
前記第１の無線リンクの前記障害の原因値、
前記第１の無線リンクの前記障害によって影響を受けるベアラのベアラ識別子、または
前記第１のネットワークノードのセルのセル識別子であって、前記セルが前記第１の無線リンクの前記障害を引き起こす、セル識別子、のうちの少なくとも１つを備える、請求項２に記載の方法。
【請求項６】
さらに、前記無線デバイスによって、前記バックホールリンク障害情報の受信に応答して、前記第２のネットワークノードを介して確立されたベアラを解放することを備える、請求項２に記載の方法。
【請求項７】
さらに、前記無線デバイスによって、前記バックホールリンク障害情報の受信に応答して、前記第２のネットワークノードへのスケジューリング要求の送信を停止することを備える、請求項２に記載の方法。
【請求項８】
前記第１の無線リンクが、１つ以上のネットワークノードを介して接続された１つ以上の無線リンクを含み、前記第１の無線リンクの前記障害が、前記１つ以上の無線リンクの少なくとも１つの障害を示す、請求項２に記載の方法。
【請求項９】
さらに、
前記第２のセルを介して前記無線デバイスによって、１つ以上のランダムアクセスプリアンブルを送信することと、
前記第３のネットワークノードからの前記無線デバイスによって、前記１つ以上のランダムアクセスプリアンブルに対するランダムアクセス応答を受信することと、
前記無線デバイスによって前記ランダムアクセス応答に基づいて、無線リソース制御接続要求メッセージを前記第３のネットワークノードに送信することと、を備える、請求項１に記載の方法。
【請求項１０】
前記接続の前記障害が、
無線リンク障害、または
ハンドオーバー障害、のうちの少なくとも１つを備える、請求項１に記載の方法。
【請求項１１】
前記第１のセルが、前記無線デバイスのプライマリセルである、請求項１に記載の方法。
【請求項１２】
前記第１のセルが前記第２のセルである、請求項１に記載の方法。
【請求項１３】
前記第１のネットワークノードが前記第３のネットワークノードである、請求項１に記載の方法。
【請求項１４】
前記第２のネットワークノードが前記第３のネットワークノードである、請求項１に記載の方法。
【請求項１５】
前記無線リンク障害レポートが、
前記第１のネットワークノードの識別子、
前記第２のネットワークノードの識別子、
前記第２のネットワークノードの基地局識別子、
前記第２のネットワークノードの統合アクセスおよびバックホール識別子、
前記第２のネットワークノードの送信および受信ポイント識別子、
前記第１のセルのセル識別子、
前記第１のセルのビーム識別子、
前記第１のセルの１つ以上のビームのビームグループ識別子、
前記無線デバイスのＦ１無線デバイス識別子、
前記バックホールリンク障害が前記接続の前記障害を引き起こしたことを示す情報要素、
障害タイプであって、
一時的な閉塞、
前記第２のネットワークノードの複数のバックホールリンクの少なくとも１つの障害、または
前記第２のネットワークノードの全てのバックホールリンクの障害、のうちの少なくとも１つを含む障害タイプ、
統合アクセスおよびバックホールノード障害を判定するためのタイマー値、
前記第１の無線リンクの前記障害の原因値、または
前記第１のネットワークノードのセルのセル識別子であって、前記セルが前記第１の無線リンクの前記障害を引き起こす、セル識別子、のうちの少なくとも１つを備える、請求項１に記載の方法。
【請求項１６】
前記第１のネットワークノードが、
基地局、
基地局制御ユニット、または
統合されたアクセスおよびバックホールドナー、のうちの少なくとも１つを備える、請求項１に記載の方法。
【請求項１７】
前記第２のネットワークノードが、
基地局、
基地局分散ユニット、または
統合されたアクセスおよびバックホールノード、のうちの少なくとも１つを備える、請求項１に記載の方法。
【請求項１８】
さらに、
前記第３のネットワークノードから前記第１のネットワークノードによって、前記無線リンク障害レポートの１つ以上の要素を受信することと、
前記第１のネットワークノードによって、前記１つ以上の要素に基づいて無線リソース構成パラメータを構成することと、を備える、請求項１に記載の方法。
【請求項１９】
前記無線リソース構成パラメータが、前記第２のネットワークノードのビーム構成パラメータを含む、請求項１８に記載の方法。
【請求項２０】
前記無線リソース構成パラメータが、統合されたアクセスおよびバックホールノードについてのハンドオーバートリガパラメータを備え、前記ハンドオーバートリガパラメータが、
無線信号受信品質値、または
無線信号受信電力値、のうちの少なくとも１つを備える、請求項１８に記載の方法。
【請求項２１】
さらに、前記第１のネットワークノードによって前記第２のネットワークノードに、前記無線リンク障害レポートの前記１つ以上の要素を送信することを備える、請求項１に記載の方法。
【請求項２２】
方法であって、
無線デバイスによって、第２のネットワークノードを介して第１のネットワークノードと通信することと、
前記無線デバイスによって第３のネットワークノードに、前記第１のネットワークノードと前記第２のネットワークノードとの間のバックホールリンク障害を示す無線リンク障害レポートを送信することと、を備える、方法。
【請求項２３】
無線デバイスにより、第２のネットワークノードを介した前記無線デバイスと第１のネットワークノードとの間の接続障害が、前記第１のネットワークノードと前記第２のネットワークノードとの間のバックホールリンク障害に基づくことを示す無線リンク障害レポートを送信すること、を備える方法。
【請求項２４】
無線デバイスにより、第１のネットワークノードと第２のネットワークノードとの間のバックホールリンク障害を示す無線リンク障害レポートを送信することを備える方法であって、前記第２のネットワークノードを介した前記無線デバイスと前記第１のネットワークノードとの間の接続障害が前記バックホールリンク障害に基づいている、方法。
【請求項２５】
無線デバイスにより、第１のネットワークノードと第２のネットワークノードとの間のバックホールリンク障害を示す無線リンク障害レポートを送信することを備える方法であって、前記無線デバイスが、前記バックホールリンク障害の前に前記第２のネットワークノードを介して前記第１のネットワークノードと通信する、方法。
【請求項２６】
無線デバイスにより、第１のネットワークノードと第２のネットワークノードとの間のバックホールリンク障害を示す無線リンク障害レポートを第３のネットワークノードに送信することを備える方法であって、前記無線デバイスが、前記バックホールリンク障害の前に前記第２のネットワークノードを介して前記第１のネットワークノードと通信する、方法。
【請求項２７】
方法であって、
無線デバイスにより、第１のネットワークノードと第２のネットワークノードとの間のバックホールリンク障害に基づいて、前記第２のネットワークノードを介した前記無線デバイスと前記第１のネットワークノードとの間の接続の障害を判定することと、
前記無線デバイスによって第３のネットワークノードに、前記バックホールリンク障害を示す無線リンク障害レポートを送信することと、を備える、方法。
【請求項２８】
方法であって、
第１のネットワークノードから無線デバイスによって、第２のネットワークノードの第１のセルの構成パラメータを含む少なくとも１つの無線リソース制御メッセージを受信することと、
前記無線デバイスにより、前記構成パラメータに基づいてパケットを前記第２のネットワークノードに送信することと、
前記第２のネットワークノードから前記無線デバイスによって、前記第１のネットワークノードと前記第２のネットワークノードとの間に確立された第１の無線リンクの障害を示すバックホールリンク障害情報を受信することと、
前記無線デバイスにより、前記バックホールリンク障害情報に基づいて、前記第１のネットワークノードからの接続障害を判定することと、
前記無線デバイスにより、前記接続障害に基づいて、無線リソース制御接続のために第３のネットワークノードの第２のセルを選択することと、
前記無線デバイスによって前記第３のネットワークノードに、前記接続障害の原因値を含む無線リンク障害レポートを送信することと、を備え、前記原因値が、前記バックホールリンク障害が前記接続障害を引き起こしたことを示す、方法。
【請求項２９】
方法であって、
無線デバイスから第３のネットワークノードによって、第１のネットワークノードと第２のネットワークノードとの間のバックホールリンク障害を示す無線リンク障害レポートを受信することであって、前記第２のネットワークノードを介した前記無線デバイスと前記第１のネットワークノードとの間の接続の障害が前記バックホールリンク障害に基づいていることと、
前記第３のネットワークノードにより、前記無線リンク障害レポートに基づいて前記第１のアクセスノードを判定することと、
前記第３のネットワークノードによって前記第１のアクセスノードに、前記無線リンク障害レポートの１つ以上の要素を送信することと、を備える、方法。
【請求項３０】
さらに、
前記第２のネットワークノードを介して前記第１のネットワークノードから前記無線デバイスによって、前記第２のネットワークノードの第１のセルの構成パラメータを含む少なくとも１つの無線リソース制御メッセージを受信することと、
前記無線デバイスによって前記第２のネットワークノードに、前記第１のセルを介してパケットを送信することと、を備える、請求項２９に記載の方法。
【請求項３１】
さらに、
前記第１のネットワークノードと前記第２のネットワークノードとの間の前記バックホールリンク障害に基づいて、前記無線デバイスにより、前記第１のネットワークノードへの前記接続の前記障害を判定することと、
前記無線デバイスにより、前記接続の前記障害の前記判定に基づいて、無線リソース制御接続のための前記第３のネットワークノードの第２のセルを選択することと、を備える、請求項２９に記載の方法。
【請求項３２】
さらに、前記第２のネットワークノードから前記無線デバイスによって、前記第１のネットワークノードと前記第２のネットワークノードとの間に確立された第１の無線リンクの障害を示すバックホールリンク障害情報を受信することを備える、請求項２９に記載の方法。
【請求項３３】
前記無線デバイスが、
媒体アクセス制御制御要素、
ダウンリンク制御情報を含む物理レイヤコマンド、
適応レイヤ表示、または
無線リソース制御メッセージ、のうちの少なくとも１つを介して前記バックホールリンク障害情報を受信する、請求項３２に記載の方法。
【請求項３４】
前記無線デバイスが、前記バックホールリンク障害情報に基づいて前記接続の前記障害を判定する、請求項３２に記載の方法。
【請求項３５】
前記バックホールリンク障害情報が、
前記第１のネットワークノードの第１のノード識別子、
前記第２のネットワークノードの第２のノード識別子、
障害タイプであって、
一時的な閉塞、
前記第２のネットワークノードの複数のバックホールリンクの少なくとも１つの障害、または
前記第２のネットワークノードの全てのバックホールリンクの障害、のうちの少なくとも１つを含む障害タイプ、
統合アクセスおよびバックホールノード障害を判定するためのタイマー値、
前記第２のネットワークノードの１つ以上のセルの休止状態への状態遷移を示す表示パラメータ、
前記第２のネットワークノードの１つ以上のセルの解放を示す表示パラメータ、
前記第１の無線リンクの前記障害の原因値、
前記第１の無線リンクの前記障害によって影響を受けるベアラのベアラ識別子、または
前記第１のネットワークノードのセルのセル識別子であって、前記セルが前記第１の無線リンクの障害を引き起こす、セル識別子、のうちの少なくとも１つを備える、請求項３２に記載の方法。
【請求項３６】
さらに、前記無線デバイスにより、前記バックホールリンク障害情報の受信に応答して、前記第２のネットワークノードを介して確立されたベアラを解放することを備える、請求項３２に記載の方法。
【請求項３７】
さらに、前記無線デバイスによって、前記バックホールリンク障害情報の受信に応答して、前記第２のネットワークノードへのスケジューリング要求の送信を停止することを備える、請求項３２に記載の方法。
【請求項３８】
前記第１の無線リンクが、１つ以上のネットワークノードを介して接続された１つ以上の無線リンクを含み、前記第１の無線リンクの前記障害が、前記１つ以上の無線リンクの少なくとも１つの障害を示す、請求項３２に記載の方法。
【請求項３９】
さらに、
前記第２のセルを介して前記無線デバイスから前記第３のアクセスノードによって、１つ以上のランダムアクセスプリアンブルを受信することと、
前記第３のネットワークノードによって前記無線デバイスに、前記１つ以上のランダムアクセスプリアンブルに対するランダムアクセス応答を送信することと、
前記無線デバイスから前記第３のネットワークノードによって、前記ランダムアクセス応答に基づいて、無線リソース制御接続要求メッセージを受信することと、を備える、請求項２９に記載の方法。
【請求項４０】
前記接続の前記障害が、
無線リンク障害、または
ハンドオーバー障害、のうちの少なくとも１つを備える、請求項２９に記載の方法。
【請求項４１】
前記無線デバイスが前記接続の前記障害を判定する第１のセルが、前記無線デバイスのプライマリセルである、請求項２９に記載の方法。
【請求項４２】
前記第１のセルが前記第２のセルである、請求項４１に記載の方法。
【請求項４３】
前記第１のネットワークノードが前記第３のネットワークノードである、請求項２９に記載の方法。
【請求項４４】
前記第２のネットワークノードが前記第３のネットワークノードである、請求項２９に記載の方法。
【請求項４５】
前記無線リンク障害レポートが、
前記第１のネットワークノードの識別子、
前記第２のネットワークノードの識別子、
前記第２のネットワークノードの基地局識別子、
前記第２のネットワークノードの統合アクセスおよびバックホール識別子、
前記第２のネットワークノードの送信および受信ポイント識別子、
前記第１のセルのセル識別子、
前記第１のセルのビーム識別子、
前記第１のセルの１つ以上のビームのビームグループ識別子、
前記無線デバイスのＦ１無線デバイス識別子、
前記バックホールリンク障害が前記接続の前記障害を引き起こしたことを示す情報要素、
障害タイプであって、
一時的な閉塞、
前記第２のネットワークノードの複数のバックホールリンクの少なくとも１つの障害、または
前記第２のネットワークノードの全てのバックホールリンクの障害、のうちの少なくとも１つを含む障害タイプ、
統合アクセスおよびバックホールノード障害を判定するためのタイマー値、
前記第１の無線リンクの前記障害の原因値、または
前記第１のネットワークノードのセルのセル識別子であって、前記セルが前記第１の無線リンクの前記障害を引き起こす、セル識別子、のうちの少なくとも１つを備える、請求項２９に記載の方法。
【請求項４６】
前記第１のネットワークノードが、
基地局、
基地局制御ユニット、または
統合されたアクセスおよびバックホールドナー、のうちの少なくとも１つを備える、請求項２９に記載の方法。
【請求項４７】
前記第２のネットワークノードが、
基地局、
基地局分散ユニット、または
統合されたアクセスおよびバックホールノード、のうちの少なくとも１つを備える、請求項２９に記載の方法。
【請求項４８】
さらに、前記第１のネットワークノードによって、前記無線リンク障害レポートの前記１つ以上の要素に基づいて無線リソース構成パラメータを構成することを備える、請求項２９に記載の方法。
【請求項４９】
前記無線リソース構成パラメータが、前記第２のネットワークノードのビーム構成パラメータを含む、請求項４８に記載の方法。
【請求項５０】
前記無線リソース構成パラメータが、統合されたアクセスおよびバックホールノードについてのハンドオーバートリガパラメータを備え、前記ハンドオーバートリガパラメータが、
無線信号受信品質値、または
無線信号受信電力値、のうちの少なくとも１つを備える、請求項４８に記載の方法。
【請求項５１】
さらに、前記第１のネットワークノードによって前記第２のネットワークノードに、前記無線リンク障害レポートの前記１つ以上の要素を送信することを備える、請求項２９に記載の方法。
【請求項５２】
方法であって、
無線デバイスから第３のネットワークノードによって、第１のネットワークノードと第２のネットワークノードとの間のバックホールリンク障害を示す無線リンク障害レポートを受信することであって、前記第２のネットワークノードを介した前記無線デバイスと前記第１のネットワークノードとの間の接続の障害が前記バックホールリンク障害に基づいていることと、
前記第３のネットワークノードによって前記第１のアクセスノードに、前記無線リンク障害レポートの１つ以上の要素を送信することと、を備える、方法。
【請求項５３】
無線デバイスから第３のアクセスノードによって、第２のネットワークノードを介した前記無線デバイスと第１のネットワークノードとの間の接続障害が、前記第１のネットワークノードと前記第２のネットワークノードとの間のバックホールリンク障害に基づいていることを示す無線リンク障害レポートを受信することを備える、方法。
【請求項５４】
無線デバイスから第３のアクセスノードにより、第１のネットワークノードと第２のネットワークノードとの間のバックホールリンク障害を示す無線リンク障害レポートを受信することを備える方法であって、前記第２のネットワークノードを介した前記無線デバイスと前記第１のネットワークノードとの間の接続障害が前記バックホールリンク障害に基づいている、方法。
【請求項５５】
無線デバイスから第３のアクセスノードにより、第１のネットワークノードと第２のネットワークノードとの間のバックホールリンク障害を示す無線リンク障害レポートを受信することを備える方法であって、前記無線デバイスが、前記バックホールリンク障害の前に前記第２のネットワークノードを介して前記第１のネットワークノードと通信する、方法。
【請求項５６】
方法であって、
無線デバイスから第１のネットワークノードによって、前記第１のネットワークノードと第２のネットワークノードとの間のバックホールリンク障害を示す無線リンク障害レポートを受信することであって、前記第２のネットワークノードを介した前記無線デバイスと前記第１のネットワークノードとの間の接続の障害が前記バックホールリンク障害に基づいていることと、
前記第１のネットワークノードにより、前記無線リンク障害レポートに基づいて無線リソース構成パラメータを構成することと、を備える、方法。
【請求項５７】
さらに、
前記第２のネットワークノードを介して前記第１のネットワークノードによって前記無線デバイスに、前記第２のネットワークノードの第１のセルの構成パラメータを含む少なくとも１つの無線リソース制御メッセージを送信することと、
前記第２のネットワークノードを介して前記無線デバイスから前記第１のネットワークノードによって、前記第１のセルを介してパケットを受信することと、を備える、請求項５６に記載の方法。
【請求項５８】
無線デバイスであって、
１つ以上のプロセッサと、
前記１つ以上のプロセッサによって実行されると、前記無線デバイスに、
第２のネットワークノードを介して第１のネットワークノードから、前記第２のネットワークノードの第１のセルの構成パラメータを含む少なくとも１つの無線リソース制御メッセージを受信させ、
前記第２のネットワークノードに、前記第１のセルを介してパケットを送信させ、
前記第１のネットワークノードと前記第２のネットワークノードとの間のバックホールリンク障害に基づいて、前記第１のネットワークノードへの接続の障害を判定させ、
前記接続の前記障害の前記判定に基づいて、無線リソース制御接続のための第３のネットワークノードの第２のセルを選択させ、
前記第３のネットワークノードに、前記バックホールリンク障害を示す無線リンク障害レポートを送信させる、命令を記憶するメモリと、を備える、無線デバイス。
【請求項５９】
前記命令が、前記１つ以上のプロセッサによって実行されると、さらに、前記無線デバイスに、前記第２のネットワークノードから、前記第１のネットワークノードと前記第２のネットワークノードとの間で確立された第１の無線リンクの障害を示すバックホールリンク障害情報を受信させる、請求項５８に記載の無線デバイス。
【請求項６０】
前記無線デバイスが、
媒体アクセス制御制御要素、
ダウンリンク制御情報を含む物理レイヤコマンド、
適応レイヤ表示、または
無線リソース制御メッセージ、のうちの少なくとも１つを介して前記バックホールリンク障害情報を受信する、請求項５９に記載の無線デバイス。
【請求項６１】
前記無線デバイスが、前記バックホールリンク障害情報に基づいて前記接続の前記障害を判定する、請求項５９に記載の無線デバイス。
【請求項６２】
前記バックホールリンク障害情報が、
前記第１のネットワークノードの第１のノード識別子、
前記第２のネットワークノードの第２のノード識別子、
障害タイプであって、
一時的な閉塞、
前記第２のネットワークノードの複数のバックホールリンクの少なくとも１つの障害、または
前記第２のネットワークノードの全てのバックホールリンクの障害、のうちの少なくとも１つを含む障害タイプ、
統合アクセスおよびバックホールノード障害を判定するためのタイマー値、
前記第２のネットワークノードの１つ以上のセルの休止状態への状態遷移を示す表示パラメータ、
前記第２のネットワークノードの１つ以上のセルの解放を示す表示パラメータ、
前記第１の無線リンクの前記障害の原因値、
前記第１の無線リンクの前記障害によって影響を受けるベアラのベアラ識別子、または
前記第１のネットワークノードのセルのセル識別子であって、前記セルが前記第１の無線リンクの前記障害を引き起こす、セル識別子、のうちの少なくとも１つを備える、請求項５９に記載の無線デバイス。
【請求項６３】
前記命令が、前記１つ以上のプロセッサによって実行されると、さらに、前記無線デバイスに、前記バックホールリンク障害情報を受信することに応答して、前記第２のネットワークノードを介して確立されたベアラを解放させる、請求項５９に記載の無線デバイス。
【請求項６４】
前記命令が、前記１つ以上のプロセッサによって実行されると、さらに、前記バックホールリンク障害情報の受信に応答して、前記第２のネットワークノードへのスケジューリング要求の送信を停止させる、請求項５９に記載の無線デバイス。
【請求項６５】
前記第１の無線リンクが、１つ以上のネットワークノードを介して接続された１つ以上の無線リンクを含み、前記第１の無線リンクの障害が、前記１つ以上の無線リンクの少なくとも１つの障害を示す、請求項５９に記載の無線デバイス。
【請求項６６】
前記命令が、前記１つ以上のプロセッサによって実行されると、さらに、前記無線デバイスに、
前記第２のセルを介して、１つ以上のランダムアクセスプリアンブルを送信させ、
前記第３のネットワークノードから、前記１つ以上のランダムアクセスプリアンブルに対するランダムアクセス応答を受信させ、
前記ランダムアクセス応答に基づいて、前記第３のネットワークノードに無線リソース制御接続要求メッセージを送信させる、請求項５８に記載の無線デバイス。
【請求項６７】
前記接続の前記障害が、
無線リンク障害、または
ハンドオーバー障害、のうちの少なくとも１つを備える、請求項５８に記載の無線デバイス。
【請求項６８】
前記第１のセルが、前記無線デバイスのプライマリセルである、請求項５８に記載の無線デバイス。
【請求項６９】
前記第１のセルが前記第２のセルである、請求項５８に記載の無線デバイス。
【請求項７０】
前記第１のネットワークノードが前記第３のネットワークノードである、請求項５８に記載の無線デバイス。
【請求項７１】
前記第２のネットワークノードが前記第３のネットワークノードである、請求項５８に記載の無線デバイス。
【請求項７２】
前記無線リンク障害レポートが、
前記第１のネットワークノードの識別子、
前記第２のネットワークノードの識別子、
前記第２のネットワークノードの基地局識別子、
前記第２のネットワークノードの統合アクセスおよびバックホール識別子、
前記第２のネットワークノードの送信および受信ポイント識別子、
前記第１のセルのセル識別子、
前記第１のセルのビーム識別子、
前記第１のセルの１つ以上のビームのビームグループ識別子、
前記無線デバイスのＦ１無線デバイス識別子、
前記バックホールリンク障害が前記接続の前記障害を引き起こしたことを示す情報要素、
障害タイプであって、
一時的な閉塞、
前記第２のネットワークノードの複数のバックホールリンクの少なくとも１つの障害、または
前記第２のネットワークノードの全てのバックホールリンクの障害、のうちの少なくとも１つを含む障害タイプ、
統合アクセスおよびバックホールノード障害を判定するためのタイマー値、
前記第１の無線リンクの前記障害の原因値、または
前記第１のネットワークノードのセルのセル識別子であって、前記セルが前記第１の無線リンクの前記障害を引き起こす、セル識別子、のうちの少なくとも１つを備える、請求項５８に記載の無線デバイス。
【請求項７３】
前記第１のネットワークノードが、
基地局、
基地局制御ユニット、または
統合されたアクセスおよびバックホールドナー、のうちの少なくとも１つを備える、請求項５８に記載の無線デバイス。
【請求項７４】
前記第２のネットワークノードが、
基地局、
基地局分散ユニット、または
統合されたアクセスおよびバックホールノード、のうちの少なくとも１つを備える、請求項５８に記載の無線デバイス。
【請求項７５】
前記命令が、前記１つ以上のプロセッサによって実行されると、さらに、
前記第３のネットワークノードから前記第１のネットワークノードによって、前記無線リンク障害レポートの１つ以上の要素を受信させ、
前記第１のネットワークノードによって、前記１つ以上の要素に基づいて無線リソース構成パラメータを構成させる、請求項５８に記載の無線デバイス。
【請求項７６】
前記無線リソース構成パラメータが、前記第２のネットワークノードのビーム構成パラメータを含む、請求項７５に記載の無線デバイス。
【請求項７７】
前記無線リソース構成パラメータが、統合されたアクセスおよびバックホールノードについてのハンドオーバートリガパラメータを備え、前記ハンドオーバートリガパラメータが、
無線信号受信品質値、または
無線信号受信電力値、のうちの少なくとも１つを備える、請求項７５に記載の無線デバイス。
【請求項７８】
前記命令が、前記１つ以上のプロセッサによって実行されると、さらに、前記第１のネットワークノードによって前記第２のネットワークノードに、前記無線リンク障害レポートの前記１つ以上の要素を送信させる、請求項５８に記載の無線デバイス。
【請求項７９】
無線デバイスであって、
１つ以上のプロセッサと、
前記１つ以上のプロセッサによって実行されると、前記無線デバイスに、
第２のネットワークノードを介して第１のネットワークノードと通信させ、
第３のネットワークノードに、前記第１のネットワークノードと前記第２のネットワークノードとの間のバックホールリンク障害を示す無線リンク障害レポートを送信させる、命令を記憶するメモリと、を備える、無線デバイス。
【請求項８０】
無線デバイスであって、
１つ以上のプロセッサと、
前記１つ以上のプロセッサによって実行されると、前記無線デバイスに、第２のネットワークノードを介した前記無線デバイスと第１のネットワークノードとの間の接続障害が前記第１のネットワークノードと前記第２のネットワークノード間のバックホールリンク障害に基づくことを示す無線リンク障害レポートを送信させる命令を記憶するメモリと、を備える、無線デバイス。
【請求項８１】
無線デバイスであって、
１つ以上のプロセッサと、
前記１つ以上のプロセッサによって実行されると、前記無線デバイスに、第１のネットワークノードと第２のネットワークノードとの間のバックホールリンク障害を示す無線リンク障害レポートを送信させる命令を記憶するメモリと、を備え、前記第２のネットワークノードを介した前記無線デバイスと前記第１のネットワークノードとの間の接続障害が前記バックホールリンク障害に基づいている、無線デバイス。
【請求項８２】
無線デバイスであって、
１つ以上のプロセッサと、
前記１つ以上のプロセッサによって実行されると、前記無線デバイスに、第１のネットワークノードと第２のネットワークノードとの間のバックホールリンク障害を示す無線リンク障害レポートを送信させる命令を記憶するメモリと、を備え、前記無線デバイスが、前記バックホールリンク障害の前に、前記第２のネットワークノードを介して前記第１のネットワークノードと通信する、無線デバイス。
【請求項８３】
無線デバイスであって、
１つ以上のプロセッサと、
前記１つ以上のプロセッサによって実行されると、前記無線デバイスに、第１のネットワークノードと第２のネットワークノードとの間のバックホールリンク障害を示す無線リンク障害レポートを第３のネットワークノードに送信させる命令を記憶するメモリと、を備え、前記無線デバイスが、前記バックホールリンク障害の前に、前記第２のネットワークノードを介して前記第１のネットワークノードと通信する、無線デバイス。
【請求項８４】
無線デバイスであって、
１つ以上のプロセッサと、
前記１つ以上のプロセッサによって実行されると、前記無線デバイスに、
第１のネットワークノードと第２のネットワークノードとの間のバックホールリンク障害に基づいて、前記第２のネットワークノードを介した前記無線デバイスと前記第１のネットワークノードとの間の接続の障害を判定させ、
第３のネットワークノードに、前記バックホールリンク障害を示す無線リンク障害レポートを送信させる、命令を記憶するメモリと、を備える、無線デバイス。
【請求項８５】
無線デバイスであって、
１つ以上のプロセッサと、
前記１つ以上のプロセッサによって実行されると、前記無線デバイスに、
第１のネットワークノードから、第２のネットワークノードの第１のセルの構成パラメータを含む少なくとも１つの無線リソース制御メッセージを受信させ、
前記構成パラメータに基づいてパケットを前記第２のネットワークノードに送信させ、
前記第２のネットワークノードから、前記第１のネットワークノードと前記第２のネットワークノードとの間に確立された第１の無線リンクの障害を示すバックホールリンク障害情報を受信させ、
前記バックホールリンク障害情報に基づいて、前記第１のネットワークノードからの接続障害を判定させ、
前記接続障害に基づいて、無線リソース制御接続のために第３のネットワークノードの第２のセルを選択させ、
前記第３のネットワークノードに、前記接続障害の原因値を含む無線リンク障害レポートを送信させる、命令を記憶するメモリと、を備え、前記原因値が、前記バックホールリンク障害が前記接続障害を引き起こしたことを示す、無線デバイス。
【請求項８６】
第３のネットワークノードであって、
１つ以上のプロセッサと、
前記１つ以上のプロセッサによって実行されると、前記第３のネットワークノードに、
無線デバイスから、第１のネットワークノードと第２のネットワークノードとの間のバックホールリンク障害を示す無線リンク障害レポートを受信させ、前記第２のネットワークノードを介した前記無線デバイスと前記第１のネットワークノードとの間の接続の障害が前記バックホールリンク障害に基づいており、
前記無線リンク障害レポートに基づいて第１のアクセスノードを判定させ、
前記第１のアクセスノードに、前記無線リンク障害レポートの１つ以上の要素を送信させる、命令を記憶するメモリと、を備える、第３のネットワークノード。
【請求項８７】
前記命令が、前記１つ以上のプロセッサによって実行されると、さらに、
前記第２のネットワークノードを介して前記第１のネットワークノードから前記無線デバイスによって、前記第２のネットワークノードの第１のセルの構成パラメータを含む少なくとも１つの無線リソース制御メッセージを受信させ、
前記無線デバイスによって前記第２のネットワークノードに、前記第１のセルを介してパケットを送信させる、請求項８６に記載の第３のネットワークノード。
【請求項８８】
前記命令が、前記１つ以上のプロセッサによって実行されると、さらに、
前記第１のネットワークノードと前記第２のネットワークノードとの間の前記バックホールリンク障害に基づいて、前記無線デバイスにより、前記第１のネットワークノードへの前記接続の前記障害を判定させ、
前記無線デバイスにより、前記接続の前記障害の前記判定に基づいて、無線リソース制御接続のための前記第３のネットワークノードの第２のセルを選択させる、請求項８６に記載の第３のネットワークノード。
【請求項８９】
前記命令が、前記１つ以上のプロセッサによって実行されると、さらに、前記第２のネットワークノードから前記無線デバイスによって、前記第１のネットワークノードと前記第２のネットワークノードとの間に確立された第１の無線リンクの障害を示すバックホールリンク障害情報をさらに受信させる、請求項８６に記載の第３のネットワークノード。
【請求項９０】
前記無線デバイスが、
媒体アクセス制御制御要素、
ダウンリンク制御情報を含む物理レイヤコマンド、
適応レイヤ表示、または
無線リソース制御メッセージ、のうちの少なくとも１つを介して前記バックホールリンク障害情報を受信する、請求項８９に記載の第３のネットワークノード。
【請求項９１】
前記無線デバイスが、前記バックホールリンク障害情報に基づいて前記接続の前記障害を判定する、請求項８９に記載の第３のネットワークノード。
【請求項９２】
前記バックホールリンク障害情報が、
前記第１のネットワークノードの第１のノード識別子、
前記第２のネットワークノードの第２のノード識別子、
障害タイプであって、
一時的な閉塞、
前記第２のネットワークノードの複数のバックホールリンクの少なくとも１つの障害、または
前記第２のネットワークノードの全てのバックホールリンクの障害、のうちの少なくとも１つを含む障害タイプ、
統合アクセスおよびバックホールノード障害を判定するためのタイマー値、
前記第２のネットワークノードの１つ以上のセルの休止状態への状態遷移を示す表示パラメータ、
前記第２のネットワークノードの１つ以上のセルの解放を示す表示パラメータ、
前記第１の無線リンクの前記障害の原因値、
前記第１の無線リンクの前記障害によって影響を受けるベアラのベアラ識別子、または
前記第１のネットワークノードのセルのセル識別子であって、前記セルが前記第１の無線リンクの前記障害を引き起こす、セル識別子、のうちの少なくとも１つを備える、請求項８９に記載の第３のネットワークノード。
【請求項９３】
前記命令が、前記１つ以上のプロセッサによって実行されると、さらに、前記無線デバイスによって、前記バックホールリンク障害情報の受信に応答して、前記第２のネットワークノードを介して確立されたベアラを解放させる、請求項８９に記載の第３のネットワークノード。
【請求項９４】
前記命令が、前記１つ以上のプロセッサによって実行されると、さらに、前記無線デバイスによって、前記バックホールリンク障害情報の受信に応答して、前記第２のネットワークノードへのスケジューリング要求の送信を停止させる、請求項８９に記載の第３のネットワークノード。
【請求項９５】
前記第１の無線リンクが、１つ以上のネットワークノードを介して接続された１つ以上の無線リンクを含み、前記第１の無線リンクの前記障害が、前記１つ以上の無線リンクの少なくとも１つの障害を示す、請求項８９に記載の第３のネットワークノード。
【請求項９６】
前記命令が、前記１つ以上のプロセッサによって実行されると、さらに、前記第３のネットワークノードに、
前記第２のセルを介して前記無線デバイスから、１つ以上のランダムアクセスプリアンブルを受信させ、
前記無線デバイスに、前記１つ以上のランダムアクセスプリアンブルに対するランダムアクセス応答を送信させ、
前記無線デバイスから、前記ランダムアクセス応答に基づいて、無線リソース制御接続要求メッセージを受信させる、請求項８６に記載の第３のネットワークノード。
【請求項９７】
前記接続の障害が、
無線リンク障害、または
ハンドオーバー障害、のうちの少なくとも１つを備える、請求項８６に記載の第３のネットワークノード。
【請求項９８】
前記無線デバイスが前記接続の前記障害を判定する第１のセルが、前記無線デバイスのプライマリセルである、請求項８６に記載の第３のネットワークノード。
【請求項９９】
前記第１のセルが前記第２のセルである、請求項９８に記載の第３のネットワークノード。
【請求項１００】
前記第１のネットワークノードが前記第３のネットワークノードである、請求項８６に記載の第３のネットワークノード。
【請求項１０１】
前記第２のネットワークノードが前記第３のネットワークノードである、請求項８６に記載の第３のネットワークノード。
【請求項１０２】
前記無線リンク障害レポートが、
前記第１のネットワークノードの識別子、
前記第２のネットワークノードの識別子、
前記第２のネットワークノードの基地局識別子、
前記第２のネットワークノードの統合アクセスおよびバックホール識別子、
前記第２のネットワークノードの送信および受信ポイント識別子、
前記第１のセルのセル識別子、
前記第１のセルのビーム識別子、
前記第１のセルの１つ以上のビームのビームグループ識別子、
前記無線デバイスのＦ１無線デバイス識別子、
前記バックホールリンク障害が前記接続の前記障害を引き起こしたことを示す情報要素、
障害タイプであって、
一時的な閉塞、
前記第２のネットワークノードの複数のバックホールリンクの少なくとも１つの障害、または
前記第２のネットワークノードの全てのバックホールリンクの障害、のうちの少なくとも１つを含む障害タイプ、
統合アクセスおよびバックホールノード障害を判定するためのタイマー値、
前記第１の無線リンクの前記障害の原因値、または
前記第１のネットワークノードのセルのセル識別子であって、前記セルが前記第１の無線リンクの前記障害を引き起こす、セル識別子、のうちの少なくとも１つを備える、請求項８６に記載の第３のネットワークノード。
【請求項１０３】
前記第１のネットワークノードが、
基地局、
基地局制御ユニット、または
統合されたアクセスおよびバックホールドナー、のうちの少なくとも１つを備える、請求項８６に記載の第３のネットワークノード。
【請求項１０４】
前記第２のネットワークノードが、
基地局、
基地局分散ユニット、または
統合されたアクセスおよびバックホールノード、のうちの少なくとも１つを備える、請求項８６に記載の第３のネットワークノード。
【請求項１０５】
前記命令が、前記１つ以上のプロセッサによって実行されると、さらに、前記第１のネットワークノードによって、前記無線リンク障害レポートの前記１つ以上の要素に基づいて無線リソース構成パラメータを構成させる、請求項８６に記載の第３のネットワークノード。
【請求項１０６】
前記無線リソース構成パラメータが、前記第２のネットワークノードのビーム構成パラメータを含む、請求項１０５に記載の第３のネットワークノード。
【請求項１０７】
前記無線リソース構成パラメータが、統合されたアクセスおよびバックホールノードについてのハンドオーバートリガパラメータを備え、前記ハンドオーバートリガパラメータが、
無線信号受信品質値、または
無線信号受信電力値、のうちの少なくとも１つを備える、請求項１０５に記載の第３のネットワークノード。
【請求項１０８】
前記命令が、前記１つ以上のプロセッサによって実行されると、さらに、前記第１のネットワークノードによって前記第２のネットワークノードに、前記無線リンク障害レポートの前記１つ以上の要素を送信させる、請求項８６に記載の第３のネットワークノード。
【請求項１０９】
第３のネットワークノードであって、
１つ以上のプロセッサと、
前記１つ以上のプロセッサによって実行されると、前記第３のネットワークノードに、
無線デバイスから、第１のネットワークノードと第２のネットワークノードとの間のバックホールリンク障害を示す無線リンク障害レポートを受信させ、前記第２のネットワークノードを介した前記無線デバイスと前記第１のネットワークノードとの間の接続の障害が前記バックホールリンク障害に基づいており、
前記第１のアクセスノードに、前記無線リンク障害レポートの１つ以上の要素を送信させる、命令を記憶するメモリと、を備える、第３のネットワークノード。
【請求項１１０】
第３のネットワークノードであって、
１つ以上のプロセッサと、
前記１つ以上のプロセッサによって実行されると、前記第３のネットワークノードに、無線デバイスから、第２のネットワークノードを介した前記無線デバイスと第１のネットワークノードとの間の接続障害が前記第１のネットワークノードと前記第２のネットワークノード間のバックホールリンク障害に基づくことを示す無線リンク障害レポートを受信させる命令を記憶するメモリと、を備える、第３のネットワークノード。
【請求項１１１】
第３のネットワークノードであって、
１つ以上のプロセッサと、
前記１つ以上のプロセッサによって実行されると、前記第３のネットワークノードに、無線デバイスから、第１のネットワークノードと第２のネットワークノードとの間のバックホールリンク障害を示す無線リンク障害レポートを受信させる命令を記憶するメモリと、を備え、前記第２のネットワークノードを介した前記無線デバイスと前記第１のネットワークノードとの間の接続障害が前記バックホールリンク障害に基づいている、第３のネットワークノード。
【請求項１１２】
第３のネットワークノードであって、
１つ以上のプロセッサと、
前記１つ以上のプロセッサによって実行されると、前記第３のネットワークノードに、無線デバイスから、第１のネットワークノードと第２のネットワークノードとの間のバックホールリンク障害を示す無線リンク障害レポートを受信させる命令を記憶するメモリと、を備え、前記無線デバイスが、前記バックホールリンク障害の前に、前記第２のネットワークノードを介して前記第１のネットワークノードと通信する、第３のネットワークノード。
【請求項１１３】
第１のネットワークノードであって、
１つ以上のプロセッサと、
前記１つ以上のプロセッサによって実行されると、前記第１のネットワークノードに、
無線デバイスから、前記第１のネットワークノードと第２のネットワークノードとの間のバックホールリンク障害を示す無線リンク障害レポートを受信させ、前記第２のネットワークノードを介した前記無線デバイスと前記第１のネットワークノードとの間の接続の障害が前記バックホールリンク障害に基づいており、
前記無線リンク障害レポートに基づいて無線リソース構成パラメータを構成させる、命令を記憶するメモリと、を備える、第１のネットワークノード。
【請求項１１４】
前記命令が、前記１つ以上のプロセッサによって実行されると、さらに、前記第１のネットワークノードに、
前記第２のネットワークノードを介して前記無線デバイスに、前記第２のネットワークノードの第１のセルの構成パラメータを含む少なくとも１つの無線リソース制御メッセージを送信させ、
前記第２のネットワークノードを介して前記無線デバイスから、前記第１のセルを介してパケットを受信させる、請求項１１３に記載の第１のネットワークノード。
【発明の詳細な説明】
【背景技術】
【０００１】
（関連出願の相互参照）
本出願は、２０１８年９月８日に出願された米国仮出願第６２／７２８，７８２号の利益を主張し、その全体が参照により本明細書に組み込まれる。
【発明の概要】
【課題を解決するための手段】
【０００２】
本開示の例示的な実施形態は、無線システムの動作を可能にする。本明細書に開示される技術の実施形態は、マルチキャリア通信システムの技術分野で用いられてもよい。より具体的には、本明細書に開示される技術の実施形態は、マルチキャリア通信システムにおける無線アクセス技術に関連してもよい。
【０００３】
以下の頭字語は、本開示全体を通して使用される：
３ＧＰＰ  第３世代パートナーシッププロジェクト
５ＧＣ  ５Ｇコアネットワーク
ＡＣＫ  肯定応答
ＡＭＦ  アクセスおよびモビリティ管理機能
ＡＲＱ  自動反復要求
ＡＳ  アクセス層
ＡＳＩＣ  特定用途向け集積回路
ＢＡ  帯域幅適応
ＢＣＣＨ  ブロードキャスト制御チャネル
ＢＣＨ  ブロードキャストチャネル
ＢＰＳＫ  二相位相変調
ＢＷＰ  帯域幅部分
ＣＡ  キャリアアグリゲーション
ＣＣ  コンポーネントキャリア
ＣＣＣＨ  共通制御チャネル
ＣＤＭＡ  符号分割多重アクセス
ＣＮ  コアネットワーク
ＣＰ  サイクリックプレフィックス
ＣＰ−ＯＦＤＭ  サイクリックプレフィックス直交周波数分割多重
Ｃ−ＲＮＴＩ  セル無線ネットワーク一時識別子
ＣＳ  構成されたスケジューリング
ＣＳＩ  チャネル状態情報
ＣＳＩ−ＲＳ  チャネル状態情報−基準信号
ＣＱＩ  チャネル品質インジケータ
ＣＳＳ  共通検索空間
ＣＵ  中央ユニット
ＤＣ  デュアルコネクティビティ
ＤＣＣＨ  専用制御チャネル
ＤＣＩ  ダウンリンク制御情報
ＤＬ  ダウンリンク
ＤＬ−ＳＣＨ  ダウンリンク共有チャネル
ＤＭ−ＲＳ  復調基準信号
ＤＲＢ  データ無線ベアラ
ＤＲＸ  間欠受信
ＤＴＣＨ  専用トラフィックチャネル
ＤＵ  分散ユニット
ＥＰＣ  進化型パケットコア
Ｅ−ＵＴＲＡ  進化型ＵＭＴＳ地上無線アクセス
Ｅ−ＵＴＲＡＮ  進化型ユニバーサル地上無線アクセスネットワーク
ＦＤＤ  周波数分割デュプレックス
ＦＰＧＡ  フィールドプログラマブルゲートアレイ
Ｆ１−Ｃ  Ｆ１−制御プレーン
Ｆ１−Ｕ  Ｆ１−ユーザプレーン
ｇＮＢ  次世代ノードＢ
ＨＡＲＱ  ハイブリッド自動反復要求
ＨＤＬ  ハードウェア記述言語
ＩＡＢ  統合アクセスおよびバックホール
ＩＥ  情報要素
ＩＰ  インターネットプロトコル
ＬＣＩＤ  論理チャネル識別子
ＬＴＥ  ロングタームエボリューション
ＭＡＣ  媒体アクセス制御
ＭＣＧ  マスタセルグループ
ＭＣＳ  変調およびコーディング方式
ＭｅＮＢ  マスタ進化型ノードＢ
ＭＩＢ  マスタ情報ブロック
ＭＭＥ  モビリティ管理エンティティ
ＭＮ  マスタノード
ＮＡＣＫ  否定応答
ＮＡＳ  非アクセス層
ＮＧ  ＣＰ  次世代制御プレーン
ＮＧＣ  次世代コア
ＮＧ−Ｃ  ＮＧ−制御プレーン
ｎｇ−ｅＮＢ  次世代進化型ノードＢ
ＮＧ−Ｕ  ＮＧ−ユーザプレーン
ＮＲ  新無線
ＮＲ  ＭＡＣ  新無線ＭＡＣ
ＮＲ  ＰＤＣＰ  新無線ＰＤＣＰ
ＮＲ  ＰＨＹ  新無線物理
ＮＲ  ＲＬＣ  新無線ＲＬＣ
ＮＲ  ＲＲＣ  新無線ＲＲＣ
ＮＳＳＡＩ  ネットワークスライス選択支援情報
Ｏ＆Ｍ  運用および保守
ＯＦＤＭ  直交周波数分割多重
ＰＢＣＨ  物理ブロードキャストチャネル
ＰＣＣ  プライマリコンポーネントキャリア
ＰＣＣＨ  物理制御チャネル
ＰＣｅｌｌ  プライマリセル
ＰＣＨ  ページングチャネル
ＰＤＣＣＨ  物理ダウンリンク制御チャネル
ＰＤＣＰ  パケットデータ収束プロトコル
ＰＤＳＣＨ  物理ダウンリンク共有チャネル
ＰＤＵ  プロトコルデータユニット
ＰＨＩＣＨ  物理ＨＡＲＱインジケータチャネル
ＰＨＹ  物理
ＰＬＭＮ  公衆陸上モバイルネットワーク
ＰＭＩ  プリコーディング行列インジケータ
ＰＲＡＣＨ  物理ランダムアクセスチャネル
ＰＲＢ  物理リソースブロック
ＰＳＣｅｌｌ  プライマリセカンダリセル
ＰＳＳ  プライマリ同期信号
ｐＴＡＧ  プライマリタイミングアドバンスグループ
ＰＴ−ＲＳ  位相トラッキング基準信号
ＰＵＣＣＨ  物理アップリンク制御チャネル
ＰＵＳＣＨ  物理アップリンク共有チャネル
ＱＡＭ  直交振幅変調
ＱＦＩ  サービス品質インジケータ
ＱｏＳ  サービス品質
ＱＰＳＫ  四相位相変調
ＲＡ  ランダムアクセス
ＲＡＣＨ  ランダムアクセスチャネル
ＲＡＮ  無線アクセスネットワーク
ＲＡＴ  無線アクセス技術
ＲＡ−ＲＮＴＩ  ランダムアクセス無線ネットワーク一時識別子
ＲＢ  リソースブロック
ＲＢＧ  リソースブロックグループ
ＲＩ  ランクインジケータ
ＲＬＣ  無線リンク制御
ＲＲＣ  無線リソース制御
ＲＳ  基準信号
ＲＳＲＰ  基準信号受信電力
ＳＣＣ  二次コンポーネントキャリア
ＳＣｅｌｌ  セカンダリセル
ＳＣＧ  セカンダリセルグループ
ＳＣ−ＦＤＭＡ  単一キャリア時分割多重アクセス
ＳＤＡＰ  サービスデータ適応プロトコル
ＳＤＵ  サービスデータユニット
ＳｅＮＢ  二次進化型ノードＢ
ＳＦＮ  システムフレーム数
Ｓ−ＧＷ  サービングゲートウェイ
ＳＩ  システム情報
ＳＩＢ  システム情報ブロック
ＳＭＦ  セッション管理機能
ＳＮ  二次ノード
ＳｐＣｅｌｌ  特殊セル
ＳＲＢ  シグナリング無線ベアラ
ＳＲＳ  サウンディング基準信号
ＳＳ  同期信号
ＳＳＳ  二次同期信号
ｓＴＡＧ  二次タイミングアドバンスグループ
ＴＡ  タイミングアドバンス
ＴＡＧ  タイミングアドバンスグループ
ＴＡＩ  トラッキングエリア識別子
ＴＡＴ  タイムアライメントタイマー
ＴＢ  トランスポートブロック
ＴＣ−ＲＮＴＩ  一時セル無線ネットワーク一時識別子
ＴＤＤ  時分割デュプレックス
ＴＤＭＡ  時分割多重アクセス
ＴＴＩ  伝送時間間隔
ＵＣＩ  アップリンク制御情報
ＵＥ  ユーザ機器
ＵＬ  アップリンク
ＵＬ−ＳＣＨ  アップリンク共有チャネル
ＵＰＦ  ユーザプレーン機能
ＵＰＧＷ  ユーザプレーンゲートウェイ
ＶＨＤＬ  ＶＨＳＩＣハードウェア記述言語
Ｘｎ−Ｃ  Ｘｎ−制御プレーン
Ｘｎ−Ｕ  Ｘｎ−ユーザプレーン
【０００４】
本開示の例示的な実施形態は、様々な物理レイヤ変調および伝送メカニズムを使用して実施され得る。例示的な伝送メカニズムとしては、以下に限定されないが、符号分割多元接続（ＣＤＭＡ）、直交周波数分割多元接続（ＯＦＤＭＡ）、時分割多元接続（ＴＤＭＡ）、ウェーブレット技術、および／または同様のものが挙げられ得る。また、ＴＤＭＡ／ＣＤＭＡ、およびＯＦＤＭ／ＣＤＭＡなどのハイブリッド伝送メカニズムも用いられ得る。物理レイヤでの信号伝送には、様々な変調方式を適用することができる。変調方式の例としては、以下に限定されないが、位相、振幅、符号、これらの組み合わせ、および／または同様のものが挙げられる。例示的な無線伝送方法は、二相位相変調（ＢＰＳＫ）を使用する直交振幅変調（ＱＡＭ）、四相位相変調（ＱＰＳＫ）、１６−ＱＡＭ、６４−ＱＡＭ、２５６−ＱＡＭ、および／または同様のものを実装することができる。物理無線伝送は、伝送要件と無線条件に応じて変調およびコーディング方式を動的または半動的に変更することにより強化することができる。
【０００５】
本開示の様々な実施形態のうちの幾つかの例を、ここに図面を参照しながら記載する。
【図面の簡単な説明】
【０００６】
【図１】図１は、本開示の実施形態の一態様による、例示的なＲＡＮアーキテクチャの図である。
【０００７】
【図２Ａ】図２Ａは、本開示の実施形態の一態様による、例示的なユーザプレーンプロトコルスタックの図である。
【０００８】
【図２Ｂ】図２Ｂは、本開示の実施形態の一態様による、例示的な制御プレーンプロトコルスタックの図である。
【０００９】
【図３】図３は、本開示の実施形態の一態様による、例示的な無線デバイスおよび２つの基地局の図である。
【００１０】
【図４Ａ】図４Ａは、本開示の実施形態の一態様による、アップリンクおよびダウンリンク信号伝送のための例示的な図である。
【図４Ｂ】図４Ｂは、本開示の実施形態の一態様による、アップリンクおよびダウンリンク信号伝送のための例示的な図である。
【図４Ｃ】図４Ｃは、本開示の実施形態の一態様による、アップリンクおよびダウンリンク信号伝送のための例示的な図である。
【図４Ｄ】図４Ｄは、本開示の実施形態の一態様による、アップリンクおよびダウンリンク信号伝送のための例示的な図である。
【００１１】
【図５Ａ】図５Ａは、本開示の実施形態の一態様による、例示的なアップリンクチャネルマッピングおよび例示的なアップリンク物理信号の図である。
【００１２】
【図５Ｂ】図５Ｂは、本開示の実施形態の一態様による、例示的なダウンリンクチャネルマッピングおよび例示的なダウンリンク物理信号の図である。
【００１３】
【図６】図６は、本開示の実施形態の一態様による、例示的なフレーム構造を示す図である。
【００１４】
【図７Ａ】図７Ａは、本開示の一実施形態の一態様による、ＯＦＤＭサブキャリアの例示的なセットを示す図である。
【図７Ｂ】図７Ｂは、本開示の一実施形態の一態様による、ＯＦＤＭサブキャリアの例示的なセットを示す図である。
【００１５】
【図８】図８は、本開示の実施形態の一態様による、例示的なＯＦＤＭ無線リソースを示す図である。
【００１６】
【図９Ａ】図９Ａは、マルチビームシステムでの例示的なＣＳＩ−ＲＳおよび／またはＳＳブロック伝送を示す図である。
【００１７】
【図９Ｂ】図９Ｂは、本開示の実施形態の一態様による、例示的なダウンリンクビーム管理プロシージャを示す図である。
【００１８】
【図１０】図１０は、本開示の実施形態の一態様による、構成されたＢＷＰの例示的な図である。
【００１９】
【図１１Ａ】図１１Ａは、本開示の実施形態の一態様による、例示的なマルチコネクティビティの図である。
【図１１Ｂ】図１１Ｂは、本開示の実施形態の一態様による、例示的なマルチコネクティビティの図である。
【００２０】
【図１２】図１２は、本開示の実施形態の一態様による、例示的ランダムアクセスプロシージャの図である。
【００２１】
【図１３】図１３は、本開示の実施形態の一態様による、例示的なＭＡＣエントリの構造である。
【００２２】
【図１４】図１４は、本開示の実施形態の一態様による、例示的なＲＡＮアーキテクチャの図である。
【００２３】
【図１５】図１５は、本開示の実施形態の一態様による、例示的なＲＲＣ状態の図である。
【００２４】
【図１６】図１６は、本開示の例示的な実施形態の一態様の図である。
【００２５】
【図１７】図１７は、本開示の例示的な実施形態の一態様の図である。
【００２６】
【図１８】図１８は、本開示の例示的な実施形態の一態様の図である。
【００２７】
【図１９】図１９は、本開示の例示的な実施形態の一態様の図である。
【００２８】
【図２０】図２０は、本開示の例示的な実施形態の一態様の図である。
【００２９】
【図２１】図２１は、本開示の例示的な実施形態の一態様の図である。
【００３０】
【図２２】図２２は、本開示の例示的な実施形態の一態様の図である。
【００３１】
【図２３】図２３は、本開示の例示的な実施形態の一態様の図である。
【００３２】
【図２４】図２４は、本開示の例示的な実施形態の一態様の図である。
【００３３】
【図２５】図２５は、本開示の例示的な実施形態の一態様の図である。
【００３４】
【図２６】図２６は、本開示の例示的な実施形態の一態様の図である。
【００３５】
【図２７】図２７は、本開示の例示的な実施形態の一態様の図である。
【００３６】
【図２８】図２８は、本開示の例示的な実施形態の一態様の図である。
【００３７】
【図２９】図２９は、本開示の例示的な実施形態の一態様の図である。
【００３８】
【図３０】図３０は、本開示の例示的な実施形態の一態様の図である。
【００３９】
【図３１】図３１は、本開示の例示的な実施形態の一態様の図である。
【００４０】
【図３２】図３２は、本開示の例示的な実施形態の一態様の図である。
【００４１】
【図３３】図３３は、本開示の例示的な実施形態の一態様の図である。
【００４２】
【図３４】図３４は、本開示の例示的な実施形態の一態様の図である。
【００４３】
【図３５】図３５は、本開示の例示的な実施形態の一態様の図である。
【００４４】
【図３６】図３６は、本開示の例示的な実施形態の一態様の図である。
【００４５】
【図３７】図３７は、本開示の例示的な実施形態の一態様の図である。
【００４６】
【図３８】図３８は、本開示の例示的な実施形態の一態様の図である。
【００４７】
【図３９】図３９は、本開示の例示的な実施形態の一態様の図である。
【００４８】
【図４０】図４０は、本開示の例示的な実施形態の一態様の図である。
【００４９】
【図４１】図４１は、本開示の例示的な実施形態の一態様の図である。
【００５０】
【図４２】図４２は、本開示の例示的な実施形態の一態様の図である。
【００５１】
【図４３】図４３は、本開示の例示的な実施形態の一態様の図である。
【００５２】
【図４４】図４４は、本開示の例示的な実施形態の一態様の図である。
【００５３】
【図４５】図４５は、本開示の例示的な実施形態の一態様のフロー図である。
【００５４】
【図４６】図４６は、本開示の例示的な実施形態の一態様のフロー図である。
【発明を実施するための形態】
【００５５】
図１は、本開示の実施形態の一態様による、例示的な無線アクセスネットワーク（ＲＡＮ）アーキテクチャである。この例に示されるように、ＲＡＮノードは、第１の無線デバイス（例えば１１０Ａ）に向けて新無線（ＮＲ）ユーザプレーンおよび制御プレーンプロトコル終端を提供する次世代ノードＢ（ｇＮＢ）（例えば１２０Ａ、１２０Ｂ）であり得る。一例では、ＲＡＮノードは、第２の無線デバイス（例えば１１０Ｂ）に向けて進化型ＵＭＴＳ地上無線アクセス（Ｅ−ＵＴＲＡ）ユーザプレーンおよび制御プレーンプロトコル終端を提供する次世代進化型ノードＢ（ｎｇ−ｅＮＢ）（例えば１２４Ａ、１２４Ｂ）であり得る。第１の無線デバイスは、Ｕｕインターフェースを介してｇＮＢと通信することができる。第２の無線デバイスは、Ｕｕインターフェースを介してｎｇ−ｅＮＢと通信することができる。この開示では、無線デバイス１１０Ａおよび１１０Ｂは、構造的に無線デバイス１１０と同様である。基地局１２０Ａおよび／または１２０Ｂは、構造的に基地局１２０と同様であり得る。基地局１２０は、ｇＮＢ（例えば１２２Ａおよび／または１２２Ｂ）、ｎｇ−ｅＮＢ（例えば１２４Ａおよび／または１２４Ｂ）などのうちの少なくとも１つを備えることができる。
【００５６】
ｇＮＢまたはｎｇ−ｅＮＢは、無線リソース管理およびスケジューリング、ＩＰヘッダ圧縮、データの暗号化および完全性保護、ユーザ機器（ＵＥ）アタッチメントにおけるアクセスおよびモビリティ管理機能（ＡＭＦ）の選択、ユーザプレーンおよび制御プレーンデータのルーティング、接続設定および解放、ページングメッセージのスケジューリングおよび送信（ＡＭＦから発信）、システムブロードキャスト情報のスケジューリングおよび送信（ＡＭＦまたは運用保守（Ｏ＆Ｍ）から発信）、測定および測定報告構成、アップリンクでのトランスポートレベルのパケットマーキング、セッション管理、ネットワークスライシングのサポート、サービス品質（ＱｏＳ）フロー管理およびデータ無線ベアラへのマッピング、ＲＲＣ＿ＩＮＡＣＴＩＶＥ状態のＵＥのサポート、非アクセス層（ＮＡＳ）メッセージの配信機能、ＲＡＮ共有、ならびにＮＲとＥ−ＵＴＲＡとの間のデュアルコネクティビティまたは緊密な相互作用などの機能をホストすることができる。
【００５７】
一例では、１つ以上のｇＮＢおよび／または１つ以上のｎｇ−ｅＮＢは、Ｘｎインターフェースによって互いに相互接続されることができる。ｇＮＢまたはｎｇ−ｅＮＢは、ＮＧインターフェースによって５Ｇコアネットワーク（５ＧＣ）に接続されることができる。一例では、５ＧＣは、１つ以上のＡＭＦ／ユーザ計画機能（ＵＰＦ）機能（例えば１３０Ａまたは１３０Ｂ）を含むことができる。ｇＮＢまたはｎｇ−ｅＮＢは、ＮＧ−ユーザプレーン（ＮＧ−Ｕ）インターフェースによってＵＰＦに接続されることができる。ＮＧ−Ｕインターフェースは、ＲＡＮノードとＵＰＦとの間のユーザプレーンプロトコルデータユニット（ＰＤＵ）の配信（例えば、保証されていない配信）を提供することができる。ｇＮＢまたはｎｇ−ｅＮＢは、ＮＧ−制御プレーン（ＮＧ−Ｃ）インターフェースによってＡＭＦに接続されることができる。ＮＧ−Ｃインターフェースは、例えば、ＮＧインターフェース管理、ＵＥコンテキスト管理、ＵＥモビリティ管理、ＮＡＳメッセージのトランスポート、ページング、ＰＤＵセッション管理、構成転送および／または警告メッセージ伝送、それらの組み合わせなどを提供することができる。
【００５８】
一例では、ＵＰＦは、イントラ／インター無線アクセス技術（ＲＡＴ）モビリティ（適用可能な場合）のためのアンカーポイント、データネットワークへの相互接続の外部ＰＤＵセッションポイント、パケットルーティングおよび転送、ポリシールール施行のパケット検査およびユーザプレーン部分、トラフィック使用状況報告、データネットワークへのルーティングトラフィックフローをサポートするためのアップリンク分類器、マルチホームＰＤＵセッションをサポートするための分岐ポイント、例えばパケットフィルタリングなどのユーザプレーンのためのＱｏＳ処理、ゲーティング、アップリンク（ＵＬ）／ダウンリンク（ＤＬ）レート実施、アップリンクトラフィック検証（例えば、ＱｏＳフローマッピングへのサービスデータフロー（ＳＤＦ））、ダウンリンクパケットバッファリング、および／またはダウンリンクデータ通知トリガリングなどの機能をホストすることができる。
【００５９】
一例では、ＡＭＦは、ＮＡＳシグナリング終端、ＮＡＳシグナリングセキュリティ、アクセス層（ＡＳ）セキュリティ制御、第３世代パートナーシッププロジェクト（３ＧＰＰ）アクセスネットワークの間のモビリティのためのインターコアネットワーク（ＣＮ）ノードシグナリング、アイドルモードＵＥ到達可能性（例えば、ページング再送の制御および実行）、登録エリア管理、システム内およびシステム間のモビリティのサポート、アクセス認証、ローミング権のチェックを含むアクセス許可、モビリティ管理制御（加入およびポリシー）、ネットワークスライスおよび／またはセッション管理機能（ＳＭＦ）の選択のサポートなどの機能をホストすることができる。
【００６０】
図２Ａは、例示的なユーザプレーンプロトコルスタックであり、サービスデータ適応プロトコル（ＳＤＡＰ）（例えば２１１および２２１）、パケットデータ収束プロトコル（ＰＤＣＰ）（例えば２１２および２２２）、無線リンク制御（ＲＬＣ）（例えば２１３および２２３）および媒体アクセス制御（ＭＡＣ）（例えば２１４および２２４）サブレイヤおよび物理（ＰＨＹ）（例えば２１５および２２５）レイヤは、ネットワーク側の無線デバイス（例えば１１０）およびｇＮＢ（例えば１２０）で終端されてもよい。一例では、ＰＨＹレイヤは、トランスポートサービスを上位レイヤ（例えば、ＭＡＣ、ＲＲＣなど）に提供する。一例では、ＭＡＣサブレイヤのサービスおよび機能は、論理チャネルとトランスポートチャネルとの間のマッピング、１つまたは異なる論理チャネルに属するＭＡＣサービスデータユニット（ＳＤＵ）のＰＨＹレイヤに／それから配信されるトランスポートブロック（ＴＢ）への／それからの多重化／逆多重化、スケジューリング情報報告、ハイブリッド自動反復要求（ＨＡＲＱ）による誤り訂正（例えば、キャリアアグリゲーション（ＣＡ）の場合、キャリアごとに１つのＨＡＲＱエンティティ）、動的スケジューリングによるＵＥ間の優先処理、論理チャネル優先順位付けおよび／またはパディングによる１つのＵＥの論理チャネル間の優先処理を含むことができる。ＭＡＣエンティティは、１つもしくは複数のヌメロロジ、および／または伝送タイミングをサポートすることができる。一例では、論理チャネル優先順位付けにおけるマッピング制限により、論理チャネルがどのヌメロロジおよび／または伝送タイミングを使用することができるかを制御することができる。一例では、ＲＬＣサブレイヤは、トランスペアレントモード（ＴＭ）、非肯定モード（ＵＭ）、および肯定モード（ＡＭ）伝送モードをサポートすることができる。このＲＬＣ構成は、ヌメロロジおよび／または伝送時間間隔（ＴＴＩ）持続時間に依存せずに論理チャネル毎とすることができる。一例では、自動反復要求（ＡＲＱ）は、論理チャネルが構成されているいずれのヌメロロジおよび／またはＴＴＩ持続時間に関して動作することができる。一例では、ユーザプレーンに対するＰＤＣＰレイヤのサービスおよび機能は、シーケンス番号付け、ヘッダ圧縮および解凍、ユーザデータの転送、並べ替えおよび重複検出、ＰＤＣＰ  ＰＤＵルーティング（例えば、分割ベアラの場合）、ＰＤＣＰ  ＳＤＵの再送信、暗号化、復号および完全性保護、ＰＤＣＰ  ＳＤＵ廃棄、ＲＬＣ  ＡＭのためのＰＤＣＰ再確立およびデータ回復、および／またはＰＤＣＰ  ＰＤＵの複製を含むことができる。一例では、ＳＤＡＰのサービスおよび機能は、ＱｏＳフローとデータ無線ベアラとの間のマッピングを含むことができる。一例では、ＳＤＡＰのサービスおよび機能は、ＤＬパケットおよびＵＬパケットにおけるサービス品質インジケータ（ＱＦＩ）をマッピングすることを含むことができる。一例では、ＳＤＡＰのプロトコルエンティティは、個々のＰＤＵセッションのために構成されることができる。
【００６１】
図２Ｂは、ＰＤＣＰ（例えば２３３および２４２）、ＲＬＣ（例えば２３４および２４３）およびＭＡＣ（例えば２３５および２４４）サブレイヤおよびＰＨＹ（例えば２３６および２４５）レイヤがネットワーク側の無線デバイス（例えば１１０）およびｇＮＢ（例えば１２０）で終端されることができ且つ上述したサービスおよび機能を実行することができる例示的な制御プレーンプロトコルスタックである。一例では、ＲＲＣ（例えば２３２および２４１）は、無線デバイスおよびネットワーク側のｇＮＢで終端されてもよい。一例では、ＲＲＣのサービスおよび機能は、ＡＳおよびＮＡＳに関するシステム情報のブロードキャスト、５ＧＣまたはＲＡＮにより起動されるページング、ＵＥとＲＡＮとの間のＲＲＣ接続の確立、維持、および解放、シグナリング無線ベアラ（ＳＲＢ）およびデータ無線ベアラ（ＤＲＢ）のキー管理、確立、構成、保守および解放を含むセキュリティ機能、モビリティ機能、ＱｏＳ管理機能、ＵＥ測定レポートおよびそのレポートの制御、無線リンク障害の検出およびそこからの回復、ならびに／または、ＵＥからの／へのＮＡＳへの／からのＮＡＳメッセージ転送を含むことができる。一例では、ＮＡＳ制御プロトコル（例えば２３１および２５１）は、無線デバイスおよびネットワーク側のＡＭＦ（例えば１３０）で終端され、認証、３ＧＰＰアクセスおよび非３ＧＰＰアクセスのためのＵＥとＡＭＦとの間のモビリティ管理、３ＧＰＰアクセスおよび非３ＧＰＰアクセスのためのＵＥとＳＭＦとの間のセッション管理などの機能を実行することができる。
【００６２】
一例では、基地局は、無線デバイスのために複数の論理チャネルを構成することができる。複数の論理チャネル内の論理チャネルは、無線ベアラに対応することができ、無線ベアラは、ＱｏＳ要件と関連付けられることができる。一例において、基地局は、複数のＴＴＩ／ヌメロロジ中の１つ以上のＴＴＩ／ヌメロロジにマッピングされている論理チャネルを構成することができる。無線デバイスは、アップリンク許可を示す物理ダウンリンク制御チャネル（ＰＤＣＣＨ）を介して、ダウンリンク制御情報（ＤＣＩ）を受信することができる。一例において、アップリンク許可は、第１のＴＴＩ／ヌメロロジのためにあり得、トランスポートブロックの伝送のためのアップリンクリソースを示すことができる。基地局は、無線デバイスのＭＡＣレイヤで論理チャネル優先順位付けプロシージャによって使用される１つ以上のパラメータを有する複数の論理チャネル内に各論理チャネルを構成することができる。その１つ以上のパラメータは、優先度、優先されたビットレートなどを含むことができる。複数の論理チャネル内の各論理チャネルは、その論理チャネルに関連付けられたデータを含む１つ以上のバッファに対応することができる。論理チャネル優先順位付けプロシージャは、複数の論理チャネル、および／または１つ以上のＭＡＣ制御要素（ＣＥ）内の１つ以上の第１の論理チャネルにアップリンクリソースを割り当てることができる。１つ以上の第１の論理チャネルは、第１のＴＴＩ／ヌメロロジにマッピングされることができる。無線デバイスでのＭＡＣレイヤは、ＭＡＣ  ＰＤＵ（例えば、トランスポートブロック）内で、１つ以上のＭＡＣ  ＣＥ、および／または１つ以上のＭＡＣ  ＳＤＵ（例えば、論理チャネル）を多重化することができる。一例では、ＭＡＣ  ＰＤＵは、複数のＭＡＣサブヘッダを含むＭＡＣヘッダを含むことができる。複数のＭＡＣサブヘッダ内のＭＡＣサブヘッダは、１つ以上のＭＡＣ  ＣＥ、および／または１つ以上のＭＡＣ  ＳＤＵ内のＭＡＣ  ＣＥまたはＭＡＣ  ＳＵＤ（論理チャネル）に対応することができる。一例では、ＭＡＣ  ＣＥまたは論理チャネルは、論理チャネル識別子（ＬＣＩＤ）を用いて構成されることができる。一例では、論理チャネルまたはＭＡＣ  ＣＥのためのＬＣＩＤは、固定／事前構成されることができる。一例では、論理チャネルまたはＭＡＣ  ＣＥのためのＬＣＩＤは、基地局により無線デバイスのために構成されることができる。ＭＡＣ  ＣＥまたはＭＡＣ  ＳＤＵに対応するＭＡＣサブヘッダは、ＭＡＣ  ＣＥまたはＭＡＣ  ＳＤＵと関連付けられたＬＣＩＤを含むことができる。
【００６３】
一例では、基地局は、１つ以上のＭＡＣコマンドを用いることによって、無線デバイスにおける１つ以上のプロセスを作動および／もしくは停止させ、ならびに／または影響を与えることができる（例えば、１つ以上のプロセスのうちの１つ以上のパラメータの設定値が、１つ以上のプロセスのうちの１つ以上のタイマーを開始および／または中止させる）。１つ以上のＭＡＣコマンドは、１つ以上のＭＡＣ制御要素を含むことができる。一例では、１つ以上のプロセスは、１つ以上の無線ベアラのためのＰＤＣＰパケット複製の作動および／または停止を含むことができる。基地局は、１つ以上のフィールドを含むＭＡＣ  ＣＥ、１つ以上の無線ベアラのためのＰＤＣＰ複製の作動および／または停止を示すフィールドの値を伝送することができる。一例では、１つ以上のプロセスは、１つ以上のセル上のチャネル状態情報（ＣＳＩ）伝送を含むことができる。基地局は、１つ以上のセル上のＣＳＩ伝送の作動および／または停止を示す１つ以上のＭＡＣ  ＣＥを伝送することができる。一例では、１つ以上のプロセスは、１つ以上のセカンダリセルの作動または停止を含んでもよい。一例では、基地局は、１つ以上のセカンダリセルの作動または停止を示すＭＡ  ＣＥを伝送することができる。一例では、基地局は、無線デバイスにおける１つ以上の間欠受信（ＤＲＸ）タイマーの開始および／または中止を示す１つ以上のＭＡＣ  ＣＥを伝送することができる。一例では、基地局は、１つ以上のタイミングアドバンスグループ（ＴＡＧ）のための１つ以上のタイミングアドバンス値を示す１つ以上のＭＡＣ  ＣＥを伝送することができる。
【００６４】
図３は、基地局（基地局１、１２０Ａ、および基地局２、１２０Ｂ）および無線デバイス１１０のブロック図である。無線デバイスはＵＥと呼ばれることがある。基地局は、ＮＢ、ｅＮＢ、ｇＮＢ、および／またはｎｇ−ｅＮＢと呼ばれることがある。一例では、無線デバイスおよび／または基地局は、中継ノードとして機能することができる。基地局１、１２０Ａは、少なくとも１つの通信インターフェース３２０Ａ（例えば、無線モデム、アンテナ、有線モデムなど）と、少なくとも１つのプロセッサ３２１Ａと、非一時的メモリ３２２Ａ内に記憶され、少なくとも１つのプロセッサ３２１Ａによって実行可能な少なくとも１セットのプログラムコード命令３２３Ａとを含むことができる。基地局２、１２０Ｂは、少なくとも１つの通信インターフェース３２０Ｂと、少なくとも１つのプロセッサ３２１Ｂと、非一時的メモリ３２２Ｂ内に記憶され、かつ少なくとも１つのプロセッサ３２１Ｂによって実行可能なプログラムコード命令３２３Ｂの少なくとも１つのセットと、を備えることができる。
【００６５】
基地局は、多数のセクタ、例えば、１、２、３、４、または６つのセクタを含むことができる。基地局は、例えば、１〜５０以上の範囲の多数のセルを含むことができる。セルは、例えば、プライマリセルまたはセカンダリセルとしてカテゴリ化することができる。ＲＲＣ接続確立／再確立／ハンドオーバーでは、１つのサービングセルが、ＮＡＳ（非アクセス層）モビリティ情報（例えば、ＴＡＩ）を提供してもよい。ＲＲＣ接続再確立／ハンドオーバーにおいて、１つのサービングセルは、セキュリティ入力を提供することができる。このセルは、プライマリセル（ＰＣｅｌｌ）と呼ばれることがある。ダウンリンクでは、ＰＣｅｌｌに対応するキャリアは、ＤＬプライマリコンポーネントキャリア（ＰＣＣ）とすることができ、これに対して、アップリンクでは、キャリアは、ＵＬ  ＰＣＣとすることができる。無線デバイス能力に応じて、セカンダリセル（ＳＣｅｌｌ）は、ＰＣｅｌｌと一緒にサービングセルのセットを形成するように構成することができる。ダウンリンクでは、ＳＣｅｌｌに対応するキャリアは、ダウンリンクセカンダリコンポーネントキャリア（ＤＬ  ＳＣＣ）とすることができ、これに対して、アップリンクでは、キャリアは、アップリンクセカンダリコンポーネントキャリア（ＵＬ  ＳＣＣ）とすることができる。ＳＣｅｌｌには、アップリンクキャリアを有する場合と有しない場合がある。
【００６６】
ダウンリンクキャリアとオプションのアップリンクキャリアを含むセルには、物理セルＩＤとセルインデックスを割り当てることができる。キャリア（ダウンリンクまたはアップリンク）は、１つのセルに属することができる。セルＩＤ又はセルインデックスは、（使用状況に応じて）セルのダウンリンクキャリア又はアップリンクキャリアを識別することもできる。本開示では、セルＩＤは、同様に、キャリアＩＤと呼ばれることがあり、セルインデックスは、キャリアインデックスと呼ばれることがある。実装では、物理セルＩＤまたはセルインデックスをセルに割り当てることができる。セルＩＤは、ダウンリンクキャリア上に伝送される同期信号を使用して判定することができる。セルインデックスは、ＲＲＣメッセージを使用して判定することができる。例えば、本開示が第１のダウンリンクキャリアに対する第１の物理セルＩＤに言及する場合、本開示は、第１の物理セルＩＤが、第１のダウンリンクキャリアを含むセルに対するものであることを意味することができる。同じ概念は、例えば、キャリアのアクティブ化に適用されることができる。本開示が第１のキャリアが作動されることを示す場合、本明細書は、第１のキャリアを含むセルがアクティブ化されることを同様に意味することができる。
【００６７】
基地局は、１つ以上のセルの構成パラメータを含む１つ以上のメッセージ（例えば、ＲＲＣメッセージ）を送信することができる。１つ以上のセルは、少なくとも１つのプライマリセル、および少なくとも１つのセカンダリセルを含むことができる。一例では、ＲＲＣメッセージは、無線デバイスにブロードキャストまたはユニキャストすることができる。一例では、構成パラメータは、共通パラメータおよび専用パラメータを含むことができる。
【００６８】
ＲＲＣサブレイヤのサービスおよび／もしくは機能は、ＡＳおよびＮＡＳに関するシステム情報のブロードキャスト、５ＧＣおよび／もしくはＮＧ−ＲＡＮにより開始されたページング、無線デバイスとＮＧ−ＲＡＮとの間のＲＲＣ接続の確立、維持、および／もしくは解放であってそれらがキャリアアグリゲーションの追加、修正、および解放のうちの少なくとも１つを含み得るもの、または、ＮＲ内、もしくはＥ−ＵＴＲＡとＮＲとの間のデュアル接続の解放、のうちの少なくとも１つを含むことができる。ＲＲＣサブレイヤのサービスおよび／または機能は、キー管理を含むセキュリティ機能のうちの少なくとも１つ、シグナリング無線ベアラ（ＳＲＢ）および／もしくはデータ無線ベアラ（ＤＲＢ）の確立、構成、維持、および／もしくは解放、ハンドオーバー（例えば、ＮＲ内モビリティまたはＲＡＴ間モビリティ）およびコンテキスト転送のうちの少なくとも１つを含み得るモビリティ機能、または、無線デバイスセル選択および再選択、ならびにセル選択および再選択の制御をさらに含むことができる。ＲＲＣサブレイヤのサービスおよび／または機能は、ＱｏＳ管理機能、無線デバイス測定構成／報告、無線リンク障害の検出および／または無線リンク障害からの回復、あるいは、無線デバイスとの間の、または無線デバイスへのコアネットワークエンティティ（例えば、ＡＭＦ、モビリティ管理エンティティ（ＭＭＥ））との間のＮＡＳメッセージ転送のうちの少なくとも１つをさらに含むことができる。
【００６９】
ＲＲＣサブレイヤは、無線デバイスに対してＲＲＣ＿Ｉｄｌｅ状態、ＲＲＣ＿Ｉｎａｃｔｉｖｅ状態、および／またはＲＲＣ＿Ｃｏｎｎｅｃｔｅｄ状態をサポートすることができる。ＲＲＣ＿Ｉｄｌｅ状態では、無線デバイスは、公衆陸上モバイルネットワーク（ＰＬＭＮ）選択、ブロードキャストされたシステム情報の受信、セル選択／再選択、５ＧＣにより開始されたモバイル終端データに対するページングのモニタ／受信、５ＧＣにより管理されたモバイル終端データエリアに対するページング、またはＮＡＳを介して構成されたＣＮページングに対するＤＲＸ、のうちの少なくとも１つを実行することができる。ＲＲＣ＿Ｉｎａｃｔｉｖｅ状態では、無線デバイスは、ブロードキャストされたシステム情報の受信、セル選択／再選択、ＮＧ−ＲＡＮ／５ＧＣにより開始されたＲＡＮ／ＣＮページングのモニタ／受信、ＮＧ−ＲＡＮにより管理されたＲＡＮベース通知エリア（ＲＮＡ）、または、ＮＧ−ＲＡＮ／ＮＡＳにより構成されたＲＡＮ／ＣＮページングに対するＤＲＸ、のうちの少なくとも１つを実行することができる。無線デバイスのＲＲＣ＿アイドル状態では、基地局（例えば、ＮＧ−ＲＡＮ）は、無線デバイスについて５ＧＣ−ＮＧ−ＲＡＮ接続（双方ともＣ  ／  Ｕプレーン）を維持することができ、および／または無線デバイスのためのＵＥ  ＡＳコンテキストを記憶することができる。無線デバイスのＲＲＣ＿Ｃｏｎｎｅｃｔｅｄ状態では、基地局（例えば、ＮＧ−ＲＡＮ）は、以下のうちの少なくとも１つを実行することができる：無線デバイスのための５ＧＣ−ＮＧ−ＲＡＮ接続（Ｃ／Ｕプレーンの双方）の確立、無線デバイスのためのＵＥ  ＡＳコンテキストの記憶、無線デバイスとのユニキャストデータの送受信、または無線デバイスから受信した測定結果に基づくネットワーク制御モビリティ。無線デバイスのＲＲＣ＿Ｃｏｎｎｅｃｔｅｄ状態では、ＮＧ−ＲＡＮは、無線デバイスが属するセルを知ることができる。
【００７０】
システム情報（ＳＩ）は、最小ＳＩおよび他のＳＩに分割することができる。最小ＳＩは、周期的にブロードキャストすることができる。最小ＳＩは、初期アクセスのために必要である基本情報、および任意の他のＳＩブロードキャストを周期的に取得するための情報、または要求に応じて準備された情報、すなわちスケジューリング情報を含むことができる。他のＳＩは、専用の様式でブロードキャストまたは設定のいずれかを行うことができ、ネットワークまたは無線デバイスからの要求のいずれかによって、トリガすることができる。最小のＳＩは、異なるメッセージ（例えば、ＭａｓｔｅｒＩｎｆｏｒｍａｔｉｏｎＢｌｏｃｋおよびＳｙｓｔｅｍＩｎｆｏｒｍａｔｉｏｎＢｌｏｃｋＴｙｐｅ１）を使用して２つの異なるダウンリンクチャネルを介して送信されることができる。別のＳＩは、ＳｙｓｔｅｍＩｎｆｏｒｍａｔｉｏｎＢｌｏｃｋＴｙｐｅ２を介して送信されることができる。ＲＲＣ＿Ｃｏｎｎｅｃｔｅｄ状態にある無線デバイスの場合、他のＳＩの要求および配信のために専用のＲＲＣシグナリングを採用することができる。ＲＲＣ＿Ｉｄｌｅ状態および／またはＲＲＣ＿Ｉｎａｃｔｉｖｅ状態にある無線デバイスの場合、要求は、ランダムアクセスプロシージャをトリガすることができる。
【００７１】
無線デバイスは、静的とすることができる、その無線アクセス能力情報をレポートすることができる。基地局は、無線デバイスが帯域情報に基づいてレポートする能力がどれほどかについて要求することができる。ネットワークによって許可されると、一時的な機能制限要求が無線デバイスによって送信されて、いくつかの機能の限られた利用可能性（例えば、ハードウェア共有、干渉または過熱による）を基地局に知らせることができる。基地局は、その要求を確認または拒否することができる。一時的な能力制限は、５ＧＣに対して透過的とすることができる（例えば、静的能力は５ＧＣに記憶されることができる）。
【００７２】
ＣＡが構成されている場合、無線デバイスは、ネットワークとのＲＲＣ接続を有することができる。ＲＲＣ接続確立／再確立／ハンドオーバープロシージャでは、１つのサービングセルが、ＮＡＳモビリティ情報を提供することができ、ＲＲＣ接続再確立／ハンドオーバーでは、１つのサービングセルが、セキュリティ入力を提供することができる。このセルは、ＰＣｅｌｌと呼ばれることがある。無線デバイスの機能に応じて、セカンダリセル（ＳＣｅｌｌ）は、ＰＣｅｌｌとサービングセルのセットを一緒に形成するように構成することができる。無線デバイスのために構成されたサービングセルのセットは、１つのＰＣｅｌｌ、および１つ以上のＳＣｅｌｌを含むことができる。
【００７３】
ＳＣｅｌｌの再構成、追加、および削除は、ＲＲＣによって実行することができる。ＮＲ内ハンドオーバーにおいて、ＲＲＣはまた、ターゲットＰＣｅｌｌとの使用のために、ＳＣｅｌｌを追加、削除、または再構成することもできる。新しいＳＣｅｌｌを追加する場合、専用ＲＲＣシグナリングを用いて、ＳＣｅｌｌの全ての必要なシステム情報を送信することができ、すなわち、接続モードにある間は、無線デバイスは、ブロードキャストされたシステム情報を、ＳＣｅｌｌから直接取得する必要がない場合がある。
【００７４】
ＲＲＣ接続再構成プロシージャの目的は、ＲＲＣ接続を修正する（例えば、ＲＢを確立、修正、及び／又はリリースする、ハンドオーバーを行う、測定を設定、修正、及び／又はリリースする、ＳＣｅｌｌを追加、修正、及び／又はリリースする）ことであってもよい。ＲＲＣ接続再構成プロシージャの一部として、ＮＡＳ専用情報を、ネットワークから無線デバイスに転送することができる。ＲＲＣＣｏｎｎｅｃｔｉｏｎＲｅｃｏｎｆｉｇｕｒａｔｉｏｎメッセージは、ＲＲＣ接続を変更するためのコマンドとすることができる。それは、任意の関連する専用ＮＡＳ情報およびセキュリティ構成を含む測定構成、モビリティ制御、無線リソース構成（例えば、ＲＢ、ＭＡＣメイン構成および物理チャネル構成）のための情報を伝達することができる。受信されたＲＲＣ接続再構成メッセージが、ｓＣｅｌｌＴｏＲｅｌｅａｓｅＬｉｓｔを含む場合、無線デバイスは、ＳＣｅｌｌリリースを行ってもよい。受信されたＲＲＣ接続再構成メッセージが、ｓＣｅｌｌＴｏＡｄｄＭｏｄＬｉｓｔを含む場合、無線デバイスは、ＳＣｅｌｌ追加又は修正を行ってもよい。
【００７５】
ＲＲＣ接続確立（または再確立、再開）プロシージャとは、ＲＲＣ接続を確立（または再確立、再開）することとすることができ、ＲＲＣ接続確立プロシージャは、ＳＲＢ１確立を含むことができる。ＲＲＣ接続確立プロシージャを使用して、無線デバイスからＥ−ＵＴＲＡＮに初期ＮＡＳ専用情報／メッセージを転送することができる。ＲＲＣＣｏｎｎｅｃｔｉｏｎＲｅｅｓｔａｂｌｉｓｈｍｅｎｔメッセージを使用して、ＳＲＢ１を再確立することができる。
【００７６】
測定レポートプロシージャとは、無線デバイスからＮＧ−ＲＡＮに測定結果を転送することとすることができる。無線デバイスは、正常なセキュリティ作動の後に測定レポートプロシージャを開始することができる。測定レポートメッセージを用いて、測定結果を伝送することができる。
【００７７】
無線デバイス１１０は、少なくとも１つの通信インターフェース３１０（例えば、無線モデム、アンテナ、および／または同様のもの）、少なくとも１つのプロセッサ３１４、および、非一時的メモリ３１５内に記憶され、かつ少なくとも１つのプロセッサ３１４により実行可能なプログラムコード命令３１６の少なくとも１つのセットを含むことができる。無線デバイス１１０は、少なくとも１つのスピーカ／マイクロフォン３１１、少なくとも１つのキーパッド３１２、少なくとも１つのディスプレイ／タッチパッド３１３、少なくとも１つの電源３１７、少なくとも１つの全地球測位システム（ＧＰＳ）チップセット３１８、および他の周辺装置３１９の少なくとも１つをさらに含むことができる。
【００７８】
無線デバイス１１０のプロセッサ３１４、基地局１、１２０Ａのプロセッサ３２１Ａ、および／または基地局２、１２０Ｂのプロセッサ３２１Ｂは、汎用プロセッサ、デジタル信号プロセッサ（ＤＳＰ）、コントローラ、マイクロコントローラ、特定用途向け集積回路（ＡＳＩＣ）、フィールドプログラマブルゲートアレイ（ＦＰＧＡ）および／または他のプログラマブル論理デバイス、ディスクリートゲートおよび／またはトランジスタ論理回路、ディスクリートハードウェアコンポーネント、ならびに同様のもの、のうちの少なくとも１つを備えることができる。無線デバイス１１０のプロセッサ３１４、基地局１、１２０Ａ内のプロセッサ３２１Ａ、および／もしくは基地局２、１２０Ｂ内のプロセッサ３２１Ｂは、信号符号化／処理、データ処理、パワー制御、入力／出力処理、ならびに／または、無線デバイス１１０、基地局１、１２０Ａ、および／もしくは基地局２、１２０Ｂを無線環境で動作させることができる任意の他の機能性、のうちの少なくとも１つを実行することができる。
【００７９】
無線デバイス１１０のプロセッサ３１４は、スピーカ／マイクロフォン３１１、キーパッド３１２、および／またはディスプレイ／タッチパッド３１３に接続することができる。プロセッサ３１４は、スピーカ／マイクロフォン３１１、キーパッド３１２および／もしくはディスプレイ／タッチパッド３１３からユーザ入力データを受信し、ならびに／またはユーザ出力データをこれらに提供することができる。無線デバイス１１０内のプロセッサ３１４は、電源３１７からパワーを受信することができ、および／またはそのパワーを無線デバイス１１０内の他のコンポーネントに分配するように構成されることができる。電源３１７は、１つ以上の乾電池、太陽電池、燃料電池、および同様のもの、のうちの少なくとも１つを備えることができる。プロセッサ３１４は、ＧＰＳチップセット３１８に接続されることができる。ＧＰＳチップセット３１８は、無線デバイス１１０の地理学的位置情報を提供するように構成されることができる。
【００８０】
無線デバイス１１０のプロセッサ３１４は、他の周辺装置３１９にさらに接続することができ、その周辺装置は、追加の特徴および／または機能性を提供する１つ以上のソフトウェアおよび／またはハードウェアモジュールを備えることができる。例えば、周辺装置３１９は、加速度計、衛星送受信機、デジタルカメラ、ユニバーサルシリアルバス（ＵＳＢ）ポート、ハンズフリーヘッドセット、周波数変調（ＦＭ）無線ユニット、メディアプレーヤー、インターネットブラウザ、および同様のもの、のうちの少なくとも１つを備えることができる。
【００８１】
基地局１、１２０Ａの通信インターフェース３２０Ａ、および／または基地局２、１２０Ｂの通信インターフェース３２０Ｂは、それぞれ無線リンク３３０Ａおよび／または無線リンク３３０Ｂを介して無線デバイス１１０の通信インターフェース３１０と通信するように構成されることができる。一例では、基地局１、１２０Ａの通信インターフェース３２０Ａは、基地局２の通信インターフェース３２０Ｂ、ならびに他のＲＡＮおよびコアネットワークノードと通信することができる。
【００８２】
無線リンク３３０Ａおよび／または無線リンク３３０Ｂは、双方向リンクおよび／または指向性リンクのうちの少なくとも一方を備えることができる。無線デバイス１１０の通信インターフェース３１０は、基地局１、１２０Ａの通信インターフェース３２０Ａと、および／または基地局２、１２０Ｂの通信インターフェース３２０Ｂと通信するように構成されることができる。基地局１、１２０Ａおよび無線デバイス１１０、ならびに／または、基地局２、１２０Ｂおよび無線デバイス１１０は、それぞれ、無線リンク３３０Ａを介して、および／または無線リンク３３０Ｂを介して、トランスポートブロックを送信および受信するように構成されることができる。無線リンク３３０Ａおよび／または無線リンク３３０Ｂは、少なくとも１つの周波数キャリアを用いることができる。実施形態のいくつかの様々な態様によれば、送受信機を用いることができる。送受信機は、送信機および受信機の双方を含むデバイスとすることができる。送受信機は、無線デバイス、基地局、中継ノード、および／または同等物などのデバイス内で用いることができる。通信インターフェース３１０、３２０Ａ、３２０Ｂ、および無線リンク３３０Ａ、３３０Ｂにおいて実施される無線技術の例示的な実施形態が、図４Ａ、図４Ｂ、図４Ｃ、図４Ｄ、図６、図７Ａ、図７Ｂ、図８、および関連する文章に例示されている。
【００８３】
一例では、無線ネットワーク内の他のノード（例えば、ＡＭＦ、ＵＰＦ、ＳＭＦなど）は、１つ以上の通信インターフェース、１つ以上のプロセッサ、およびメモリ記憶命令を含むことができる。
【００８４】
ノード（例えば、無線デバイス、基地局、ＡＭＦ、ＳＭＦ、ＵＰＦ、サーバ、スイッチ、アンテナ、および／またはその同様のもの）は、１つ以上のプロセッサ、ならびに、１つ以上のプロセッサにより実行されたときに、そのノードが特定のプロセスおよび／または機能を実行するのを可能にする命令を記憶するメモリを含むことができる。例示的な実施形態は、単一キャリアおよび／またはマルチキャリア通信の動作を可能にすることができる。他の例示的な実施形態は、単一キャリアおよび／またはマルチキャリア通信の動作を生じさせるために、１つ以上のプロセッサにより実行可能な命令を含む、非一時的有形コンピュータ可読媒体を備えることができる。さらに他の例示的な実施形態は、非一時的有形コンピュータ可読機械アクセス可能媒体を含む製品を含むことができ、この媒体は、プログラム可能なハードウェアが、ノードに単一キャリアおよび／またはマルチキャリア通信の動作を可能にさせることを可能にするための、そこに符号化された命令を有する。ノードは、プロセッサ、メモリ、インターフェース、および／または同様のものを含むことができる。
【００８５】
インターフェースは、ハードウェアインターフェース、ファームウェアインターフェース、ソフトウェアインターフェース、のうちの少なくとも１つ、および／またはこれらの組み合わせを備えることができる。ハードウェアインターフェースは、コネクタ、ワイヤ、ドライバなどの電子デバイス、増幅器、および／または同様のものを備えることができる。ソフトウェアインターフェースは、プロトコル、プロトコルレイヤ、通信ドライバ、デバイスドライバ、それらの組み合わせなどを実装するためにメモリデバイスに記憶されたコードを備えることができる。ファームウェアインターフェースは、組み込み型ハードウェアと、メモリデバイス内に記憶され、および／またはそれと通信するコードとの組み合わせを含み、接続、電子デバイス動作、プロトコル、プロトコルレイヤ、通信ドライバ、デバイスドライバ、ハードウェア動作、これらの組み合わせ、および／または同様のものを実装することができる。
【００８６】
図４Ａ、図４Ｂ、図４Ｃおよび図４Ｄは、本開示の実施形態の一態様による、アップリンクおよびダウンリンク信号伝送のための例示的な図である。図４Ａは、少なくとも１つの物理チャネルの例示的なアップリンク送信機を示す。物理アップリンク共有チャネルを代表するベースバンド信号は、１つ以上の機能を実行することができる。この１つ以上の機能は、スクランブリング、複素数値シンボルを生成するためのスクランブルビットの変調、１つまたはいくつかの伝送レイヤ上への複素数値変調シンボルのマッピング、複素数値シンボルを生成するための変換プリコーディング、複素数値シンボルのプリコーディング、プリコーディングされた複素数値シンボルのリソース要素へのマッピング、複素数値時間領域単一キャリア周波数分割多元接続（ＳＣ−ＦＤＭＡ）またはＣＰ−ＯＦＤＭ信号のアンテナポートへの生成、および／または同様のもの、のうちの少なくとも１つを含むことができる。一例において、変換プリコーディングが有効である場合は、アップリンク伝送のためのＳＣ−ＦＤＭＡ信号が生成されることができる。一例において、変換プリコーディングが有効でない場合は、図４Ａによって、アップリンク伝送のためのＣＰ−ＯＦＤＭ信号が生成されることができる。これらの機能は、例として示されており、様々な実施形態で他のメカニズムを実装することができることが予想される。
【００８７】
アンテナポートに対する複素数値ＳＣ−ＦＤＭＡまたはＣＰ−ＯＦＤＭベースバンド信号、および／または複素数値物理ランダムアクセスチャネル（ＰＲＡＣＨ）ベースバンド信号のキャリア周波数に対する変調およびアップコンバージョンの場合の例示的構造が、図４Ｂに示されている。送信前にフィルタリングを用いることができる。
【００８８】
ダウンリンク伝送のための例示的構造が、図４Ｃに示されている。ダウンリンク物理チャネルを表すベースバンド信号は、１つ以上の機能を実行することができる。この１つ以上の機能は、物理チャネル上で伝送されるべきコードワード内の符号化されたビットのスクランブリング、複素数値変調シンボルを生成するためのスクランブルされたビットの変調、複素数値変調シンボルの１つまたはいくつかの伝送レイヤ上へのマッピング、アンテナポート上での伝送のためのレイヤ上にある複素数値変調シンボルのプリコーディング、アンテナポートの複素数値変調シンボルのリソース要素へのマッピング、アンテナポート毎の複素数値時間領域ＯＦＤＭ信号の生成、および／または同様のものを含むことができる。これらの機能は、例として示されており、様々な実施形態で他のメカニズムを実装することができることが予想される。
【００８９】
一例では、ｇＮＢは、アンテナポート上の第１のシンボルおよび第２のシンボルを無線デバイスに伝送することができる。この無線デバイスは、アンテナポート上の第１のシンボルを伝達するためのチャネルから、アンテナポート上の第２のシンボルを伝達するためのチャネル（例えば、フェージング利得、マルチパス遅延など）を推測することができる。一例では、第１のアンテナポートおよび第２のアンテナポートは、第１のアンテナポート上の第１のシンボルが伝達されるチャネルの１つ以上の大規模な特性が、第２のアンテナポート上の第２のシンボルが伝達されるチャネルから推測され得る場合に、おおよそ同じ場所に配置されることができる。１つ以上の大規模な特性は、遅延拡散、ドップラー拡散、ドップラーシフト、平均利得、平均遅延、および／または空間受信（Ｒｘ）パラメータのうちの少なくとも１つを含むことができる。
【００９０】
アンテナポートの複素数値ＯＦＤＭベースバンド信号のキャリア周波数に対する例示的な変調およびアップコンバージョンが、図４Ｄに示されている。送信前にフィルタリングを用いることができる。
【００９１】
図５Ａは、例示的なアップリンクチャネルマッピングおよび例示的なアップリンク物理信号の図である。図５Ｂは、例示的なダウンリンクチャネルマッピングおよびダウンリンク物理信号の図である。一例では、物理レイヤは、１つ以上の情報転送サービスを、ＭＡＣおよび／または１つ以上の上位レイヤに提供することができる。例えば、物理レイヤは、１つ以上のトランスポートチャネルを介して１つ以上の情報転送サービスをＭＡＣに提供することができる。情報転送サービスは、特性データが無線インターフェースにわたってどのように、また何と一緒に転送されるかを示すことができる。
【００９２】
例示的な実施形態において、無線ネットワークは、１つ以上のダウンリンクおよび／またはアップリンクトランスポートチャネルを含むことができる。例えば、図５Ａの図は、アップリンク共有チャネル（ＵＬ−ＳＣＨ）５０１およびランダムアクセスチャネル（ＲＡＣＨ）５０２を含む例示的なアップリンクトランスポートチャネルを示す。図５Ｂの図は、ダウンリンク共有チャネル（ＤＬ−ＳＣＨ）５１１、ページングチャネル（ＰＣＨ）５１２、およびブロードキャストチャネル（ＢＣＨ）５１３を含む例示的なダウンリンクトランスポートチャネルを示す。トランスポートチャネルは、１つ以上の対応する物理チャネルにマッピングすることができる。例えば、ＵＬ−ＳＣＨ５０１は、物理アップリンク共有チャネル（ＰＵＳＣＨ）５０３にマッピングすることができる。ＲＡＣＨ５０２は、ＰＲＡＣＨ５０５にマッピングすることができる。ＤＬ−ＳＣＨ５１１およびＰＣＨ５１２は、物理ダウンリンク共有チャネル（ＰＤＳＣＨ）５１４にマッピングすることができる。ＢＣＨ５１３は、物理ブロードキャストチャネル（ＰＢＣＨ）５１６にマッピングすることができる。
【００９３】
対応するトランスポートチャネルを有さない１つ以上の物理チャネルが存在する場合がある。この１つ以上の物理チャネルは、アップリンク制御情報（ＵＣＩ）５０９および／またはダウンリンク制御情報（ＤＣＩ）５１７に対して用いることができる。例えば、物理アップリンク制御チャネル（ＰＵＣＣＨ）５０４は、ＵＥから基地局にＵＣＩ５０９を搬送することができる。例えば、物理ダウンリンク制御チャネル（ＰＤＣＣＨ）５１５は、基地局からＵＥにＤＣＩ５１７を搬送することができる。ＮＲは、ＵＣＩ５０９およびＰＵＳＣＨ５０３伝送がスロット内で少なくとも部分的に一致し得る場合、ＰＵＳＣＨ５０３においてＵＣＩ５０９多重化をサポートすることができる。ＵＣＩ５０９は、ＣＳＩ、肯定応答（ＡＣＫ）／否定肯定応答（ＮＡＣＫ）、および／またはスケジューリング要求のうちの少なくとも１つを含むことができる。ＰＤＣＣＨ５１５上のＤＣＩ５１７は、以下の、１つ以上のダウンリンク割り当て、および／または１つ以上のアップリンクスケジューリング許可のうちの少なくとも１つを示すことができる。
【００９４】
アップリンクでは、ＵＥは、１つ以上の基準信号（ＲＳ）を基地局に送信することができる。例えば、１つ以上のＲＳは、復調−ＲＳ（ＤＭ−ＲＳ）５０６、位相トラッキング−ＲＳ（ＰＴ−ＲＳ）５０７、および／またはサウンディングＲＳ（ＳＲＳ）５０８のうちの少なくとも１つとすることができる。ダウンリンクでは、基地局は、１つ以上のＲＳをＵＥに送信（例えば、ユニキャスト、マルチキャスト、および／またはブロードキャスト）することができる。例えば、１つ以上のＲＳは、プライマリ同期信号（ＰＳＳ）／セカンダリ同期信号（ＳＳＳ）５２１、ＣＳＩ−ＲＳ５２２、ＤＭ−ＲＳ５２３、および／またはＰＴ−ＲＳ５２４のうちの少なくとも１つとすることができる。
【００９５】
一例において、ＵＥは、チャネル推定のため、例えば、１つ以上のアップリンク物理チャネル（例えば、ＰＵＳＣＨ５０３および／またはＰＵＣＣＨ５０４）のコヒーレント復調のために、１つ以上のアップリンクＤＭ−ＲＳ５０６を基地局に送信することができる。例えば、ＵＥは、ＰＵＳＣＨ５０３および／またはＰＵＣＣＨ５０４を用いて少なくとも１つのアップリンクＤＭ−ＲＳ５０６を基地局に送信することができ、少なくとも１つのアップリンクＤＭ−ＲＳ５０６は、対応する物理チャネルと同じ周波数範囲に及ぶことがある。一例では、基地局は、１つ以上のアップリンクＤＭ−ＲＳ構成を有するＵＥを構成することができる。少なくとも１つのＤＭ−ＲＳ構成は、フロントロードＤＭ−ＲＳパターンをサポートすることができる。フロントロードＤＭ−ＲＳは、１つ以上のＯＦＤＭシンボル（例えば、１つまたは２つの隣接ＯＦＤＭシンボル）の上にマッピングされることができる。１つ以上の追加のアップリンクＤＭ−ＲＳは、ＰＵＳＣＨおよび／またはＰＵＣＣＨの１つ以上のシンボルで伝送するように構成されることができる。基地局は、ＰＵＳＣＨおよび／またはＰＵＣＣＨのためのフロントロードＤＭ−ＲＳシンボルの最大数を用いてＵＥを準統計学的に構成することができる。例えば、ＵＥは、フロントロードＤＭ−ＲＳシンボルの最大数に基づいて、単一シンボルＤＭ−ＲＳおよび／または二重シンボルＤＭ−ＲＳをスケジュールすることができ、基地局は、ＰＵＳＣＨおよび／またはＰＵＣＣＨのための１つ以上の追加のアップリンクＤＭ−ＲＳを用いてＵＥを構成することができる。新無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【００９６】
一例では、アップリンクＰＴ−ＲＳ５０７が存在するか否かは、ＲＲＣ構成に依存し得る。例えば、アップリンクＰＴ−ＲＳの存在は、ＵＥ固有に構成されることができる。例えば、スケジュールされたリソース内のアップリンクＰＴ−ＲＳ５０７の存在および／またはパターンは、ＲＲＣシグナリング、および／または、ＤＣＩによって示され得る他の目的（例えば、変調およびコーディング方式（ＭＣＳ））のために用いられる１つ以上のパラメータとの関連付けの組み合わせによってＵＥ固有に構成することができる。アップリンクＰＴ−ＲＳ５０７の動的存在は、それが構成される場合、少なくともＭＣＳを含む１つ以上のＤＣＩパラメータと関連付けることができる。無線ネットワークは、時間／周波数領域で画定される複数のアップリンクＰＴ−ＲＳ密度をサポートすることができる。周波数領域密度は、それが存在する場合、スケジュールされた帯域幅の少なくとも１つの構成と関連付けられることができる。ＵＥは、ＤＭＲＳポートおよびＰＴ−ＲＳポートのための同じプリコーディングを想定し得る。ＰＴ−ＲＳポート数は、スケジュールされたリソース内のＤＭ−ＲＳポート数よりも少ない場合がある。例えば、アップリンクＰＴ−ＲＳ５０７は、ＵＥのためのスケジュールされた時間／周波数持続時間内に制限される場合がある。
【００９７】
一例では、ＵＥは、アップリンクチャネル依存スケジューリングおよび／またはリンク適応をサポートするチャネル状態推定のために、基地局に、ＳＲＳ５０８を送信することができる。例えば、ＵＥによって伝送されたＳＲＳ５０８は、基地局が１つ以上の異なる周波数におけるアップリンクチャネル状態を推定することを可能にすることができる。基地局スケジューラは、アップリンクチャネル状態を用いて、ＵＥからアップリンクＰＵＳＣＨ伝送のために良好な品質の１つ以上のリソースブロックを割り当てることができる。基地局は、１つ以上のＳＲＳリソースセットを用いてＵＥを準統計学的に構成することができる。ＳＲＳリソースセットの場合、基地局は、１つ以上のＳＲＳリソースを用いてＵＥを構成することができる。ＳＲＳリソースセットの適用可能性は、上位レイヤ（例えば、ＲＲＣ）のパラメータによって構成されることができる。例えば、上位レイヤパラメータがビーム管理を示すとき、１つ以上のＳＲＳリソースセットのそれぞれの中のＳＲＳリソースがある時点で送信されることができる。ＵＥは、異なるＳＲＳリソースセット内に１つ以上のＳＲＳリソースを同時に送信することができる。新無線ネットワークは、非周期的、周期的、および／または半永続的なＳＲＳ送信をサポートすることができる。ＵＥは、１つ以上のトリガタイプに基づいてＳＲＳリソースを送信することができ、その１つ以上のトリガタイプは、上位レイヤシグナリング（例えば、ＲＲＣ）、および／または１つ以上のＤＣＩフォーマット（例えば、少なくとも１つのＤＣＩフォーマットを用いて、ＵＥが、１つ以上の構成されたＳＲＳリソースセットのうちの少なくとも１つを選択することができる）を含むことができる。ＳＲＳトリガタイプ０は、上位レイヤのシグナリングに基づいてトリガされたＳＲＳを指すことができる。ＳＲＳトリガタイプ１は、１つ以上のＤＣＩフォーマットに基づいてトリガされたＳＲＳを指すことができる。一例において、ＰＵＳＣＨ５０３およびＳＲＳ５０８が同じスロットで送信される場合、ＵＥは、ＰＵＳＣＨ５０３および対応するアップリンクＤＭ−ＲＳ５０６の送信後にＳＲＳ５０８を送信するように構成されることができる。
【００９８】
一例では、基地局は、以下のうちの少なくとも１つを示す１つ以上のＳＲＳ構成パラメータを用いてＵＥを準統計学的に構成することができる：ＳＲＳリソース構成識別子、ＳＲＳポート数、ＳＲＳリソース構成の時間領域挙動（例えば、周期的、半永続的、または非周期的なＳＲＳの表示）、周期的および／または非周期的ＳＲＳリソースのためのスロット（ミニスロット、および／またはサブフレーム）レベル周期性および／またはオフセット、ＳＲＳリソース内のＯＦＤＭシンボル数、ＳＲＳリソースのＯＦＤＭシンボル開始、ＳＲＳ帯域幅、周波数ホッピング帯域幅、サイクリックシフト、および／またはＳＲＳシーケンスＩＤ。
【００９９】
一例では、ある時間領域では、ＳＳ／ＰＢＣＨブロックは、ＳＳ／ＰＢＣＨブロック内に１つ以上のＯＦＤＭシンボル（例えば、０〜３まで増加順で番号付けられた４つのＯＦＤＭシンボル）を含むことができる。ＳＳ／ＰＢＣＨブロックは、ＰＳＳ／ＳＳＳ５２１およびＰＢＣＨ５１６を含むことができる。一例において、周波数領域では、ＳＳ／ＰＢＣＨブロックは、ＳＳ／ＰＢＣＨブロック内部に１つ以上の連続サブキャリア（例えば、０〜２３９まで増加順で番号付けられたサブキャリアを伴う２４０個の連続サブキャリア）を含むことができる。例えば、ＰＳＳ／ＳＳＳ５２１は、１個のＯＦＤＭシンボル、および１２７個のサブキャリアを占有することができる。例えば、ＰＢＣＨ５１６は、３つのＯＦＤＭシンボルと２４０のサブキャリアにまたがってもよい。ＵＥは、同じブロックインデックスを用いて伝送された１つ以上のＳＳ／ＰＢＣＨブロックが、例えば、ドップラー拡散、ドップラーシフト、平均利得、平均遅延、および空間Ｒｘパラメータに関して、おおよそ同じ位置に配置され得ることを想定することができる。ＵＥは、他のＳＳ／ＰＢＣＨブロック伝送の場合、おおよそ同じ位置の配置を想定することはできない。ＳＳ／ＰＢＣＨブロックの周期性は、無線ネットワーク（例えば、ＲＲＣシグナリングによる）によって構成されることができ、ＳＳ／ＰＢＣＨブロックを送信することができる１つ以上の時間場所は、サブキャリア間隔によって決定されることができる。一例では、無線ネットワークが、別のサブキャリア間隔を想定するようにＵＥを構成しない限り、ＵＥは、ＳＳ／ＰＢＣＨブロックの帯域固有のサブキャリア間隔を想定することができる。
【０１００】
一例では、ダウンリンクＣＳＩ−ＲＳ５２２を用いて、ＵＥがチャネル状態情報を取得することができる。無線ネットワークは、ダウンリンクＣＳＩ−ＲＳ５２２の周期的、非周期的、および／または半永続的な伝送をサポートすることができる。例えば、基地局は、ダウンリンクＣＳＩ−ＲＳ５２２の周期的伝送を用いてＵＥを準統計学的に構成および／または再構成することができる。構成されたＣＳＩ−ＲＳリソースは、作動および／または停止させることができる。半永続的な伝送の場合、ＣＳＩ−ＲＳリソースの作動および／または停止は、動的にトリガすることができる。一例では、ＣＳＩ−ＲＳ構成は、少なくともアンテナポート数を示す１つ以上のパラメータを含むことができる。例えば、基地局は、３２個のポートを有するＵＥを構成することができる。基地局は、１つ以上のＣＳＩ−ＲＳリソースセットを有するＵＥを準統計学的に構成することができる。１つ以上のＣＳＩ−ＲＳリソースを、１つ以上のＣＳＩ−ＲＳリソースセットから１つ以上のＵＥに割り当てることができる。例えば、基地局は、ＣＳＩ  ＲＳリソースマッピングを示す１つ以上のパラメータ、例えば、１つ以上のＣＳＩ−ＲＳリソースの時間領域位置、ＣＳＩ−ＲＳリソースの帯域幅、および／または周期性を準統計学的に構成することができる。一例では、ダウンリンクＣＳＩ−ＲＳ５２２およびコアセットが空間的におおよそ同じ場所に配置されている場合、ＵＥは、ダウンリンクＣＳＩ−ＲＳ５２２および制御リソースセット（コアセット）に対して同じＯＦＤＭシンボルを用いるように構成されることができ、ダウンリンクＣＳＩ−ＲＳ５２２と関連付けられたリソース要素は、コアセットのために構成されたＰＲＢの外側にある。一例では、ダウンリンクＣＳＩ−ＲＳ５２２およびＳＳＢ／ＰＢＣＨが空間的におおよそ同じ場所に配置されている場合、ＵＥは、ダウンリンクＣＳＩ−ＲＳ５２２およびＳＳＢ／ＰＢＣＨに対して同じＯＦＤＭシンボルを用いるように構成されることができ、ダウンリンクＣＳＩ−ＲＳ５２２と関連付けられたリソース要素は、ＳＳＢ／ＰＢＣＨのために構成されたＰＲＢの外側にある。
【０１０１】
一例では、ＵＥは、チャネル推定のために、例えば、１つ以上のダウンリンク物理チャネル（例えば、ＰＤＳＣＨ５１４）のコヒーレント復調を行うために、１つ以上のダウンリンクＤＭ−ＲＳ５２３を基地局に送信することができる。例えば、無線ネットワークは、データ復調のための、１つ以上の可変および／または構成可能なＤＭ−ＲＳパターンをサポートすることができる。少なくとも１つのダウンリンクＤＭ−ＲＳ構成は、フロントロードＤＭ−ＲＳパターンをサポートすることができる。フロントロードＤＭ−ＲＳは、１つ以上のＯＦＤＭシンボル（例えば、１つまたは２つの隣接ＯＦＤＭシンボル）の上にマッピングされることができる。基地局は、ＰＤＳＣＨ５１４のためのフロントロードＤＭ−ＲＳシンボルの最大数を用いてＵＥを準統計学的に構成することができる。例えば、ＤＭ−ＲＳ構成は、１つ以上のＤＭ−ＲＳポートをサポートすることができる。例えば、シングルユーザ−ＭＩＭＯの場合、ＤＭ−ＲＳ構成は、少なくとも８個の直交ダウンリンクＤＭ−ＲＳポートをサポートすることができる。例えば、マルチユーザ−ＭＩＭＯの場合、ＤＭ−ＲＳ構成は、１２個の直交ダウンリンクＤＭ−ＲＳポートをサポートすることができる。無線ネットワークは、例えば、少なくともＣＰ−ＯＦＤＭの場合、ＤＬおよびＵＬのための共通ＤＭ−ＲＳ構造をサポートすることができ、ＤＭ−ＲＳ位置、ＤＭ−ＲＳパターン、および／またはスクランブリングシーケンスは、同じであっても、または異なっていてもよい。
【０１０２】
一例では、ダウンリンクＰＴ−ＲＳ５２４が存在するか否かは、ＲＲＣ構成に依存することができる。例えば、ダウンリンクＰＴ−ＲＳ５２４の存在は、ＵＥ固有に構成されることができる。例えば、スケジュールされたリソース内のダウンリンクＰＴ−ＲＳ５２４の存在および／またはパターンは、ＲＲＣシグナリング、および／または、ＤＣＩによって示され得る他の目的（例えば、ＭＣＳ）のために用いられる１つ以上のパラメータとの関連付けとの組み合わせによってＵＥ固有に構成されることができる。構成されると、ダウンリンクＰＴ−ＲＳ  ５２４の動的存在は、少なくともＭＣＳを含む１つ以上のＤＣＩパラメータと関連付けられることができる。無線ネットワークは、時間／周波数領域において画定される複数のＰＴ−ＲＳ密度をサポートすることができる。周波数領域密度は、それが存在する場合、スケジュールされた帯域幅の少なくとも１つの構成と関連付けられることができる。ＵＥは、ＤＭＲＳポートおよびＰＴ−ＲＳポートのための同じプリコーディングを想定し得る。ＰＴ−ＲＳポート数は、スケジュールされたリソース内のＤＭ−ＲＳポート数よりも少ない場合がある。例えば、ダウンリンクＰＴ−ＲＳ５２４は、ＵＥのためのスケジュールされた時間／周波数持続時間内に制限する場合がある。
【０１０３】
図６は、本開示の実施形態の一態様による、キャリアの例示的なフレーム構造を示す図である。マルチキャリアＯＦＤＭ通信システムでは、１つ以上のキャリアを含むことができ、例えば、キャリアアグリゲーションの場合には、１〜３２個のキャリアに、またはデュアルコネクティビティの場合には、１〜６４個のキャリアに及ぶ。異なる無線フレーム構造をサポートすることができる（例えば、ＦＤＤおよびＴＤＤデュプレックスメカニズムの場合）。図６は、例示的なフレーム構造を示す。ダウンリンクおよびアップリンク伝送は、無線フレーム６０１内に構成されることができる。この例では、無線フレーム持続時間は、１０ミリ秒である。この例では、１０ミリ秒の無線フレーム６０１は、１ミリ秒の持続時間を有する、１０個の等しいサイズのサブフレーム６０２に分割することができる。サブフレームは、サブキャリア間隔および／またはＣＰ長に応じて１つ以上のスロット（例えばスロット６０３および６０５）を含むことができる。例えば、１５ｋＨｚ、３０ｋＨｚ、６０ｋＨｚ、１２０ｋＨｚ、２４０ｋＨｚ、および４８０ｋＨｚのサブキャリア間隔を有するサブフレームは、それぞれ、１個、２個、４個、８個、１６個、および３２個のスロットを含むことができる。図６では、サブフレームは、０．５ミリ秒の持続時間を有する、２個の等しいサイズのスロット６０３に分割することができる。例えば、１０個のサブフレームは、ダウンリンク伝送に利用可能であり得、１０個のサブフレームは、１０ミリ秒の時間間隔でのアップリンク伝送に利用可能であり得る。アップリンクおよびダウンリンク伝送は、周波数領域内で分離することができる。スロットは、複数のＯＦＤＭシンボル６０４を含むことができる。スロット６０５内のＯＦＤＭシンボル６０４の数は、サイクリックプレフィックス長さに依存することができる。例えば、１つのスロットは、通常のＣＰを有する、最大４８０ｋＨｚの同じサブキャリア間隔で１４個のＯＦＤＭシンボルとすることができる。１つのスロットは、拡張されたＣＰを有する、６０ｋＨｚの同じサブキャリア間隔で１２個のＯＦＤＭシンボルとすることができる。スロットは、ダウンリンク、アップリンク、またはダウンリンク部分および／またはアップリンク部分、および／または同様のものを含むことができる。
【０１０４】
図７Ａは、本開示の実施形態の一態様による、例示的なＯＦＤＭサブキャリアセットを示す図である。この例において、ｇＮＢは、例示的なチャネル帯域幅７００を有するキャリアを有する無線デバイスと通信することができる。図内の矢印は、マルチキャリアＯＦＤＭシステム内のサブキャリアを示すことができる。ＯＦＤＭシステムは、ＯＦＤＭ技術、ＳＣ−ＦＤＭＡ技術、および／または同様のものなどの技術を使用することができる。一例では、矢印７０１は、情報シンボルを伝送するサブキャリアを示す。一例では、キャリア内の２つの隣接するサブキャリア間のサブキャリア間隔７０２は、１５ＫＨｚ、３０ＫＨｚ、６０ＫＨｚ、１２０ＫＨｚ、２４０ＫＨｚなどのうちの任意の１つとすることができる。一例では、異なるサブキャリア間隔は、異なる伝送ヌメロロジに対応することができる。一例では、伝送ヌメロロジは、少なくともヌメロロジインデックス、サブキャリア間隔の値、サイクリックプレフィックス（ＣＰ）のタイプを含むことができる。一例では、ｇＮＢは、キャリア内の多数のサブキャリア７０３上でＵＥに送信する／ＵＥから受信することができる。一例では、多数のサブキャリア７０３により占有される帯域幅（伝送帯域幅）は、保護帯域７０４および７０５に起因して、キャリアのチャネル帯域幅７００よりも小さくてもよい。一例では、保護帯域７０４および７０５を使用して、１つ以上の近隣のキャリアへ／それからの干渉を低減することができる。キャリア内のサブキャリア（伝送帯域幅）の数は、キャリアのチャネル帯域幅、およびサブキャリア間隔に依存することができる。例えば、２０ＭＨｚチャネル帯域幅および１５ＫＨｚサブキャリア間隔を有するキャリアの場合、伝送帯域幅は、１０２４個のサブキャリア数とすることができる。
【０１０５】
一例では、ｇＮＢおよび無線デバイスは、ＣＡを用いて構成されると、複数のＣＣと通信することができる。一例では、異なるコンポーネントキャリアは、ＣＡがサポートされている場合、異なる帯域幅および／またはサブキャリア間隔を有することができる。一例では、ｇＮＢは、第１のコンポーネントキャリア上のＵＥに第１のタイプのサービスを伝送することができる。ｇＮＢは、第２のコンポーネントキャリア上のＵＥに第２のタイプのサービスを伝送することができる。異なるタイプのサービスは、異なるサービス要件（例えば、データレート、待ち時間、信頼性）を有し得、これらは、異なるサブキャリア間隔および／または帯域幅を有する異なるコンポーネントキャリアを介した伝送に好適とすることができる。図７Ｂは、例示的な実施形態を示す。第１のコンポーネントキャリアは、第１のサブキャリア間隔７０９を有する第１の数のサブキャリア７０６を含むことができる。第２のコンポーネントキャリアは、第２のサブキャリア間隔７１０を有する第２の数のサブキャリア７０７を含むことができる。第３のコンポーネントキャリアは、第３のサブキャリア間隔７１１を有する第３の数のサブキャリア７０８を含むことができる。マルチキャリアＯＦＤＭ通信システムのキャリアは、連続キャリア、非連続キャリア、または連続キャリアと非連続キャリアの双方の組み合わせであってもよい。
【０１０６】
図８は、本開示の実施形態の一態様による、ＯＦＤＭ無線リソースを示す図である。一例では、キャリアは、伝送帯域幅８０１を有することができる。一例では、リソースグリッドは、周波数領域８０２および時間領域８０３の構造内にあることができる。一例において、リソースグリッドは、サブフレーム内の第１の数のＯＦＤＭシンボル、および第２の数のリソースブロックを含むことができ、伝送ヌメロロジおよびキャリアのために、上位レイヤシグナリング（例えば、ＲＲＣシグナリング）によって示された共通リソースブロックから開始する。一例において、リソースグリッドでは、サブキャリアインデックスおよびシンボルインデックスにより識別されたリソースユニットは、リソース要素８０５とすることができる。一例では、サブフレームは、キャリアと関連付けられたヌメロロジに応じて第１の数のＯＦＤＭシンボル８０７を含むことができる。例えば、キャリアのヌメロロジのサブキャリア間隔が１５ＫＨｚである場合、サブフレームは、キャリアに対して１４個のＯＦＤＭシンボルを有することができる。ヌメロロジのサブキャリア間隔が３０ＫＨｚである場合、サブフレームは、２８個のＯＦＤＭシンボルを有することができる。ヌメロロジのサブキャリア間隔が６０ＫＨｚである場合、サブフレームは、５６個のＯＦＤＭシンボルなどを有することができる。一例において、キャリアのリソースグリッド内に含まれる第２の数のリソースブロックは、キャリアの帯域幅およびヌメロロジに依存することができる。
【０１０７】
図８に示すように、リソースブロック８０６は、１２個のサブキャリアを含むことができる。一例では、複数のリソースブロックは、リソースブロックグループ（ＲＢＧ）８０４にグループ化することができる。一例では、ＲＢＧのサイズは、ＲＢＧサイズ構成を示すＲＲＣメッセージ、キャリア帯域幅のサイズ、またはキャリアの帯域幅部のうちの少なくとも１つに依存することができる。一例では、キャリアは、複数の帯域幅部を含むことができる。キャリアの第１の帯域幅部は、キャリアの第２の帯域幅部とは異なる周波数位置および／または帯域幅を有することができる。
【０１０８】
一例では、ｇＮＢは、ダウンリンクまたはアップリンクリソースブロック割り当てを含むダウンリンク制御情報を無線デバイスに伝送することができる。基地局は、ダウンリンク制御情報および／またはＲＲＣメッセージ内のパラメータにしたがって、１つ以上のリソースブロックおよび１つ以上のスロットを介してスケジュールされて送信されたデータパケット（例えばトランスポートブロック）を無線デバイスに送信または無線デバイスから受信することができる。一例では、１つ以上のスロットの第１のスロットに対する開始シンボルを無線デバイスに示すことができる。一例では、ｇＮＢは、１つ以上のＲＢＧおよび１つ以上のスロットにスケジュールされたデータパケットを、無線デバイスに送信し、または無線デバイスから受信することができる。
【０１０９】
一例では、ｇＮＢは、１つ以上のＰＤＣＣＨを介して無線デバイスにダウンリンク割り当てを含むダウンリンク制御情報を送信することができる。ダウンリンク割り当ては、少なくとも変調およびコーディングフォーマットを示すパラメータ、リソース割り当て、および／または、ＤＬ−ＳＣＨに関するＨＡＲＱ情報を含むことができる。一例では、リソース割り当ては、リソースブロック割り当てのパラメータ、および／またはスロット割り当てを含むことができる。一例では、ｇＮＢは、１つ以上のＰＤＣＣＨ上のセル無線ネットワーク一時識別子（Ｃ−ＲＮＴＩ）を介して無線デバイスにリソースを動的に割り当てることができる。無線デバイスは、１つ以上のＰＤＣＣＨをモニタして、無線デバイスのダウンリンク受信が可能であるときに可能な割り当てを見出すことができる。無線デバイスは、１つ以上のＰＤＣＣＨを正常に検出する場合、１つ以上のＰＤＣＣＨによりスケジュールされた１つ以上のＰＤＳＣＨ上に１つ以上のダウンリンクデータパッケージを受信することができる。
【０１１０】
一例では、ｇＮＢは、無線デバイスへのダウンリンク伝送のための構成スケジューリング（ＣＳ）リソースを割り当てることができる。ｇＮＢは、ＣＳ許可の周期性を示す１つ以上のＲＲＣメッセージを伝送することができる。ｇＮＢは、ＣＳリソースを作動させる構成スケジューリング−ＲＮＴＩ（ＣＳ−ＲＮＴＩ）にアドレス指定されたＰＤＣＣＨを介してＤＣＩを伝送することができる。ＤＣＩは、ダウンリンク許可がＣＳ許可であることを示すパラメータを含むことができる。ＣＳ許可は、１つ以上のＲＲＣメッセージにより定義された周期性にしたがって、停止されるまで、暗黙的に再使用することができる。
【０１１１】
一例では、ｇＮＢは、１つ以上のＰＤＣＣＨを介して無線デバイスにアップリンク許可を含むダウンリンク制御情報を送信することができる。アップリンク許可は、少なくとも変調およびコーディングフォーマットを示すパラメータ、リソース割り当て、および／または、ＵＬ−ＳＣＨに関するＨＡＲＱ情報を含むことができる。一例では、リソース割り当ては、リソースブロック割り当てのパラメータ、および／またはスロット割り当てを含むことができる。一例では、ｇＮＢは、１つ以上のＰＤＣＣＨ上のＣ−ＲＮＴＩを介して無線デバイスにリソースを動的に割り当てることができる。無線デバイスは、可能なリソース割り当てを見出すために、１つ以上のＰＤＣＣＨをモニタすることができる。無線デバイスは、１つ以上のＰＤＣＣＨを正常に検出する場合、１つ以上のＰＤＣＣＨによりスケジュールされた１つ以上のＰＵＳＣＨを介して１つ以上のアップリンクデータパッケージを送信することができる。
【０１１２】
一例では、ｇＮＢは、無線デバイスへのアップリンクデータ伝送のためのＣＳリソースを割り当てることができる。ｇＮＢは、ＣＳ許可の周期性を示す１つ以上のＲＲＣメッセージを伝送することができる。ｇＮＢは、ＣＳリソースを作動させるＣＳ−ＲＮＴＩにアドレス指定されたＰＤＣＣＨを介してＤＣＩを伝送することができる。ＤＣＩは、アップリンク許可がＣＳ許可であることを示すパラメータを含むことができる。ＣＳ許可は、１つ以上のＲＲＣメッセージにより定義された周期性にしたがって、停止されるまで、暗黙的に再使用することができる。
【０１１３】
一例において、基地局は、ＰＤＣＣＨを介してＤＣＩ／制御シグナリングを伝送することができる。ＤＣＩは、複数のフォーマット中の１つのフォーマットを取ることができる。ＤＣＩは、ダウンリンクおよび／またはアップリンクスケジューリング情報（例えば、リソース割り当て情報、ＨＡＲＱ関連パラメータ、ＭＣＳ）、ＣＳＩの要求（例えば、非周期的ＣＱＩレポート）、ＳＲＳの要求、１つ以上のセルに対するアップリンクパワー制御コマンド、１つ以上のタイミング情報（例えば、ＴＢ伝送／受信タイミング、ＨＡＲＱフィードバックタイミングなど）などを含むことができる。一例では、ＤＣＩは、１つ以上のトランスポートブロックのための伝送パラメータを含むアップリンク許可を示すことができる。一例では、ＤＣＩは、１つ以上のトランスポートブロックを受信するためのパラメータを示すダウンリンク割り当てを示すことができる。一例では、ＤＣＩは、基地局によって使用されて、無線デバイスにおいて競合なしランダムアクセスを開始することができる。一例では、基地局は、スロットフォーマットを通知するスロットフォーマットインジケータ（ＳＦＩ）を含むＤＣＩを伝送することができる。一例では、基地局は、ＰＲＢおよび／またはＯＦＤＭシンボルを通知するプリエンプション表示を含むＤＣＩを伝送することができ、そこでは、ＵＥは、ＵＥのための伝送が意図されていないことを想定することができる。一例では、基地局は、ＰＵＣＣＨまたはＰＵＳＣＨまたはＳＲＳのグループパワー制御のためのＤＣＩを伝送することができる。一例では、ＤＣＩは、ＲＮＴＩに対応することができる。一例では、無線デバイスは、初期アクセス（例えばＣ−ＲＮＴＩ）を完了することに応答してＲＮＴＩを取得することができる。一例では、基地局は、無線用のＲＮＴＩ（例えば、ＣＳ−ＲＮＴＩ、ＴＰＣ−ＣＳ−ＲＮＴＩ、ＴＰＣ−ＰＵＣＣＨ−ＲＮＴＩ、ＴＰＣ−ＰＵＳＣＨ−ＲＮＴＩ、ＴＰＣ−ＳＲＳ−ＲＮＴＩ）を構成することができる。一例では、無線デバイスは、ＲＮＴＩを計算することができる（例えば、無線デバイスは、プリアンブルの伝送のために使用されるリソースに基づいて、ＲＡ−ＲＮＴＩを計算することができる）。一例では、ＲＮＴＩは、事前構成された値（例えば、Ｐ−ＲＮＴＩまたはＳＩ−ＲＮＴＩ）を有することができる。一例では、無線デバイスは、グループ共通探索空間をモニタすることができ、その空間は、基地局によって使用されてＵＥのグループのために意図されているＤＣＩを伝送する。一例では、グループ共通ＤＣＩは、ＵＥのグループのために共通して構成されているＲＮＴＩに対応することができる。一例では、無線デバイスは、ＵＥ固有の探索空間をモニタすることができる。一例では、ＵＥ固有のＤＣＩは、無線デバイスのために構成されたＲＮＴＩに対応することができる。
【０１１４】
ＮＲシステムは、単一ビーム動作および／またはマルチビーム動作をサポートすることができる。マルチビーム動作において、基地局は、ダウンリンクビーム掃引を実行して、共通制御チャネルおよび／またはダウンリンクＳＳブロックのカバレッジを提供することができ、このカバレッジは、少なくともＰＳＳ、ＳＳＳ、および／またはＰＢＣＨを含むことができる。無線デバイスは、１つ以上のＲＳを使用して、ビームペアリンクの品質を測定することができる。１つ以上のＳＳブロック、またはＣＳＩ−ＲＳリソースインデックス（ＣＲＩ）と関連付けられた１つ以上のＣＳＩ−ＲＳリソース、またはＰＢＣＨの１つ以上のＤＭ−ＲＳを、ビームペアリンクの品質を測定するためのＲＳとして使用することができる。ビームペアリンクの品質は、基準信号受信パワー（ＲＳＲＰ）値、または基準信号受信品質（ＲＳＲＱ）値、および／またはＲＳリソース上で測定されたＣＳＩ値として定義することができる。基地局は、ビームペアリンクの品質を測定するために使用されるＲＳリソースが、制御チャネルのＤＭ−ＲＳとおおよそ同じ場所に配置されている（ＱＣＬｅｄ）かどうかを示すことができる。制御チャネルのＲＳリソースおよびＤＭ−ＲＳは、ＲＳ上の伝送から無線デバイスへの、および制御チャネル上の伝送から無線デバイスへのチャネル特性が、構成された基準の下で類似しているとき、または同じであるときに、ＱＣＬｅｄと呼ばれることがある。マルチビーム動作において、無線デバイスは、アップリンクビーム掃引を実行して、セルにアクセスすることができる。
【０１１５】
一例では、無線デバイスは、無線デバイスの能力に応じて、１つ以上のビームペアリンク上のＰＤＣＣＨを同時にモニタするように構成されることができる。これは、ビームペアリンクのブロッキングに対するロバスト性を向上させることができる。基地局は、１つ以上のメッセージを伝送して、異なるＰＤＣＣＨ  ＯＦＤＭシンボルの１つ以上のビームペアリンク上のＰＤＣＣＨをモニタするように無線デバイスを構成することができる。例えば、基地局は、１つ以上のビームペアリンク上のＰＤＣＣＨをモニタするための無線デバイスのＲｘビーム設定に関するパラメータを含む、上位レイヤシグナリング（例えば、ＲＲＣシグナリング）またはＭＡＣ  ＣＥを伝送することができる。基地局は、ＤＬ  ＲＳアンテナポート（例えば、セル固有のＣＳＩ−ＲＳ、無線デバイス固有のＣＳＩ−ＲＳ、ＳＳブロック、またはＰＢＣＨのＤＭ−ＲＳを用いる、もしくは用いないＰＢＣＨ）と、ＤＬ制御チャネルの復調のためのＤＬ  ＲＳアンテナポートとの間で、空間的なＱＣＬ仮定の表示を伝送することができる。ＰＤＣＣＨのビーム表示のためのシグナリングは、ＭＡＣ  ＣＥシグナリング、またはＲＲＣシグナリング、またはＤＣＩシグナリング、または仕様透過的および／もしくは暗黙的方法、ならびにこれらのシグナリング方法の組み合わせとすることができる。
【０１１６】
ユニキャストＤＬデータチャネルの受信の場合、基地局は、ＤＬデータチャネルのＤＬ  ＲＳアンテナポートとＤＭ−ＲＳアンテナポートとの間の空間ＱＣＬパラメータを示すことができる。基地局は、ＲＳアンテナポートを示す情報を含むＤＣＩ（例えば、ダウンリンク許可）を伝送することができる。この情報は、ＤＭ−ＲＳアンテナポートを用いてＱＣＬされ得るＲＳアンテナポートを示すことができる。ＤＬデータチャネルのＤＭ−ＲＳアンテナポート（複数可）の異なるセットは、ＲＳアンテナポートの異なるセットを用いてＱＣＬとして示すことができる。
【０１１７】
図９Ａは、ＤＬチャネルにおけるビーム掃引の例である。ＲＲＣ＿ＩＮＡＣＴＩＶＥ状態またはＲＲＣ＿ＩＤＬＥ状態では、無線デバイスは、ＳＳブロックがＳＳバースト９４０およびＳＳバーストセット９５０を形成すると想定され得る。ＳＳバーストセット９５０は、所定の周期性を有することができる。例えば、マルチビーム動作では、基地局１２０は、一緒にＳＳバースト９４０を形成するＳＳブロックを複数のビームで伝送することができる。１つ以上のＳＳブロックが、１つのビーム上で伝送されることができる。複数のＳＳバースト９４０が複数のビームで伝送される場合、ＳＳバーストは一緒にＳＳバーストセット９５０を形成することができる。
【０１１８】
無線デバイスは、無線デバイスと基地局との間のリンクのビーム品質を推定するためのマルチビーム動作においてＣＳＩ−ＲＳをさらに使用することができる。ビームは、ＣＳＩ−ＲＳと関連付けることができる。例えば、無線デバイスは、ＣＳＩ−ＲＳ上でのＲＳＲＰ測定に基づいて、ダウンリンクビーム選択のＣＲＩで示され、ビームのＲＳＲＰ値と関連付けられるように、ビームインデックスをレポートすることができる。ＣＳＩ−ＲＳは、１つ以上のアンテナポートのうちの少なくとも１つ、１つ以上の時間無線リソースまたは周波数無線リソースを含むＣＳＩ−ＲＳリソース上で伝送されることができる。ＣＳＩ−ＲＳリソースは、共通のＲＲＣシグナリングによるセル固有の方式で、または専用のＲＲＣシグナリングおよび／またはＬ１／Ｌ２シグナリングによる無線デバイス固有の方式で構成されることができる。セルがカバーする複数の無線デバイスは、セル固有のＣＳＩ−ＲＳリソースを測定することができる。セルがカバーする無線デバイスの専用サブセットは、無線デバイス固有のＣＳＩ−ＲＳリソースを測定することができる。
【０１１９】
ＣＳＩ−ＲＳリソースは、周期的に、または非周期的伝送を使用して、またはマルチショットまたは半永続的な伝送を使用して、伝送されることができる。例えば、図９Ａの周期的な伝送では、基地局１２０は、時間領域で構成された周期性を使用して、構成されたＣＳＩ−ＲＳリソース９４０を周期的に伝送することができる。非周期的伝送では、構成されたＣＳＩ−ＲＳリソースは、専用タイムスロットで伝送されることができる。マルチショットまたは半永続的な伝送では、構成されたＣＳＩ−ＲＳリソースは、構成された期間内に伝送されることができる。ＣＳＩ−ＲＳ伝送に使用されるビームは、ＳＳブロック伝送に使用されるビームとは異なるビーム幅を有することができる。
【０１２０】
図９Ｂは、例示的な新無線ネットワークにおけるビーム管理プロシージャの例である。基地局１２０および／または無線デバイス１１０は、ダウンリンクＬ１／Ｌ２ビーム管理プロシージャを実行することができる。以下のダウンリンクＬ１／Ｌ２ビーム管理プロシージャのうちの１つ以上は、１つ以上の無線デバイス１１０および１つ以上の基地局１２０内で実行され得る。一例において、Ｐ−１プロシージャ９１０を使用して、無線デバイス１１０が基地局１２０と関連付けられた１つ以上の伝送（Ｔｘ）ビームを測定して、基地局１２０と関連付けられた第１のセットのＴｘビームと、無線デバイス１１０と関連付けられた第１のセットのＲｘビームと、の選択をサポートできるようにすることができる。基地局１２０でのビームフォーミングのために、基地局１２０は、異なるＴＸビームのセットを掃引することができる。無線デバイス１１０でのビームフォーミングの場合、無線デバイス１１０は、異なるＲｘビームのセットを掃引することができる。一例では、Ｐ−２プロシージャ９２０を使用して、無線デバイス１１０が基地局１２０と関連付けられた１つ以上のＴｘビームを測定して、場合によっては、基地局１２０と関連付けられた第１のセットのＴｘビームを変更できるようにすることができる。Ｐ−２プロシージャ９２０は、Ｐ−１プロシージャ９１０におけるものとは異なり、場合によっては、ビーム改良のためにより小さいビームのセットに対して実行されてもよい。Ｐ−２プロシージャ９２０は、Ｐ−１プロシージャ９１０の特別な場合であり得る。一例では、Ｐ−３プロシージャ９３０を使用して、無線デバイス１１０が基地局１２０と関連付けられた少なくとも１つのＴｘビームを測定して、無線デバイス１１０と関連付けられた第１のセットのＲｘビームを変更できるようにすることができる。
【０１２１】
無線デバイス１１０は、１つ以上のビーム管理レポートを基地局１２０に伝送することができる。１つ以上のビーム管理レポートでは、無線デバイス１１０は、少なくとも１つ以上のビーム識別、ＲＳＲＰ、構成されたビームのサブセットのプリコーディング行列インジケータ（ＰＭＩ）／チャネル品質インジケータ（ＣＱＩ）／ランクインジケータ（ＲＩ）を含むいくつかのビームペア品質パラメータを示すことができる。１つ以上のビーム管理レポートに基づいて、基地局１２０は、１つ以上のビームペアリンクが１つ以上のサービングビームであることを示す信号を無線デバイス１１０に伝送することができる。基地局１２０は、１つ以上のサービングビームを使用して無線デバイス１１０のＰＤＣＣＨおよびＰＤＳＣＨを伝送することができる。
【０１２２】
例示的な実施形態において、新無線ネットワークは、帯域幅適応（ＢＡ）をサポートすることができる。一例では、ＢＡを用いるＵＥによって構成された受信および／または送信帯域幅は、大きくなくてもよい。例えば、受信および／または送信帯域幅は、セルの帯域幅ほど大きくなくてもよい。受信および／または送信帯域幅は、調節可能であってもよい。例えば、ＵＥは、例えば低電力の期間中に電力を節約するために縮小するために受信および／または送信帯域幅を変更することができる。例えば、ＵＥは、周波数領域内の受信および／または送信帯域幅の位置を変化させることができ、例えば、スケジューリングのフレキシブル性を高めることができる。例えば、ＵＥは、サブキャリア間隔を変化させて、例えば、異なるサービスを可能にすることができる。
【０１２３】
例示的な実施形態において、セルの全セル帯域幅のサブセットは、帯域幅部（ＢＷＰ）と呼ばれることがある。基地局は、１つ以上のＢＷＰを用いてＵＥを構成してＢＡを達成することができる。例えば、基地局は、ＵＥに対して、１つ以上の（構成された）ＢＷＰのうちのどれが能動ＢＷＰであるかを示すことができる。
【０１２４】
図１０は、４０ＭＨｚの幅および１５ｋＨｚのサブキャリア間隔を有するＢＷＰ１（１０１０および１０５０）、１０ＭＨｚの幅および１５ｋＨｚのサブキャリア間隔を有するＢＷＰ２（１０２０および１０４０）、２０ＭＨｚの幅および６０ｋＨｚのサブキャリア間隔を有するＢＷＰ３  １０３０、で構成された３つのＢＷＰの例示的な図である。
【０１２５】
一例では、ＵＥは、１個のセルの１つ以上のＢＷＰ内で動作するように構成され、１個のセルにつき１つ以上の上位レイヤ（例えば、ＲＲＣレイヤ）、少なくとも１つのパラメータＤＬ−ＢＷＰによるＤＬ帯域幅内の、ＵＥ（ＤＬ  ＢＷＰセット）による受信のための１つ以上のＢＷＰ（例えば、最大４つのＢＷＰ）のセット、および、１個のセルにつき少なくとも１つのパラメータＵＬ−ＢＷＰによるＵＬ帯域幅内の、ＵＥ（ＵＬ  ＢＷＰセット）による送信のための１つ以上のＢＷＰ（例えば、最大４つのＢＷＰ）のセット、によって構成されることができる。
【０１２６】
ＰＣｅｌｌでのＢＡを可能にするため、基地局は、１つ以上のＵＬおよびＤＬ  ＢＷＰペアを用いてＵＥを構成することができる。ＳＣｅｌｌ上で（例えば、ＣＡの場合に）ＢＡを有効にするために、基地局は、少なくとも１つ以上のＤＬ  ＢＷＰでＵＥを構成することができる（例えば、ＵＬには存在しないことがある）。
【０１２７】
一例では、初期能動ＤＬ  ＢＷＰは、少なくとも１つの共通探索空間のための制御リソースセットに対して、連続ＰＲＢの位置および数、サブキャリア間隔、またはサイクリックプレフィックスのうちの少なくとも１つによって定義されることができる。ＰＣｅｌｌでの動作のために、１つ以上の上位レイヤパラメータは、ランダムアクセスプロシージャのための少なくとも１つの初期ＵＬ  ＢＷＰを示すことができる。ＵＥがプライマリセルでのセカンダリキャリアを用いて構成される場合、ＵＥは、セカンダリキャリアでのランダムアクセスプロシージャのための初期ＢＷＰを用いて構成されることができる。
【０１２８】
一例では、ペアになっていないスペクトル動作の場合、ＵＥは、ＤＬ  ＢＷＰの場合の中心周波数がＵＬ  ＢＷＰの場合の中心周波数と同じであり得ることを予期することができる。
【０１２９】
例えば、１つ以上のＤＬ  ＢＷＰまたは１つ以上のＵＬ  ＢＷＰのセット内の、それぞれのＤＬ  ＢＷＰまたはＵＬ  ＢＷＰの場合、基地局は、以下のうちの少なくとも１つを示す１つ以上のパラメータを用いてセルのためのＵＥを準統計学的に構成することができる：サブキャリア間隔、サイクリックプレフィックス、連続ＰＲＢの数、１つ以上のＤＬ  ＢＷＰおよび／または１つ以上のＵＬ  ＢＷＰのセット内のインデックス、構成されたＤＬ  ＢＷＰおよびＵＬ  ＢＷＰのセットからの、ＤＬ  ＢＷＰとＵＬ  ＢＷＰとの間のリンク、ＰＤＳＣＨ受信タイミングに対するＤＣＩ検出、ＨＡＲＱ‐ＡＣＫ送信タイミング値に対するＰＤＳＣＨ受信、ＰＵＳＣＨ送信タイミング値に対するＤＣＩ検出、帯域幅の第１のＰＲＢに対する、それぞれ、ＤＬ帯域幅またはＵＬ帯域幅の第１のＰＲＢのオフセット。
【０１３０】
一例では、ＰＣｅｌｌでの１つ以上のＤＬ  ＢＷＰのセット内のＤＬ  ＢＷＰの場合、基地局は、共通探索空間および／または１つのＵＥ固有の探索空間のうちの少なくとも１つのタイプに対する１つ以上の制御リソースセットを用いてＵＥを構成することができる。例えば、基地局は、能動ＤＬ  ＢＷＰにおいて、ＰＣｅｌｌ上の共通探索空間なしで、またはＰＳＣｅｌｌ上で、ＵＥを構成することはできない。
【０１３１】
１つ以上のＵＬ  ＢＷＰのセット内にＵＬ  ＢＷＰがある場合、基地局は、１つ以上のＰＵＣＣＨ送信に対する１つ以上のリソースセットを用いてＵＥを構成することができる。
【０１３２】
一例では、ＤＣＩがＢＷＰインジケータフィールドを含む場合、ＢＷＰインジケータフィールド値は、１つ以上のＤＬ受信に対して構成されたＤＬ  ＢＷＰセットからの能動ＤＬ  ＢＷＰを示すことができる。ＤＣＩがＢＷＰインジケータフィールドを含む場合、ＢＷＰインジケータフィールド値は、１つ以上のＵＬ送信に対して構成されたＵＬ  ＢＷＰセットからの能動ＵＬ  ＢＷＰを示すことができる。
【０１３３】
一例では、ＰＣｅｌｌの場合、基地局は、構成されたＤＬ  ＢＷＰ間のデフォルトＤＬ  ＢＷＰを用いてＵＥを準統計学的に構成することができる。ＵＥがデフォルトＤＬ  ＢＷＰを提供されない場合、デフォルトＢＷＰは、初期能動ＤＬ  ＢＷＰとなり得る。
【０１３４】
一例では、基地局は、ＰＣｅｌｌのタイマー値を用いてＵＥを構成することができる。例えば、ＵＥが、ペアになっているスペクトル動作に対して、デフォルトＤＬ  ＢＷＰ以外の能動ＤＬ  ＢＷＰを示すＤＣＩを検出した場合、または、ＵＥが、ペアになっていないスペクトル動作に対して、デフォルトＤＬ  ＢＷＰまたはＵＬ  ＢＷＰ以外の能動ＤＬ  ＢＷＰまたはＵＬ  ＢＷＰを示すＤＣＩを検出した場合、ＵＥは、ＢＷＰ停止タイマーと呼ばれるタイマーを開始することができる。ＵＥは、対スペクトル動作または不対スペクトル動作のための期間中にＤＣＩを検出しない場合、第１の値の間隔（例えば、第１の値は１ミリ秒または０．５ミリ秒であり得る）だけタイマーを増分することができる。一例では、タイマーは、タイマーがそのタイマー値に等しくなったときに、満了することができる。ＵＥは、タイマーが満了したときに、能動ＤＬ  ＢＷＰからデフォルトＤＬ  ＢＷＰに切り替えることができる。
【０１３５】
一例では、基地局は、１つ以上のＢＷＰを用いてＵＥを準統計学的に構成することができる。ＵＥは、第２のＢＷＰを能動ＢＷＰとして示すＤＣＩを受信することに応答して、および／または、ＢＷＰ停止タイマーの満了（例えば、第２のＢＷＰがデフォルトＢＷＰとなり得ること）に応答して、第１のＢＷＰから第２のＢＷＰに能動ＢＷＰを切り替えることができる。例えば、図１０は、ＢＷＰ１（１０１０および１０５０）、ＢＷＰ２（１０２０および１０４０）、およびＢＷＰ３（１０３０）の、構成された３つのＢＷＰの例示的な図である。ＢＷＰ２（１０２０および１０４０）は、デフォルトＢＷＰであってもよい。ＢＷＰ１（１０１０）は、初期能動ＢＷＰであってもよい。一例では、ＵＥは、ＢＷＰ停止タイマーの満了に応答して、ＢＷＰ１  １０１０からＢＷＰ２  １０２０に能動ＢＷＰを切り替えることができる。例えば、ＵＥは、ＢＷＰ３  １０３０を能動ＢＷＰとして示すＤＣＩを受信することに応答して、ＢＷＰ２  １０２０からＢＷＰ３  １０３０に能動ＢＷＰを切り替えることができる。ＢＷＰ３  １０３０からＢＷＰ２  １０４０に、および／またはＢＷＰ２  １０４０からＢＷＰ１  １０５０に能動ＢＷＰを切り替えることは、能動ＢＷＰを示すＤＣＩを受信することに応答するものであり、かつ／またはＢＷＰ停止タイマーの満了に応答するものであってもよい。
【０１３６】
一例では、ＵＥが、構成されたＤＬ  ＢＷＰおよびタイマー値の間にデフォルトＤＬ  ＢＷＰを用いてセカンダリセルのために構成される場合、セカンダリセルでのＵＥプロシージャは、セカンダリセルのタイマー値、およびセカンダリセルのデフォルトＤＬ  ＢＷＰを使用するプライマリセルと同じであってもよい。
【０１３７】
一例では、基地局が、セカンダリセルまたはキャリア上で第１の能動ＤＬ  ＢＷＰおよび第１の能動ＵＬ  ＢＷＰを用いてＵＥを構成する場合、ＵＥは、セカンダリセル上での表示されたＤＬ  ＢＷＰ、および表示されたＵＬ  ＢＷＰを、セカンダリセルまたはキャリア上での、それぞれの第１の能動ＤＬ  ＢＷＰ、および第１の能動ＵＬ  ＢＷＰとして用いることができる。
【０１３８】
図１１Ａおよび図１１Ｂは、マルチコネクティビティ（例えば、デュアルコネクティビティ、マルチコネクティビティ、タイトインターワーキングなど）を使用するパケットフローを示す。図１１Ａは、実施形態の態様による、ＣＡおよび／またはマルチコネクティビティを用いた無線デバイス１１０（例えば、ＵＥ）のプロトコル構造の例示的な図である。図１１Ｂは、実施形態の態様による、ＣＡおよび／またはマルチコネクティビティを有する複数の基地局のプロトコル構造の例示的な図である。複数の基地局は、マスタノード、ＭＮ１１３０（例えば、マスタノード、マスタ基地局、マスタｇＮＢ、マスタｅＮＢ、および／または同様のもの）、およびセカンダリノード、ＳＮ１１５０（例えば、セカンダリノード、セカンダリ基地局、セカンダリｇＮＢ、セカンダリｅＮＢ、および／または同様のもの）を含むことができる。マスタノード１１３０およびセカンダリノード１１５０は、無線デバイス１１０と通信するように協働することができる。
【０１３９】
マルチコネクティビティが無線デバイス１１０に対して構成されている場合、無線デバイス１１０は、ＲＲＣが接続された状態で複数の受信／送信機能をサポートすることができ、複数の基地局の複数のスケジューラにより提供された無線リソースを利用するように構成されることができる。複数の基地局は、非理想的または理想的なバックホール（例えば、Ｘｎインターフェース、Ｘ２インターフェースなど）を介して相互接続されてもよい。特定の無線デバイスに対するマルチ接続に必要とされる基地局は、２つの異なる役割のうちの少なくとも一方を実行することができ、すなわち、基地局は、マスタ基地局として、またはセカンダリ基地局としていずれかの機能を果たすことができる。マルチコネクティビティでは、無線デバイスは、１つのマスタ基地局と１つ以上のセカンダリ基地局とに接続されることができる。一例では、マスタ基地局（例えばＭＮ１１３０）は、無線デバイス（例えば無線デバイス１１０）のためにプライマリセルおよび／または１つ以上のセカンダリセルを含むマスタセルグループ（ＭＣＧ）を提供することができる。セカンダリ基地局（例えばＳＮ１１５０）は、無線デバイス（例えば無線デバイス１１０）のためにプライマリセカンダリセル（ＰＳＣｅｌｌ）および／または１つ以上のセカンダリセルを含むセカンダリセルグループ（ＳＣＧ）を提供することができる。
【０１４０】
マルチコネクティビティにおいて、ベアラが用いる無線プロトコルアーキテクチャは、ベアラがどのように設定されるかに依存することができる。一例では、ベアラ設定オプションのうちの３つの異なるタイプ、すなわち、ＭＣＧベアラ、ＳＣＧベアラ、および／または分割ベアラをサポートすることができる。無線デバイスは、ＭＣＧの１つ以上のセルを介して、ＭＣＧベアラのパケットを受信／送信することができ、および／または、ＳＣＧの１つ以上のセルを介して、ＳＣＧベアラのパケットを受信／送信することができる。マルチコネクティビティはまた、セカンダリ基地局により提供される無線リソースを使用するように構成された少なくとも１つのベアラを有するものとして、説明することもできる。マルチコネクティビティは、いくつかの例示的な実施形態において、構成／実装されてもされなくてもよい。
【０１４１】
一例では、無線デバイス（例えば、無線デバイス１１０）は、ＳＤＡＰレイヤ（例えば、ＳＤＡＰ１１１０）、ＰＤＣＰレイヤ（例えば、ＮＲ  ＰＤＣＰ１１１１）、ＲＬＣレイヤ（例えば、ＭＮ  ＲＬＣ１１１４）、およびＭＡＣレイヤ（例えば、ＭＮ  ＭＡＣ１１１８）を介してＭＣＧベアラのパケット、ＳＤＡＰレイヤ（例えば、ＳＤＡＰ１１１０）、ＰＤＣＰレイヤ（例えば、ＮＲ  ＰＤＣＰ１１１２）、マスタまたはセカンダリＲＬＣレイヤ（例えば、ＭＮ  ＲＬＣ１１１５、ＳＮ  ＲＬＣ１１１６）のうちの一方、および、マスタまたはセカンダリＭＡＣレイヤ（例えば、ＭＮ  ＭＡＣ１１１８、ＳＮ  ＭＡＣ１１１９）のうちの一方を介して分割ベアラのパケット、および／またはＳＤＡＰレイヤ（例えば、ＳＤＡＰ１１１０）、ＰＤＣＰレイヤ（例えば、ＮＲ  ＰＤＣＰ１１１３）、ＲＬＣレイヤ（例えば、ＳＮ  ＲＬＣ１１１７）、およびＭＡＣレイヤ（例えば、ＭＮ  ＭＡＣ１１１９）を介してＳＣＧベアラのパケット、を送信および／または受信することができる。
【０１４２】
一例では、マスタ基地局（例えば、ＭＮ  １１３０）および／またはセカンダリ基地局（例えば、ＳＮ  １１５０）は、マスタもしくはセカンダリノードＳＤＡＰレイヤ（例えば、ＳＤＡＰ１１２０、ＳＤＡＰ１１４０）、マスタもしくはセカンダリノードＰＤＣＰレイヤ（例えば、ＮＲ  ＰＤＣＰ１１２１、ＮＲ  ＰＤＣＰ１１４２）、マスタノードＲＬＣレイヤ（例えば、ＭＮ  ＲＬＣ１１２４、ＭＮ  ＲＬＣ１１２５）、およびマスタノードＭＡＣレイヤ（例えば、ＭＮ  ＭＡＣ１１２８）を介してＭＣＧベアラのパケット、マスタもしくはセカンダリノードＳＤＡＰレイヤ（例えば、ＳＤＡＰ１１２０、ＳＤＡＰ１１４０）、マスタもしくはセカンダリノードＰＤＣＰレイヤ（例えば、ＮＲ  ＰＤＣＰ１１２２、ＮＲ  ＰＤＣＰ１１４３）、セカンダリノードＲＬＣレイヤ（例えば、ＳＮ  ＲＬＣ１１４６、ＳＮ  ＲＬＣ１１４７）、およびセカンダリノードＭＡＣレイヤ（例えば、ＳＮ  ＭＡＣ１１４８）を介してＳＣＧベアラのパケット、マスタもしくはセカンダリノードＳＤＡＰレイヤ（例えば、ＳＤＡＰ１１２０、ＳＤＡＰ１１４０）、マスタもしくはセカンダリノードＰＤＣＰレイヤ（例えば、ＮＲ  ＰＤＣＰ１１２３、ＮＲ  ＰＤＣＰ１１４１）、マスタもしくはセカンダリノードＲＬＣレイヤ（例えば、ＭＮ  ＲＬＣ１１２６、ＳＮ  ＲＬＣ１１４４、ＳＮ  ＲＬＣ１１４５、ＭＮ  ＲＬＣ１１２７）、および、マスタもしくはセカンダリノードＭＡＣレイヤ（例えば、ＭＮ  ＭＡＣ１１２８、ＳＮ  ＭＡＣ１１４８）を介して、分割ベアラのパケットを送信／受信することができる。
【０１４３】
マルチコネクティビティにおいて、無線デバイスは、複数のＭＡＣエンティティ、マスタ基地局に対する１つのＭＡＣエンティティ（例えば、ＭＮ  ＭＡＣ１１１８）、および、セカンダリ基地局に対する他のＭＡＣエンティティ（例えば、ＳＮ  ＭＡＣ１１１９）を構成することができる。マルチコネクティビティでは、無線デバイスのためのサービングセルの構成されたセットは、２つのサブセット、すなわちマスタ基地局のサービングセルを含むＭＣＧと、セカンダリ基地局のサービングセルを含むＳＣＧとを含むことができる。ＳＣＧの場合、以下の構成のうちの１つ以上が適用されることができる：ＳＣＧの少なくとも１つのセルが構成されたＵＬ  ＣＣを有し、プライマリセカンダリセル（ＰＳＣｅｌｌ、ＳＣＧのＰＣｅｌｌ、またはＰＣｅｌｌと呼ばれることもある）と呼ばれるＳＣＧの少なくとも１つのセルがＰＵＣＣＨリソースで構成されており、ＳＣＧが構成されている場合、少なくとも１つのＳＣＧベアラまたは１つのスプリットベアラが存在することができ、ＰＳＣｅｌｌにおける物理レイヤの問題またはランダムアクセスの問題の検出時、またはＳＣＧに関連付けられたＮＲ  ＲＬＣ再送信の数に到達したとき、またはＳＣＧの追加またはＳＣＧの変更中にＰＳＣｅｌｌにおけるアクセスの問題が検出されたとき、ＲＲＣ接続再確立プロシージャがトリガされなくすることができ、ＳＣＧのセルへのＵＬ送信が停止されることができ、マスタ基地局には、無線デバイスによってＳＣＧ障害タイプが通知されることができ、スプリットベアラの場合、マスタ基地局を介したＤＬデータ転送は維持されることができ、ＮＲ  ＲＬＣ肯定応答モード（ＡＭ）ベアラは、スプリットベアラについて構成されることができ、ＰＣｅｌｌおよび／またはＰＳＣｅｌｌは、非アクティブ化されることはできず、ＰＳＣｅｌｌは、ＳＣＧ変更プロシージャ（例えば、セキュリティキーの変更やＲＡＣＨプロシージャ）によって変更されることができ、および／またはスプリットベアラとＳＣＧベアラとの間のベアラタイプの変更、またはＳＣＧとスプリットベアラの同時構成は、サポートされてもされなくてもよい。
【０１４４】
マルチコネクティビティの場合の、マスタ基地局とセカンダリ基地局との間の相互作用については、以下のうちの１つ以上が適用されることができる：マスタ基地局および／またはセカンダリ基地局は、無線デバイスのＲＲＭ測定構成を維持することができ、マスタ基地局は、（例えば、受信された測定レポート、トラフィック条件、および／またはベアラタイプに基づいて）セカンダリ基地局に、無線デバイスのための追加リソース（例えばサービングセル）を提供するように要求することを決定することができ、マスタ基地局からの要求を受信すると、セカンダリ基地局は、無線デバイスのための追加サービングセルの構成となり得るコンテナを創出／変更する（または、セカンダリ基地局がそのようにするための利用可能なリソースを有さないと判定する）ことができ、ＵＥ能力協調のため、マスタ基地局は、ＡＳ構成およびＵＥ能力（の一部）をセカンダリ基地局に提供することができ、マスタ基地局およびセカンダリ基地局は、Ｘｎメッセージを介して搬送されたＲＲＣコンテナ（ノード間メッセージ）を使用することによって、ＵＥ構成についての情報を交換することができ、セカンダリ基地局は、セカンダリ基地局既存サービングセル（例えば、セカンダリ基地局に向かうＰＵＣＣＨ）の再構成を開始することができ、セカンダリ基地局は、どちらのセルがＳＣＧ内のＰＳＣｅｌｌであるかを判定することができ、マスタ基地局は、セカンダリ基地局により提供されたＲＲＣ構成の内容を変更してもしなくてもよく、ＳＣＧ追加および／またはＳＣＧ  ＳＣｅｌｌ追加の場合には、マスタ基地局は、ＳＣＧセルのための最近（または直近）の測定結果を提供することができ、マスタ基地局およびセカンダリ基地局は、ＯＡＭからの、および／もしくはＸｎインターフェースを介した、互いのＳＦＮおよび／またはサブフレームオフセットの情報を受信することができる（例えば、ＤＲＸ調整および／または測定ギャップの識別を目的として）。一例では、新しいＳＣＧ  ＳＣｅｌｌを追加する場合には、ＳＣＧのＰＳＣｅｌｌのＭＩＢから取得されたＳＦＮを除き、専用ＲＲＣシグナリングを、ＣＡについてのセルの要求されたシステム情報を送信するために使用することができる。
【０１４５】
図１２は、ランダムアクセスプロシージャの例示的な図である。１つ以上のイベントは、ランダムアクセスプロシージャをトリガすることができる。例えば、１つ以上のイベントとは、以下のうちの少なくとも１つとすることができる：ＲＲＣ＿ＩＤＬＥからの初期アクセス、ＲＲＣ接続再確立プロシージャ、ハンドオーバー、ＵＬ同期ステータスが同期されていないときのＲＲＣ＿ＣＯＮＮＥＣＴＥＤ中のＤＬまたはＵＬデータ到着、ＲＲＣ＿Ｉｎａｃｔｉｖｅからの遷移、および／または他のシステム情報の要求。例えば、ＰＤＣＣＨ命令、ＭＡＣエンティティ、および／またはビーム障害表示により、ランダムアクセスプロシージャを開始させることができる。
【０１４６】
例示的な実施形態において、ランダムアクセスプロシージャは、競合ベースランダムアクセスプロシージャおよび競合なしランダムアクセスプロシージャのうちの少なくとも１つとすることができる。例えば、競合ベースランダムアクセスプロシージャは、１つ以上のＭｓｇ１  １２２０伝送、１つ以上のＭｓｇ２  １２３０伝送、１つ以上のＭｓｇ３  １２４０伝送、および競合解決１２５０を含むことができる。例えば、競合なしランダムアクセスプロシージャは、１つ以上のＭｓｇ１  １２２０伝送および１つ以上のＭｓｇ２  １２３０伝送を含むことができる。
【０１４７】
一例では、基地局は、１つ以上のビームを介して、ＵＥに、ＲＡＣＨ構成１２１０を伝送（例えば、ユニキャスト、マルチキャスト、またはブロードキャスト）することができる。ＲＡＣＨ構成１２１０は、以下のうちの少なくとも１つを示す１つ以上のパラメータを含むことができる：ランダムアクセスプリアンブルの伝送のためのＰＲＡＣＨリソースの利用可能なセット、初期プリアンブルパワー（例えば、ランダムアクセスプリアンブル初期受信ターゲットパワー）、ＳＳブロックの選択、および対応するＰＲＡＣＨリソースのためのＲＳＲＰ閾値、パワーランピングファクタ（例えば、ランダムアクセスプリアンブルパワーランピングステップ）、ランダムアクセスプリアンブルインデックス、プリアンブル伝送の最大数、プリアンブルグループＡおよびグループＢ、ランダムアクセスプリアンブルのグループを決定するための閾値（例えば、メッセージサイズ）、システム情報要求の１つ以上のランダムアクセスプリアンブル、および対応するＰＲＡＣＨリソースのセット、もしあれば、ビーム障害回復要求の１つ以上のランダムアクセスプリアンブル、および対応するＰＲＡＣＨリソースのセット、もしあれば、ＲＡ応答をモニタするための時間窓、ビーム障害回復要求での応答をモニタするための時間窓、および／または競合解決タイマー。
【０１４８】
一例では、Ｍｓｇ１  １２２０は、ランダムアクセスプリアンブルの１つ以上の伝送とすることができる。競合ベースランダムアクセスプロシージャの場合、ＵＥは、ＲＳＲＰ閾値超のＲＳＲＰを有するＳＳブロックを選択することができる。ランダムアクセスプリアンブルグループＢが存在する場合、ＵＥは、可能性のあるＭｓｇ３  １２４０サイズに応じて、グループＡまたはグループＢから１つ以上のランダムアクセスプリアンブルを選択することができる。ランダムアクセスプリアンブルグループＢが存在しない場合、ＵＥは、グループＡから１つ以上のランダムアクセスプリアンブルを選択することができる。ＵＥは、選択されたグループと関連付けられた１つ以上のランダムアクセスプリアンブルからランダムアクセスプリアンブルインデックスをランダムに（例えば、等しい確率、または正規分布を使って）選択することができる。基地局が、ランダムアクセスプリアンブルとＳＳブロックとの間の関連付けを用いてＵＥを準統計学的に構成する場合、ＵＥは、選択されたＳＳブロックおよび選択されたグループと関連付けられた１つ以上のランダムアクセスプリアンブルからランダムアクセスプリアンブルインデックスをランダムに、同様の確率を使って選択することができる。
【０１４９】
例えば、ＵＥは、下位レイヤからのビーム障害表示に基づいて、競合なしランダムアクセスプロシージャを開始させることができる。例えば、基地局は、ＳＳブロックおよび／またはＣＳＩ−ＲＳのうちの少なくとも１つと関連付けられたビーム障害回復要求のための１つ以上の競合なしＰＲＡＣＨリソースを用いてＵＥを準統計学的に構成することができる。関連付けられたＳＳブロックの間で第１のＲＳＲＰ閾値超のＲＳＲＰを有するＳＳブロックのうちの少なくとも１つ、または、関連付けられたＣＳＩ−ＲＳの間で第２のＲＳＲＰ閾値超のＲＳＲＰを有するＣＳＩ−ＲＳのうちの少なくとも１つが利用可能である場合、ＵＥは、ビーム障害回復要求に対する１つ以上のランダムアクセスプリアンブルのセットから、選択されたＳＳブロックまたはＣＳＩ−ＲＳに対応するランダムアクセスプリアンブルインデックスを選択することができる。
【０１５０】
例えば、ＵＥは、基地局から、競合なしランダムアクセスプロシージャのために、ＰＤＣＣＨまたはＲＲＣを介して、ランダムアクセスプリアンブルインデックスを受信することができる。基地局が、ＳＳブロックまたはＣＳＩ−ＲＳと関連付けられた少なくとも１つの競合なしＰＲＡＣＨリソースを用いてＵＥを構成しない場合、ＵＥは、ランダムアクセスプリアンブルインデックスを選択することができる。基地局が、ＳＳブロックと関連付けられた１つ以上の競合なしＰＲＡＣＨリソースを用いてＵＥを構成し、かつ、関連付けられたＳＳブロック中で第１のＲＳＲＰ閾値超のＲＳＲＰを有する少なくとも１つのＳＳブロックが利用可能である場合、ＵＥは、少なくとも１つのＳＳブロックを選択し、その少なくとも１つのＳＳブロックに対応するランダムアクセスプリアンブルを選択することができる。基地局が、ＣＳＩ−ＲＳと関連付けられた１つ以上の競合なしＰＲＡＣＨリソースを用いてＵＥを構成し、かつ、関連付けられたＣＳＩ−ＲＳ中で第２のＲＳＰＲ閾値超のＲＳＲＰを有する少なくとも１つのＣＳＩ−ＲＳが利用可能である場合、ＵＥは、少なくとも１つのＣＳＩ−ＲＳを選択し、その少なくとも１つのＣＳＩ−ＲＳに対応するランダムアクセスプリアンブルを選択することができる。
【０１５１】
ＵＥは、選択されたランダムアクセスプリアンブルを伝送することによって、１つ以上のＭｓｇ１  １２２０伝送を実行することができる。例えば、ＵＥが、ＳＳブロックを選択し、１つ以上のＰＲＡＣＨ機会と１つ以上のＳＳブロックとの間の関連付けを用いて構成される場合、ＵＥは、選択されたＳＳブロックに対応する１つ以上のＰＲＡＣＨ機会からＰＲＡＣＨ機会を判定することができる。例えば、ＵＥが、ＣＳＩ−ＲＳを選択し、１つ以上のＰＲＡＣＨ機会と１つ以上のＣＳＩ−ＲＳとの間の関連付けを用いて構成される場合、ＵＥは、選択されたＣＳＩ−ＲＳに対応する１つ以上のＰＲＡＣＨ機会からＰＲＡＣＨ機会を判定することができる。ＵＥは、基地局に、選択されたＰＲＡＣＨ機会を介して、選択されたランダムアクセスプリアンブルを伝送することができる。ＵＥは、少なくとも初期プリアンブルパワーおよびパワーランピングファクタに基づいて、選択されたランダムアクセスプリアンブルの伝送のための伝送パワーを判定することができる。ＵＥは、選択されたランダムアクセスプリアンブルが伝送される選択されたＰＲＡＣＨ機会と関連付けられたＲＡ−ＲＮＴＩを判定することができる。例えば、ＵＥは、ビーム障害回復要求のためのＲＡ−ＲＮＴＩを判定しなくてもよい。ＵＥは、少なくとも、第１のＯＦＤＭシンボルのインデックス、選択されたＰＲＡＣＨ機会の第１のスロットのインデックス、および／またはＭｓｇ１  １２２０の伝送のためのアップリンクキャリアインデックスに基づいて、ＲＡ−ＲＮＴＩを判定することができる。
【０１５２】
一例では、ＵＥは、基地局から、ランダムアクセス応答、Ｍｓｇ２  １２３０を受信することができる。ＵＥは、ランダムアクセス応答を監視するために時間窓（例えば、ｒａ  −  ＲｅｓｐｏｎｓｅＷｉｎｄｏｗ）を開始することができる。ビーム障害回復要求の場合、基地局は、異なる時間ウインドウ（例えば、ｂｆｒ−ＲｅｓｐｏｎｓｅＷｉｎｄｏｗ）を用いてＵＥを構成し、ビーム障害回復要求の応答をモニタすることができる。例えば、ＵＥは、プリアンブル伝送の終わりから、１つ以上のシンボルの固定持続時間後の最初のＰＤＣＣＨ機会の開始時に時間ウインドウ（例えば、ｒａ−ＲｅｓｐｏｎｓｅＷｉｎｄｏｗまたはｂｆｒ−ＲｅｓｐｏｎｓｅＷｉｎｄｏｗ）を開始することができる。ＵＥが、複数のプリアンブルを伝送する場合、ＵＥは、第１のプリアンブル伝送の終わりから、１つ以上のシンボルの固定持続時間後の第１のＰＤＣＣＨ機会の開始時に時間ウインドウを開始することができる。ＵＥは、時間ウインドウのタイマーが実行している間、ＲＡ−ＲＮＴＩにより識別された少なくとも１つのランダムアクセス応答、またはＣ−ＲＮＴＩにより識別されたビーム障害回復要求への少なくとも１つの応答、に対するセルのＰＤＣＣＨをモニタすることができる。
【０１５３】
一例では、少なくとも１つのランダムアクセス応答が、ＵＥにより伝送されたランダムアクセスプリアンブルに対応するランダムアクセスプリアンブル識別子を含む場合、ＵＥは、ランダムアクセス応答の受信を正常とみなすことができる。ＵＥは、ランダムアクセス応答の受信が正常である場合、競合なしランダムアクセスプロシージャが正常に完了したとみなすことができる。競合なしランダムアクセスプロシージャが、ビーム障害回復要求のためにトリガされた場合、ＵＥは、ＰＤＣＣＨ伝送がＣ−ＲＮＴＩにアドレス指定されている場合に、競合なしランダムアクセスプロシージャが正常に完了したとみなすことができる。一例では、少なくとも１つのランダムアクセス応答がランダムアクセスプリアンブル識別子を含む場合、ＵＥは、ランダムアクセスプロシージャが正常に完了したとみなすことができ、上位レイヤへのシステム情報要求に対する肯定応答の受信を示すことができる。ＵＥが複数のプリアンブル伝送を送った場合、ＵＥは、対応するランダムアクセス応答の正常な受信に応答して、残ったプリアンブル（もしあれば）を伝送することを停止することができる。
【０１５４】
一例では、ＵＥは、ランダムアクセス応答（例えば、競合ベースランダムアクセスプロシージャの場合）の正常な受信に応答して、１つ以上のＭｓｇ３  １２４０伝送を実行することができる。ＵＥは、ランダムアクセス応答により示されたタイミングアドバンスドコマンドに基づいて、アップリンク伝送タイミングを調節することができ、ランダムアクセス応答により示されたアップリンク許可に基づいて、１つ以上のトランスポートブロックを伝送することができる。Ｍｓｇ３  １２４０についてのＰＵＳＣＨ送信のためのサブキャリア間隔は、少なくとも１つの上位レイヤ（例えば  ＲＲＣ）パラメータによって提供されることができる。ＵＥは、ＰＲＡＣＨを介してランダムアクセスプリアンブルを、また、同じセル上のＰＵＳＣＨを介してＭｓｇ３  １２４０を、伝送することができる。基地局は、システム情報ブロックを介して、Ｍｓｇ３  １２４０のＰＵＳＣＨ伝送のためのＵＬ  ＢＷＰを示すことができる。ＵＥは、Ｍｓｇ３  １２４０の再伝送のためにＨＡＲＱを用いることができる。
【０１５５】
一例では、複数のＵＥが、同じプリアンブルを基地局に送信し、基地局から、アイデンティティ（例えば、ＴＣ−ＲＮＴＩ）を含む同じランダムアクセス応答を受信することによってＭｓｇ１  １２２０を実行することができる。競合解決１２５０は、ＵＥが別のＵＥのアイデンティティを誤って使用しないことを確実にすることができる。例えば、競合解決１２５０は、ＰＤＣＣＨ上のＣ−ＲＮＴＩ、または、ＤＬ−ＳＣＨ上のＵＥ競合解決アイデンティティに基づくことができる。例えば、基地局がＣ−ＲＮＴＩをＵＥに割り当てる場合、ＵＥは、Ｃ−ＲＮＴＩにアドレス指定されているＰＤＣＣＨ伝送の受信に基づいて、競合解決１２５０を実行することができる。ＰＤＣＣＨでのＣ−ＲＮＴＩの検出に応答して、ＵＥは、競合解決１２５０が正常であるとみなすことができ、ランダムアクセスプロシージャが正常に完了したとみなすことができる。ＵＥが適正なＣ−ＲＮＴＩを有さない場合、競合解決は、ＴＣ−ＲＮＴＩを用いることによってアドレス指定することができる。例えば、ＭＡＣ  ＰＤＵが正常に復号化され、ＭＡＣ  ＰＤＵが、Ｍｓｇ３  １２５０に伝送されたＣＣＣＨ  ＳＤＵに一致するＵＥ競合解決アイデンティティＭＡＣ  ＣＥを含む場合、ＵＥは、競合解決１２５０が正常であるとみなすことができ、ランダムアクセスプロシージャが正常に完了したとみなすことができる。
【０１５６】
図１３は、本開示の実施形態の一態様による、ＭＡＣエンティティのための例示的な構造である。一例では、無線デバイスは、マルチ接続モードで動作するように構成されることができる。複数のＲＸ／ＴＸを有するＲＲＣ＿ＣＯＮＮＥＣＴＥＤの無線デバイスは、複数の基地局内に設置された複数のスケジューラによって提供される無線リソースを利用するように構成されることができる。この複数の基地局は、Ｘｎインターフェースを介して非理想的または理想的なバックホールを介して接続されることができる。一例では、複数の基地局内の基地局は、マスタ基地局としての、またはセカンダリ基地局としての機能を果たすことができる。無線デバイスは、１つのマスタ基地局、および１つ以上のセカンダリ基地局に接続されることができる。無線デバイスは、複数のＭＡＣエンティティ、例えば、マスタ基地局用の１つのＭＡＣエンティティ、およびセカンダリ基地局用の１つ以上の他のＭＡＣエンティティを用いて構成されることができる。一例では、無線デバイスのために構成されたサービングセルのセットは、２つのサブセット、すなわち、マスタ基地局のサービングセルを含むＭＣＧ、および、セカンダリ基地局のサービングセルを含む１つ以上のＳＣＧを含むことができる。図１３は、ＭＣＧおよびＳＣＧが無線デバイスのために構成されている場合の、ＭＡＣエンティティの例示的な構造を示す。
【０１５７】
一例では、ＳＣＧ内の少なくとも１つのセルは、構成されたＵＬ  ＣＣを有することができ、少なくとも１つのセルのうちの１つのセルは、ＳＣＧのＰＳＣｅｌｌもしくはＰＣｅｌｌと呼ばれることがあり、または、場合によっては、単にＰＣｅｌｌと呼ばれることがある。ＰＳＣｅｌｌは、ＰＵＣＣＨリソースを用いて構成されることができる。一例では、ＳＣＧが構成される場合、少なくとも１つのＳＣＧベアラ、または１つの分割ベアラが存在することができる。一例では、ＰＳＣｅｌｌでの物理レイヤの問題もしくはランダムアクセスの問題を検出することについて、または、ＳＣＧと関連付けられたＲＬＣ再伝送の数に到達したことについて、または、ＳＣＧ追加もしくはＳＣＧ変更中にＰＳＣｅｌｌでのアクセス問題を検出することについて、ＲＲＣ接続再確立プロシージャは、トリガされることができず、ＳＣＧのセルに向かうＵＬ伝送は、中止されることができ、マスタ基地局は、ＵＥによってＳＣＧ障害のタイプに関して通知することができ、マスタ基地局を通じてＤＬデータ転送を維持することができる。
【０１５８】
一例において、ＭＡＣサブレイヤは、データ転送および無線リソース割り当てなどのサービスを上位レイヤ（例えば１３１０または１３２０）に提供することができる。ＭＡＣサブレイヤは、複数のＭＡＣエンティティ（例えば１３５０および１３６０）を含むことができる。ＭＡＣサブレイヤは、データ転送サービスを論理チャネル上に提供することができる。異なる種類のデータ転送サービスに対応するために、複数のタイプの論理チャネルを定義することができる。論理チャネルは、特定のタイプの情報の転送をサポートすることができる。論理チャネルタイプは、どのタイプの情報（例えば、制御またはデータ）が転送されるかによって定義されることができる。例えば、ＢＣＣＨ、ＰＣＣＨ、ＣＣＣＨ、およびＤＣＣＨは、制御チャネルとすることができ、ＤＴＣＨは、トラフィックチャネルとすることができる。一例では、第１のＭＡＣエンティティ（例えば１３１０）は、ＰＣＣＨ、ＢＣＣＨ、ＣＣＣＨ、ＤＣＣＨ、ＤＴＣＨ、およびＭＡＣ制御要素上でサービスを提供することができる。一例では、第２のＭＡＣエンティティ（例えば１３２０）は、ＢＣＣＨ、ＤＣＣＨ、ＤＴＣＨ、およびＭＡＣ制御要素上でサービスを提供することができる。
【０１５９】
ＭＡＣサブレイヤは、データ転送サービス、ＨＡＲＱフィードバックのシグナリング、スケジューリング要求または測定のシグナリング（例えば  ＣＱＩ）などのサービスを物理レイヤ（例えば  １３３０または１３４０）から予想することができる。一例において、デュアルコネクティビティでは、２つのＭＡＣエンティティが、無線デバイスのために構成されることができ、すなわち、それらは、ＭＣＧに対する１つ、およびＳＣＧに対する１つである。無線デバイスのＭＡＣエンティティは、複数のトランスポートチャネルを処理することができる。一例では、第１のＭＡＣエンティティは、ＭＣＧのＰＣＣＨ、ＭＣＧの第１のＢＣＨ、ＭＣＧの１つ以上の第１のＤＬ−ＳＣＨ、ＭＣＧの１つ以上の第１のＵＬ−ＳＣＨ、およびＭＣＧの１つ以上の第１のＲＡＣＨを含む第１のトランスポートチャネルを処理することができる。一例では、第２のＭＡＣエンティティは、ＳＣＧの第２のＢＣＨ、ＳＣＧの１つ以上の第２のＤＬ−ＳＣＨ、ＳＣＧの１つ以上の第２のＵＬ−ＳＣＨ、およびＳＣＧの１つ以上の第２のＲＡＣＨを含む第２のトランスポートチャネルを処理することができる。
【０１６０】
一例では、ＭＡＣエンティティが１つ以上のＳＣｅｌｌを用いて構成されている場合、複数のＤＬ−ＳＣＨが存在することができ、複数のＵＬ−ＳＣＨ、ならびにＭＡＣエンティティ毎に複数のＲＡＣＨが存在することができる。一例では、ＳｐＣｅｌｌに、１つのＤＬ−ＳＣＨおよびＵＬ−ＳＣＨが存在することができる。一例では、ＳＣｅｌｌに対して、１つのＤＬ−ＳＣＨ、ゼロまたは１つのＵＬ−ＳＣＨ、および、ゼロまたは１つのＲＡＣＨが存在することができる。ＤＬ−ＳＣＨは、ＭＡＣエンティティ内の異なるヌメロロジおよび／またはＴＴＩ持続時間を使用して受信をサポートすることができる。また、ＵＬ−ＳＣＨは、ＭＡＣエンティティ内の異なるヌメロロジおよび／またはＴＴＩ持続時間を使用して伝送をサポートすることができる。
【０１６１】
一例では、ＭＡＣサブレイヤは異なる機能をサポートすることができ、制御（例えば１３５５または１３６５）要素を用いてこれらの機能を制御することができる。ＭＡＣエンティティにより実行される機能は、論理チャネルとトランスポートチャネル（例えば、アップリンクまたはダウンリンクで）との間のマッピング、トランスポートチャネル（例えば、アップリンクで）上の物理レイヤに送達されるべき、１つまたは異なる論理チャネルからトランスポートブロック（ＴＢ）へのＭＡＣ  ＳＤＵの多重化（例えば１３５２または１３６２）、トランスポートチャネル（例えば、ダウンリンクで）上の物理レイヤから送達されるトランスポートブロック（ＴＢ）から１つまたは異なるの論理チャネルへのＭＡＣ  ＳＤＵの分割化（例えば１３５２または１３６２）、スケジューリング情報レポーティング（例えば、アップリンクで）、アップリンクまたはダウンリンク内のＨＡＲＱを通じての誤り訂正（例えば１３６３）、およびアップリンクでの論理チャネル優先順位付け（例えば１３５１または１３６１）、を含むことができる。ＭＡＣエンティティは、ランダムアクセスプロセス（例えば１３５４または１３６４）を処理することができる。
【０１６２】
図１４は、１つ以上の基地局を含むＲＡＮアーキテクチャの例示的な図である。一例では、プロトコルスタック（例えば、ＲＲＣ、ＳＤＡＰ、ＰＤＣＰ、ＲＬＣ、ＭＡＣ、およびＰＨＹ）は、ノードにおいてサポートすることができる。基地局（例えば、１２０Ａまたは１２０Ｂ）は、基地局中央ユニット（ＣＵ）（例えば、ｇＮＢ−ＣＵ１４２０Ａまたは１４２０Ｂ）、および、機能的な分割が構成されている場合の、少なくとも１つの基地局分散ユニット（ＤＵ）（例えば、ｇＮＢ−ＤＵ１４３０Ａ、１４３０Ｂ、１４３０Ｃ、または１４３０Ｄ）を含むことができる。基地局の上位プロトコルレイヤは、基地局ＣＵ内に設置されることができ、基地局の下位レイヤは、基地局ＤＵ内に設置されることができる。基地局ＣＵと基地局ＤＵとを接続するＦ１インターフェース（例えば  ＣＵ−ＤＵインターフェース）は、理想的または非理想的なバックホールとすることができる。Ｆ１−Ｃは、Ｆ１インターフェースを介して制御プレーン接続を提供することができ、Ｆ１−Ｕは、Ｆ１インターフェースを介してユーザプレーン接続を提供することができる。一例では、Ｘｎインターフェースは、基地局ＣＵ間に構成されることができる。
【０１６３】
一例では、基地局ＣＵは、ＲＲＣ機能、ＳＤＡＰレイヤ、およびＰＤＣＰレイヤを含むことができ、基地局ＤＵは、ＲＬＣレイヤ、ＭＡＣレイヤ、およびＰＨＹレイヤを含むことができる。一例では、基地局ＣＵと基地局ＤＵとの間の様々な機能的分割オプションは、基地局ＣＵ内の上位プロトコルレイヤ（ＲＡＮ機能）の異なる組み合わせ、および、基地局ＤＵ内の下位プロトコルレイヤ（ＲＡＮ機能）の異なる組み合わせを設定することによって可能とすることができる。機能的分割は、フレキシブル性をサポートし、サービス要件および／またはネットワーク環境に応じて、基地局ＣＵと基地局ＤＵとの間でプロトコルレイヤを移動させることができる。
【０１６４】
一例では、機能的分割オプションは、基地局毎、基地局ＣＵ毎、基地局ＤＵ毎、ＵＥ毎、ベアラ毎、スライス毎に構成され、または他の粒度を用いて構成されることができる。基地局ＣＵ分割毎において、基地局ＣＵは、固定分割オプションを有することができ、基地局ＤＵは、基地局ＣＵの分割オプションに一致するように構成されることができる。基地局ＤＵ分割毎において、基地局ＤＵは、異なる分割オプションを用いて構成されることができ、基地局ＣＵは、異なる基地局ＤＵに対して異なる分割オプションを提供することができる。ＵＥ分割において、基地局（基地局ＣＵ、および少なくとも１つの基地局ＤＵ）は、異なる無線デバイスに対して異なる分割オプションを提供することができる。ベアラ分割毎において、異なる分割オプションを、異なるベアラに対して利用することができる。スライス毎のスプライスでは、異なるスライスに異なる分割オプションを適用することができる。
【０１６５】
図１５は、無線デバイスのＲＲＣ状態遷移を示す例示的な図である。一例では、無線デバイスは、ＲＲＣ接続状態（例えば、ＲＲＣ接続１５３０、ＲＲＣ＿Ｃｏｎｎｅｃｔｅｄ）、ＲＲＣアイドル状態（例えば、ＲＲＣアイドル１５１０、ＲＲＣ＿Ｉｄｌｅ）、および／またはＲＲＣ停止状態（例えば、ＲＲＣ停止１５２０、ＲＲＣ＿Ｉｎａｃｔｉｖｅ）の中の少なくとも１つのＲＲＣ状態にあり得る。一例では、ＲＲＣ接続状態では、無線デバイスは、少なくとも１つの基地局（例えば、ｇＮＢおよび／またはｅＮＢ）との、少なくとも１つのＲＲＣ接続を有することができ、それらの基地局は、無線デバイスのＵＥコンテキストを有することができる。ＵＥコンテキスト（例えば、無線デバイスコンテキスト）は、アクセス層コンテキスト、１つ以上の無線リンク設定パラメータ、ベアラ（例えば、データ無線ベアラ（ＤＲＢ）、シグナリング無線ベアラ（ＳＲＢ）、論理チャネル、ＱｏＳフロー、ＰＤＵセッションなど）構成情報、セキュリティ情報、ＰＨＹ／ＭＡＣ／ＲＬＣ／ＰＤＣＰ／ＳＤＡＰレイヤ構成情報、および／または無線デバイスに関する類似の構成情報のうちの少なくとも１つを含むことができる。一例では、ＲＲＣアイドル状態では、無線デバイスは、基地局とのＲＲＣ接続を有さなくてもよく、無線デバイスのＵＥコンテキストは、基地局内に記憶されない場合がある。一例では、ＲＲＣ非アクティブ状態では、無線デバイスは、基地局とのＲＲＣ接続を有さない場合がある。無線デバイスのＵＥコンテキストは、アンカー基地局（例えば、最後にサービングしている基地局）と呼ばれることがある基地局に記憶されることがある。
【０１６６】
一例では、無線デバイスは、双方の方法におけるＲＲＣアイドル状態とＲＲＣ接続状態との間（例えば、接続解放１５４０もしくは接続確立１５５０、または接続再確立）、および／または、双方の方法におけるＲＲＣ非アクティブ状態とＲＲＣ接続状態との間（例えば、接続非アクティブ１５７０または接続再開１５８０）で、ＵＥ  ＲＲＣ状態に遷移することができる。一例では、無線デバイスは、ＲＲＣ非アクティブ状態からＲＲＣアイドル状態に、そのＲＲＣ状態を遷移することができる（例えば、接続解放１５６０）。
【０１６７】
一例では、アンカー基地局は、無線デバイスがアンカー基地局のＲＡＮ通知エリア（ＲＮＡ）にとどまる、および／または、無線デバイスがＲＲＣ非アクティブ状態にとどまるような時間帯の少なくともその間中、無線デバイスのＵＥコンテキスト（無線デバイスコンテキスト）を保持することができる基地局とすることができる。一例では、アンカー基地局は、ＲＲＣ非アクティブ状態にある無線デバイスが最新のＲＲＣ接続状態で最後に接続されている、または、無線デバイスがＲＮＡ更新プロシージャを内部で最後に実行した基地局とすることができる。一例では、ＲＮＡは、１つ以上の基地局によって動作された１つ以上のセルを含むことができる。一例では、基地局は、１つ以上のＲＮＡに属することができる。一例では、セルは、１つ以上のＲＮＡに属することができる。
【０１６８】
一例では、無線デバイスは、基地局において、ＵＥ  ＲＲＣ状態をＲＲＣ接続状態からＲＲＣ非アクティブ状態に遷移させることができる。無線デバイスは、基地局からＲＮＡ情報を受信することができる。ＲＮＡ情報は、ＲＮＡ識別子のうちの少なくとも１つ、ＲＮＡの１つ以上のセルの１つ以上のセル識別子、基地局識別子、基地局のＩＰアドレス、無線デバイスのＡＳコンテキスト識別子、再開識別子、および／または同様のものを含むことができる。
【０１６９】
一例では、アンカー基地局は、ＲＮＡの基地局にメッセージ（例えば、ＲＡＮページングメッセージ）をブロードキャストしてＲＲＣ非アクティブ状態にある無線デバイスに到着させることができ、および／または、アンカー基地局からメッセージを受信する基地局は、それらの基地局のカバレッジエリア、セルカバレッジエリア、および／または、エアインターフェースを介してＲＮＡと関連付けられたビームカバレッジエリア内の無線デバイスに、他のメッセージ（例えば、ページングメッセージ）をブロードキャストおよび／またはマルチキャストすることができる。
【０１７０】
一例では、ＲＲＣ非アクティブ状態にある無線デバイスが新しいＲＮＡ中に移動すると、無線デバイスは、ＲＮＡ更新（ＲＮＡＵ）プロシージャを実行することができ、そのプロシージャは、無線デバイスおよび／またはＵＥコンテキスト検索プロシージャによりランダムアクセスプロシージャを実行することができる。ＵＥコンテキスト検索は、基地局によって、無線デバイスから、ランダムアクセスプリアンブルを検索すること、および、基地局によって、以前のアンカー基地局から無線デバイスのＵＥコンテキストをフェッチすることを含むことができる。フェッチすることは、再開識別子を含む検索ＵＥコンテキスト要求メッセージを、以前のアンカー基地局に送信すること、および、無線デバイスのＵＥコンテキストを含む検索ＵＥコンテキスト応答メッセージを、以前のアンカー基地局から受信することを含むことができる。
【０１７１】
例示的な実施形態において、ＲＲＣ非アクティブ状態にある無線デバイスは、少なくとも１つ以上のセルに対する測定結果に基づいて、キャンプオンする１つのセルを選択することができ、そこでは、無線デバイスは、基地局からのＲＮＡページングメッセージおよび／またはコアネットワークページングメッセージをモニタすることができる。一例では、ＲＲＣ非アクティブ状態にある無線デバイスは、ランダムアクセスプロシージャを実行するためのセルを選択してＲＲＣ接続を再開し、および／または基地局に（例えば、ネットワークに）１つ以上のパケットを伝送することができる。一例では、選択されたセルが、ＲＲＣ非アクティブ状態にある無線デバイスのためのＲＮＡとは異なるＲＮＡに属する場合、無線デバイスは、ランダムアクセスプロシージャを開始してＲＮＡ更新プロシージャを実行することができる。一例では、ＲＲＣ非アクティブ状態にある無線デバイスが、バッファ内に、ネットワークに伝送するための１つ以上のパケットを有する場合、無線デバイスは、ランダムアクセスプロシージャを開始して、無線デバイスが選択するセルの基地局に１つ以上のパケットを伝送することができる。ランダムアクセスプロシージャは、無線デバイスと基地局との間で、２つのメッセージ（例えば、２つのステージランダムアクセス）、および／または４つのメッセージ（例えば、４つのステージランダムアクセス）を用いて実行されることができる。
【０１７２】
例示的な実施形態において、ＲＲＣ非アクティブ状態にある無線デバイスから１つ以上のアップリンクパケットを受信する基地局は、無線デバイスから受信されたＡＳコンテキスト識別子、ＲＮＡ識別子、基地局識別子、再開識別子、および／またはセル識別子のうちの少なくとも１つに基づいて、無線デバイスのための検索ＵＥコンテキスト要求メッセージを無線デバイスのアンカー基地局に伝送することによって、無線デバイスのＵＥコンテキストをフェッチすることができる。ＵＥコンテキストをフェッチすることに応答して、基地局は、無線デバイスのためのパス切り替え要求をコアネットワークエンティティ（例えば、ＡＭＦ、ＭＭＥ、および／または同様のもの）に伝送することができる。コアネットワークエンティティは、ユーザプレーンコアネットワークエンティティ（例えば、ＵＰＦ、Ｓ−ＧＷ、および／または同様のもの）とＲＡＮノード（例えば、基地局）との間で、無線デバイスのために確立された１つ以上のベアラに対するダウンリンクトンネルエンドポイント識別子を更新することができ、例えば、ダウンリンクトンネルエンドポイント識別子をアンカー基地局のアドレスから基地局のアドレスに変更することができる。
【０１７３】
既存の技術では、ＩＡＢ−ドナーは、無線デバイスにサービスを提供するＲＲＣ機能を有する。無線デバイスは、サービングＩＡＢ−ノードとサービングＩＡＢ−ドナーとの間でバックホールリンク障害が発生すると、ＲＲＣ接続障害を経験することがある。既存の技術の実装では、バックホールリンク障害が原因であるＲＲＣ接続障害の無線デバイスレポートを受信すると、基地局は、ＲＲＣ接続障害を無線デバイスとＩＡＢ−ノードとの間のアクセスリンクの問題と誤解する可能性がある。ＩＡＢ−ノードのバックホールリンクに障害が発生した場合、既存の技術を実装すると、不適切な無線パラメータ構成が増える可能性がある。既存の技術は、無線デバイスの無線アクセスの信頼性を低下させる可能性がある。
【０１７４】
例示的な実施形態は、無線デバイスのバックホールリンク情報を提供する無線リンク障害報告メカニズムをサポートする。例示的な実施形態は、無線バックホールリンクのステータス情報に基づいて構成される無線通信パラメータをサポートすることができる。例示的な実施形態の実装は、無線デバイスの通信信頼性およびモビリティ性能を向上させることができる。
【０１７５】
一例では、ＩＡＢ−ノードは、中間ネットワークノード、ＩＡＢ−ドナー、基地局、ｇＮＢ、ｇＮＢ−ＤＵ、ｅＮＢ、中継ノード、無線デバイス、ＵＥ、アクセスポイントなどのうちの少なくとも１つとして解釈されることができる。一例では、ＩＡＢ−ドナーは、基地局、ｇＮＢ、ｇＮＢ−ＣＵ、ｅＮＢ、中継ドナーノード、ＩＡＢ−ノード、アクセスポイントなどのうちの少なくとも１つとして解釈されることができる。一例では、無線デバイスは、ユーザ機器（ＵＥ）、ＩＡＢ−ノード、ＩＡＢ−ドナー、中継ノード、基地局、ｇＮＢなどとして解釈されることができる。
【０１７６】
一例では、統合アクセスおよびバックホール（ＩＡＢ）は、アクセスネットワークノード（例えば、分散ユニット、ｇＮＢ−ＤＵ、基地局、ｇＮＢ、ＩＡＢ−ノード、中継ノード、モバイルリレーノード、ＲＡＮノードなど）の無線バックホール接続をサポートすることができる。一例では、ＩＡＢ−ノードは、ＵＥへの無線アクセスをサポートすることができる、および／またはアクセストラフィックを無線でバックホールすることができるＲＡＮノードを示すことができる。一例では、ＩＡＢ−ドナーは、コアネットワークへのＵＥのインターフェースおよび／またはＩＡＢ−ノードへの無線バックホール機能を提供することができるＲＡＮノードを示すことができる。
【０１７７】
一例では、ＩＡＢは、トランスポートネットワークを比例して高密度化することなく、セルの柔軟なおよび／または非常に高密度の展開を可能にすることができる。屋外のスモールセル展開、屋内、および／またはモバイル中継（例えば、バスおよび／または電車）のサポートを含む様々な展開シナリオを想定することができる。ＩＡＢは、物理的に固定された中継やモバイル中継をサポートすることができる。
【０１７８】
例示的なＩＡＢ展開では、アクセスリンクに関する帯域内および／または帯域外バックホールがサポートされることができる。帯域内バックホールは、アクセスリンクとバックホールリンクの周波数が少なくとも部分的にオーバーラップして、半デュプレックスまたは干渉の制約が発生するシナリオを含むことができる。帯域内バックホールの半デュプレックス制約および／または干渉制約は、ＩＡＢ−ノードが双方のリンクで同時に送受信することができないことを意味することができる。一例では、帯域外シナリオは、半デュプレックス制約および／または干渉制約を提示しないことができる。帯域内バックホール展開では、半デュプレックス制約および干渉制約に準拠した、アクセスとバックホールとの間のより緊密なインターワーキングが必要になる場合がある。
【０１７９】
一例では、帯域内ＩＡＢシナリオは、ＩＡＢ−ノードでの半デュプレックス制約の対象となるアクセスおよびバックホールリンクのＴＤＭ／ＦＤＭ／ＳＤＭをサポートすることができる。一例では、帯域内ＩＡＢシナリオは、全デュプレックスソリューションをサポートすることができる。一例では、帯域外ＩＡＢシナリオは、帯域内シナリオ用に設計された同じＲＡＮ機能のセットを使用してサポートされることができる。
【０１８０】
一例では、ＩＡＢは、６ＧＨｚ以上および／または６ＧＨｚ未満のスペクトルでのアクセスおよびバックホールをサポートすることができる。同じＲＡＴバックホールリンクを介したアクセストラフィックのバックホールがサポートされることができる。バックホールおよびアクセスのためのＲＡＴ間動作がサポートされることができる。
【０１８１】
ＵＥは、同じＲＡＴを介してＩＡＢ−ノードに透過的に接続することができる。第２のＲＡＴバックホールを介した第１のＲＡＴアクセスに必要なＩＡＢアーキテクチャがサポートされることができる。
【０１８２】
一例では、ＩＡＢは、スタンドアロン（ＳＡ）および／または非スタンドアロン（ＮＳＡ）展開をサポートすることができる。ＮＳＡの場合、ＵＥのセカンダリセルグループ（ＳＣＧ）パスのＩＡＢベースの中継がサポートされることができる。ＵＥのマスタセルグループ（ＭＣＧ）パスのＩＡＢベースの中継がサポートされる。
【０１８３】
ＩＡＢ−ノードは、ＳＡおよび／またはＮＳＡモードで動作することができる。一例では、ＥＮ−ＤＣおよびＳＡオプション２がサポートされることができる。一例では、ＵＥおよびＩＡＢ−ノード用のＥＮ−ＤＣおよびＳＡオプション２がサポートされることができる。ＮＳＡ展開オプションおよび／またはＳＡとＮＳＡの組み合わせがサポートされることができる。
【０１８４】
一例では、ＳＡおよび／またはＮＳＡがアクセスリンクのためにサポートされることができる。ＮＳＡアクセスリンクの場合、中継をＲＡＮノードに適用することができる。一例では、ＮＳＡとＳＡの双方がバックホールリンクでサポートされることができる。無線インターフェースを介したバックホールトラフィックがサポートされることができる。例えば、ＮＳＡアクセスおよびバックホールリンクの場合、ＥＮ−ＤＣがサポートされることができる。
【０１８５】
一例では、マルチホップバックホールは、単一ホップよりも多くの範囲拡張を提供することができる。マルチホップバックホールは、範囲が限られているため、６ＧＨｚを超える周波数に役立つことができる。マルチホップバックホールにより、障害物、例えばクラッタ間展開用の都市環境における建物などの周囲でのバックホールが可能になることができる。一例では、ＩＡＢ展開におけるホップの数は、周波数、セル密度、伝播環境、および／またはトラフィック負荷などの多くの要因に依存すると予想されることができる。これらの要因は、時間の経過とともに変化すると予想されることができる。アーキテクチャの観点からは、ホップカウントの柔軟性が望ましい場合がある。
【０１８６】
一例では、ホップ数が増えると、スケーラビリティの問題によって性能が制限されたり、シグナリングの負荷が増加したりすることがある。ホップ数に対するスケーラビリティを取得すると、システム性能に影響を与えることがある。ＩＡＢ設計は、複数のバックホールホップをサポートすることができる。一例では、ＩＡＢアーキテクチャは、バックホールホップの数を制限しないことができる。ホップ数へのスケーラビリティがサポートされることができる。一例では、単一のホップは、複数のバックホールホップの特殊なケースとみなされる（例えば、解釈される）ことができる。
【０１８７】
一例では、無線バックホールリンクは、例えば、車両などの移動物体、季節的変化（葉）、および／またはインフラストラクチャの変化（例えば、新しい建物）のために、閉塞に対して脆弱である可能性がある。無線バックホールリンクの脆弱性は、物理的に静止しているＩＡＢ−ノードに適用されることができる。一例では、トラフィックの変動により、無線バックホールリンクに不均一な負荷分散が生じ、ローカルリンクやノードの輻輳が発生することがある。
【０１８８】
一例では、トポロジ適応（例えば、適応ルーティング）は、ＵＥのためのサービスを中断することなく、閉塞および／またはローカル輻輳などの状況下でバックホールネットワークを自律的に再構成するプロシージャを指すことができる。一例では、物理的に固定された中継のトポロジ適応をサポートして、堅牢な動作を可能にすることができ、例えば、バックホールリンクの閉塞および／または負荷変動を軽減することができる。
【０１８９】
一例では、ＩＡＢ実装の場合、レイヤ２（Ｌ２）およびレイヤ３（Ｌ３）中継アーキテクチャがサポートされることができる。
【０１９０】
一例では、ＩＡＢ−ノード統合および／またはトポロジ適応などのＩＡＢ関連機能は、コアネットワーク動作に影響を及ぼすことができる。一例では、ＩＡＢ機能は、追加のコアネットワークシグナリング負荷を形成することができる。コアネットワークノードのシグナリング負荷の量は、ＩＡＢアーキテクチャの様々な設計間で異なる場合がある。
【０１９１】
一例では、ＩＡＢ−ノード間の時間同期は、例えば、ＴＤＤシステムおよび／またはネットワーク同期を必要とすることができるいくつかの潜在的な機能をサポートするために実装されることができる。ＩＡＢは、ネットワーク同期に関する追加の実装をサポートすることができ、これは、帯域内無線バックホールおよび／またはマルチホップバックホールを含むことができる。
【０１９２】
一例では、ＩＡＢアーキテクチャは、モバイルターミネーション（ＭＴ）、ｇＮＢ−ＤＵ、ｇＮＢ−ＣＵ、ＵＰＦ、ＡＭＦおよびＳＭＦ、ならびに対応するインターフェースＮＲ  Ｕｕ（ＭＴとｇＮＢとの間）、Ｆ１、ＮＧ、Ｘ２およびＮ４を含むことができる。ＩＡＢアーキテクチャは、これらの機能およびインターフェースの変更または拡張に基づいて構成されることができる。モバイルターミネーション（ＭＴ）機能は、モバイル機器（ユーザ機器、ＵＥなど）のコンポーネントとして定義されることができる。一例では、ＭＴは、ＩＡＢ−ドナーおよび／または他のＩＡＢ−ノードに向けてバックホールＵｕインターフェースの無線インターフェースレイヤを終端するＩＡＢ−ノード上に常駐する機能と呼ばれることができる。
【０１９３】
図１６は、スタンドアロンモードでのＩＡＢの例示的な図を示しており、これは、１つのＩＡＢ−ドナーおよび複数のＩＡＢ−ノードを含むことができる。ＩＡＢ−ドナーは、ｇＮＢ−ＤＵ、ｇＮＢ−ＣＵ−ＣＰ、ｇＮＢ−ＣＵ−ＵＰおよび／または潜在的に他の機能などの機能のセットを含むことができる単一の論理ノードとして扱われることができる。展開では、ＩＡＢ−ドナーは、これらの機能にしたがって分割されることができ、これらは、併置されている場合および／または併置されていない場合がある。ＩＡＢアーキテクチャは、これらの機能を分割して動作することができる。一例では、ＩＡＢ−ドナーに関連するいくつかの機能は、場合によってはドナーの外に移動されることができる。
【０１９４】
一例では、ＩＡＢ−ノードは、ＳＡモードおよび／またはＮＳＡモードで動作することができる。ＮＳＡで動作している場合、ＩＡＢ−ノードは、バックホールに他のリンクを使用することができる。一例では、ＩＡＢ−ノードに接続しているＵＥは、ＩＡＢ−ノードとは異なる動作モードを選択することができる。ＵＥは、ＵＥが接続されているＩＡＢ−ノードとは異なるタイプのコアネットワークに接続することができる。この場合、（ｅ）デコールまたはスライシングをコアネットワークの選択に使用することができる。ＮＳＡモードで動作するＩＡＢ−ノードは、同じ基地局または異なる基地局（例えば、ｇＮＢ、ｅＮＢ）に接続されることができる。ＮＳＡノードで動作するＵＥは、接続先のＩＡＢ−ノードと同じまたは異なる基地局に接続することができる。図１７は、コアネットワークを備えたＳＡモードおよびＮＳＡモードの例を示している。
【０１９５】
一例では、ＩＡＢマルチホップ設計は、例えばマルチホップ転送を達成するために、インターフェースに必要な変更および／または必要な追加機能に関して異なることができる。アーキテクチャの例は、２つのアーキテクチャグループに分けることができる。
【０１９６】
一例では、アーキテクチャグループ１は、アーキテクチャ１ａおよび／または１ｂを含むことができる。アーキテクチャ１ａおよび／または１ｂは、ＣＵ／ＤＵ分割アーキテクチャを活用することができる。アーキテクチャ１ａは、適応レイヤおよび／または適応レイヤと組み合わせたＧＴＰ−Ｕを使用するＦ１−Ｕのバックホールを含むことができる。アーキテクチャ１ａは、コアネットワークで動作するための適応レイヤおよび／または他のコアネットワーク（例えば、他のＲＡＴ、ＥＰＣ）で動作するためのＰＤＮ接続レイヤルーティングを使用して、中間ノード間でホップバイホップ転送を採用することができる。一例では、アーキテクチャ１ｂは、ＧＴＰ−Ｕ／ＵＤＰ／ＩＰを使用するアクセスノード上のＦ１−Ｕのバックホールを含むことができる。アーキテクチャ１ｂは、適応レイヤを使用して中間ノード間でホブバイホップ転送を採用することができる。
【０１９７】
一例では、アーキテクチャグループ２は、アーキテクチャ２ａ、２ｂ、および／または２ｃを含むことができる。アーキテクチャ２ａは、ＧＴＰ−Ｕ／ＵＤＰ／ＩＰを使用したアクセスノードでのＦ１−ＵまたはＮＧ−Ｕのバックホールを含むことができる。アーキテクチャ２ａは、ＰＤＵセッションレイヤルーティングを使用して中間ノード間でホップバイホップ転送を採用することができる。アーキテクチャ２ｂは、ＧＴＰ−Ｕ／ＵＤＰ／ＩＰを使用したアクセスノードでのＦ１−ＵまたはＮＧ−Ｕのバックホールを含むことができる。アーキテクチャ２ｂは、ＧＴＰ−Ｕ／ＵＤＰ／ＩＰネストトンネリングを使用して、中間ノード間でホップバイホップ転送を採用することができる。アーキテクチャ２ｃは、ＧＴＰ−Ｕ／ＵＤＰ／ＩＰを使用したアクセスノードでのＦ１−ＵまたはＮＧ−Ｕのバックホールを含むことができる。アーキテクチャ２ｃは、ＧＴＰ−Ｕ／ＵＤＰ／ＩＰ／ＰＤＣＰネストトンネリングを使用して、中間ノード間でホップバイホップ転送を採用することができる。
【０１９８】
一例では、アーキテクチャ１ａは、ＣＵ／ＤＵ分割アーキテクチャを活用することができる。図１８は、ＩＡＢ−ドナーの下方にあるＩＡＢ−ノードの２ホップチェーンの例示的な図を示しており、ＩＡＢ−ノードおよびＵＥは、ＳＡモードでコアネットワークノード（例えば、ＡＭＦ、ＵＰＦ、ＳＭＦ、ＭＭＥ、ＳＧＷ）に接続する。アーキテクチャ１ａでは、ＩＡＢ−ノードは、ＤＵおよび／またはＭＴを保持することができる。ＭＴを介して、ＩＡＢ−ノードは、アップストリームＩＡＢ−ノードおよび／またはＩＡＢ−ドナーに接続することができる。ＤＵを介して、ＩＡＢ−ノードは、ＵＥおよび／またはダウンストリームＩＡＢ−ノードのＭＴへのＲＬＣチャネルを確立することができる。ＭＴの場合、ＲＬＣチャネルは、変更されたＲＬＣ＊を参照することができる。ＩＡＢ−ノードは、複数のアップストリームＩＡＢ−ノードおよび／またはＩＡＢ−ドナーに接続することができる。
【０１９９】
アーキテクチャ１ａの例では、ドナー（ＩＡＢ−ドナー）は、ダウンストリームＩＡＢ−ノードのＵＥおよび／またはＭＴをサポートするためにＤＵを保持することができる。ＩＡＢ−ドナーは、ＩＡＢ−ノードのＤＵおよび／または独自のＤＵのＣＵを保持することができる。異なるＣＵがＩＡＢ−ノードのＤＵにサービスを提供することができる。ＩＡＢ−ノード上のＤＵは、Ｆ１＊と呼ばれるＦ１の変更された形式を使用して、ＩＡＢ−ドナー内のＣＵに接続することができる。Ｆ１＊−Ｕは、サービングＩＡＢ−ノードのＭＴとドナーのＤＵとの間の無線バックホールにおいてＲＬＣチャネル上で実行することができる。サービングＩＡＢ−ノード上のＭＴとＤＵとの間、および／またはドナー上のＤＵとＣＵとの間のＦ１＊−Ｕトランスポートが構成されることができる。一例では、ルーティング情報を保持し、ホップバイホップ転送を可能にすることができる適応レイヤを追加することができる。適応レイヤは、Ｆ１スタックのＩＰ機能を置き換えることができる。Ｆ１＊−Ｕは、ＣＵとＤＵとの間のエンドツーエンドの関連付けのためにＧＴＰ−Ｕヘッダを伝送することができる。一例では、ＧＴＰ−Ｕヘッダを介して伝送される情報は、適応レイヤに含まれることができる。
【０２００】
アーキテクチャ１ａの例では、ＲＬＣは、エンドツーエンド接続および／またはホップバイホップにＡＲＱを適用することができる。図１８は、Ｆ１＊−Ｕプロトコルスタックの例を示している。ＲＬＣ＊は、ＲＬＣの拡張機能を指すことができる。ＩＡＢ−ノードのＭＴは、例えば、ＩＡＢ−ノードの認証のために、コアネットワークノード（例えば、ＡＭＦ、ＳＭＦ、ＭＭＥ、および／または同様のコアノード）へのＮＡＳ接続を維持することができる。ＩＡＢ−ノードのＭＴは、例えば、ＩＡＢ−ノードに運用および管理（ＯＡＭ）へのコネクティビティを提供するために、コアネットワークノード（例えば、ＵＰＦ、ＳＧＷ、ＰＧＷ、および／または同様のコアノード）を介してＰＤＵセッションを維持することができる。一例では、コアネットワークを用いたＮＳＡ動作の場合、ＭＴは、ネットワーク（例えば、ｇＮＢ、ｅＮＢ、ＲＮＣ、コアネットワーク）と二重接続されることができる。ＩＡＢ−ノードのＭＴは、例えば、ＩＡＢ−ノードにＯＡＭへのコネクティビティを提供するために、コアネットワークとのＰＤＮ接続を維持することができる。ＩＡＢ−ドナーが分割されている場合のＦ１＊とＦ１との間のプロトコル変換がサポートされることができる。
【０２０１】
一例では、アーキテクチャ１ｂは、ＣＵ／ＤＵ分割アーキテクチャを活用することができる。図１９は、ＩＡＢ−ドナーの下方にあるＩＡＢ−ノードの２ホップチェーンの例示的な図を示している。ＩＡＢ−ドナーは、１つの論理ＣＵを保持することができる。ＩＡＢ−ノードは、複数のアップストリームＩＡＢ−ノードおよび／またはＩＡＢ−ドナーに接続することができる。アーキテクチャ１ｂの例では、ＩＡＢ−ノードおよび／またはＩＡＢ−ドナーは、アーキテクチャ１ａと同じ機能を保持することができる。一例では、アーキテクチャ１ａの場合のように、バックホールリンクは、ＲＬＣチャネルを確立することができる。アーキテクチャ１ｂでは、Ｆ１＊のホップバイホップ転送を可能にするために適応レイヤが挿入されることができる。
【０２０２】
アーキテクチャ１ｂの例では、ＩＡＢ−ノード上のＭＴは、ドナー（ＩＡＢ−ドナー）上に存在するＵＰＦとのＰＤＵセッションを確立することができる。ＭＴのＰＤＵセッションは、併置されたＤＵのＦ１＊を伝送することができる。一例では、ＰＤＵセッションは、ＣＵとＤＵとの間のポイントツーポイントリンクを提供することができる。中間ホップでは、Ｆ１＊のＰＤＣＰ−ＰＤＵが適応レイヤを介して転送されることができる。図１９は、Ｆ１＊−Ｕプロトコルスタックの例を示している。コアネットワークでのＮＳＡ動作の場合、ＭＴは、ネットワーク（例えば、ｇＮＢ、ｅＮＢ、ＲＮＣ、コアネットワーク）と二重接続されることができる。ＩＡＢ−ノードのＭＴは、ドナー上にあるローカルゲートウェイ（Ｌ−ＧＷ）とのＰＤＮ接続を維持することができる。
【０２０３】
図２０は、アーキテクチャ２ａの例示的な図を示しており、ＵＥおよび／またはＩＡＢ−ノードは、コアネットワークでＳＡモードを使用することができる。アーキテクチャ２ａの例では、ＩＡＢ−ノードは、親ＩＡＢ−ノードおよび／またはＩＡＢ−ドナー上のｇＮＢ（基地局）とのＵｕリンクを確立するためにＭＴを保持することができる。ＭＴは、Ｕｕリンクを介して、ｇＮＢと併置することができるＵＰＦとのＰＤＵセッションを維持することができる。独立したＰＤＵセッションは、バックホールリンク（ホップバイホップなど）で形成されることができる。ＩＡＢ−ノードは、隣接リンクのＰＤＵセッション間でデータを転送するルーティング機能をサポートすることができる。ルーティング機能は、無線バックホール全体にフォワーディングプレーンを形成することができる。ＰＤＵセッションタイプに基づいて、フォワーディングプレーンは、ＩＰおよび／またはイーサネット（登録商標）をサポートすることができる。ＰＤＵセッションタイプがイーサネット（登録商標）の場合、ＩＰレイヤが上に確立されることができる。ＩＡＢ−ノードは、有線バックホールネットワークへのＩＰコネクティビティを取得することができる。ＩＡＢ−ノードは、複数のアップストリームＩＡＢ−ノードおよび／またはＩＡＢ−ドナーに接続することができる。
【０２０４】
アーキテクチャ２ａの例では、ＩＰベースのインターフェース（例えば、ＮＧ、Ｘｎ、Ｆ１、Ｎ４など）は、フォワーディングプレーンを介して伝送されることができる。Ｆ１の場合、ＵＥサービングＩＡＢ−ノードは、バックホールリンクのためのｇＮＢおよび／またはＵＰＦに加えて、アクセスリンクのためのＤＵを含むことができる。アクセスリンクのためのＣＵは、ＩＡＢ−ドナー内またはＩＡＢ−ドナーを超えて存在することができる。図２０は、ＩＰベースおよび／またはイーサネット（登録商標）ベースのＰＤＵセッションタイプのためのＮＧ−Ｕプロトコルスタックの例を示している。ＩＡＢ−ノードがＵＥアクセス用のＤＵを保持している場合、エンドユーザデータは、ＵＥとＣＵとの間のエンドツーエンドＰＤＣＰを使用して保護されることができるため、ホップでのＰＤＣＰベースの保護は必要ない場合がある。コアネットワークでのＮＳＡ動作の場合、ＭＴは、ネットワーク（例えば、ｇＮＢ、ｅＮＢ、ＲＮＣ、コアネットワーク）と二重接続されることができる。ＩＡＢ−ノードのＭＴは、親ＩＡＢ−ノードおよび／またはＩＡＢ−ドナーに存在するＬ−ＧＷとのＰＤＮ接続を維持することができる。ＩＰベースのインターフェース（例えば、ＮＧ、Ｘｎ、Ｓ１、Ｓ５、Ｘ２など）は、フォワーディングプレーンを介して伝送されることができる。
【０２０５】
アーキテクチャ２ｂの例では、図２１に示されるように、ＩＡＢ−ノードは、親ＩＡＢ−ノードおよび／またはＩＡＢ−ドナー上のｇＮＢ（基地局）とのＵｕリンクを確立するためにＭＴを保持することができる。Ｕｕリンクを介して、ＭＴは、ＵＰＦとのＰＤＵセッションを維持することができる。ＵＰＦは、ＩＡＢ−ドナーに配置されることができる。アップストリームＩＡＢ−ノード間でのＰＤＵの転送は、トンネリングを介して実行されることができる。複数のホップ間で転送すると、ネストされたトンネルのスタックを形成することができる。ＩＡＢ−ノードは、有線バックホールネットワークへのＩＰ接続を取得することができる。ＩＰベースのインターフェース（例えば、ＮＧ、Ｘｎ、Ｆ１、Ｎ４など）は、転送ＩＰプレーンを介して伝送されることができる。図２１は、ＮＧ−Ｕ（例えば、Ｓ１−Ｕ）のプロトコルスタックの例を示している。ＩＡＢ−ノードは、複数のアップストリームＩＡＢ−ノードおよび／またはＩＡＢ−ドナーに接続することができる。コアネットワークでのＮＳＡ動作の場合、ＭＴは、ネットワーク（例えば、ｇＮＢ、ｅＮＢ、ＲＮＣ、コアネットワーク）と二重接続されることができる。ＩＡＢ−ノードのＭＴは、ＩＡＢ−ドナー上にあるＬ−ＧＷとのＰＤＮ接続を維持することができる。
【０２０６】
一例では、図２２に示されるように、アーキテクチャ２ｃは、ＤＵ−ＣＵ分割を活用することができる。ＩＡＢ−ノードは、親ＩＡＢ−ノードおよび／またはＩＡＢ−ドナー上のＤＵを備えたＲＬＣチャネルを維持することができるＭＴを保持することができる。ＩＡＢ−ドナーは、ＩＡＢ−ノードのＤＵ用のＣＵおよび／またはＵＰＦを保持することができる。ＩＡＢ−ノード上のＭＴは、ＣＵとのＵｕリンク、および／またはドナー（ＩＡＢ−ドナー）上のＵＰＦとのＰＤＵセッションを維持することができる。中間ノードでの転送は、トンネリングを介して実行されることができる。複数のホップ間で転送すると、ネストされたトンネルのスタックを形成することができる。ＩＡＢ−ノードは、有線バックホールネットワークへのＩＰ接続を取得することができる。トンネルは、ＳＤＡＰ／ＰＤＣＰレイヤを含むことができる。ＩＰベースのインターフェース（例えば、ＮＧ、Ｘｎ、Ｆ１、Ｎ４など）は、フォワーディングプレーンを介して伝送されることができる。図２２は、ＮＧ−Ｕ（例えば、Ｓ１−Ｕ）のプロトコルスタックの例を示している。ＩＡＢ−ノードは、複数のアップストリームＩＡＢ−ノードおよび／またはＩＡＢ−ドナーに接続することができる。コアネットワークでのＮＳＡ動作の場合、ＭＴは、ネットワーク（例えば、ｇＮＢ、ｅＮＢ、ＲＮＣ、コアネットワーク）と二重接続されることができる。ＩＡＢ−ノードのＭＴは、ＩＡＢ−ドナー上にあるＬ−ＧＷとのＰＤＮ接続を維持することができる。
【０２０７】
一例では、ＩＡＢ−ノードは、セル検索、システム情報（ＳＩ）取得、および／またはランダムアクセスを含む、ＵＥ（例えば、無線デバイス）と同じ初期アクセスプロシージャにしたがって、親ＩＡＢ−ノードおよび／またはＩＡＢ−ドナーへの接続を最初にセットアップすることができる。ＳＳＢ／ＣＳＩ−ＲＳベースのＲＲＭ測定は、ＩＡＢ−ノードの検出および／または測定についてサポートされることができる。一例では、ＩＡＢ−ノード間でのＳＳＢ構成の競合を回避する方法、および／またはＩＡＢ−ノード検出ベースのＣＳＩ−ＲＳの実現可能性を含む、半デュプレックス制約および／またはマルチホップトポロジの対象となるＩＡＢ−ノード間検出プロシージャがサポートされることができる。特定のＩＡＢ−ノードによって使用されるセルＩＤを検討する場合、ＩＡＢ−ドナーおよびＩＡＢ−ノードは、同じセルＩＤを共有することができる、および／またはＩＡＢ−ドナーおよびＩＡＢ−ノードは、別々のセルＩＤを維持することができる。ＩＡＢ−ドナーおよびＩＡＢ−ノードが同じセルＩＤを共有するという実現可能性は、ＩＡＢアーキテクチャに依存することができる。ＵＥからのＲＡＣＨ送信とＩＡＢ−ノードからのＲＡＣＨ送信を多重化するメカニズムがサポートされることができる。
【０２０８】
一例では、リンク管理および／またはルート選択のための複数のバックホールリンクでの測定がサポートされることができる。ＩＡＢ−ノードで半デュプレックス制約をサポートするために、ＩＡＢは、候補バックホールリンクの検出および／または測定をサポートすることができ（例えば、初期アクセス後）、これは、セル検出および／または測定のためのアクセスＵＥによって使用されるリソースと時間的に直交する可能性のあるリソースを利用することができる。測定をサポートするために、ＩＡＢは、以下の少なくとも１つをサポートすることができる：ＳＳＢのＴＤＭ（例えば、ホップ順序、セルＩＤなどに応じて）、ＩＡＢ−ノード間でのＳＳＢミューティング、ハーフフレーム内および／またはハーフフレーム間でのアクセスＵＥおよびＩＡＢのためのＳＳＢの多重化、ＳＳＢ送信を伴うＴＤＭ（例えば、ＣＳＩ−ＲＳ）とすることができる追加のＩＡＢ−ノード検出信号、オフラスタＳＳＢの使用、アクセスＵＥによって使用される周期性と比較してバックホールリンクの検出および／または測定のための異なる送信周期性など。基準信号（ＲＳ）送信の調整メカニズムおよび／またはＩＡＢ−ノードの測定機会を含む、異なるソリューションの調整メカニズムがサポートされることができる。ＩＡＢ−ノードのＲＲＭ測定をサポートするためのＳＭＴＣおよび／またはＣＳＩ−ＲＳ構成の拡張を検討することができる。
【０２０９】
一例では、ＩＡＢ−ノードは、バックホールリンク障害を検出／回復するためのメカニズムをサポートすることができる。ＲＬＭ  ＲＳおよび／またはＩＡＢの関連プロシージャの拡張がサポートされることができる。
【０２１０】
一例では、複数のバックホールリンクで同時にルートスイッチングおよび／または送信／受信するためのメカニズム（例えば、マルチＴＲＰ動作および／または周波数内デュアルコネクティビティ）がサポートされることができる。これらのメカニズムの実現可能性は、ＩＡＢアーキテクチャに依存することができる。
【０２１１】
一例では、ダウンリンクＩＡＢ−ノード送信（例えば、ＩＡＢ−ノードからＩＡＢ−ノードによってサービスされる子ＩＡＢ−ノードへのバックホールリンク上の送信、およびＩＡＢ−ノードからＩＡＢ−ノードによってサービスされるＵＥへのアクセスリンク上の送信）は、ＩＡＢ−ノードによってスケジュールされることができる。一例では、アップリンクＩＡＢ送信（例えば、ＩＡＢ−ノードからその親ＩＡＢ−ノードおよび／またはＩＡＢ−ドナーへのバックホールリンクでの送信）は、親ＩＡＢ−ノードまたはＩＡＢ−ドナーによってスケジュールされることができる。
【０２１２】
一例では、ＩＡＢは、例えば半デュプレックス制約の対象となる、ＩＡＢ−ノードでのアクセスリンクとバックホールリンクとの間の時分割多重（ＴＤＭ）、周波数分割多重（ＦＤＭ）、および／または空間分割多重（ＳＤＭ）をサポートすることができる。複数のホップにわたるアクセス／バックホールトラフィックのＴＤＭ／ＦＤＭ／ＳＤＭ多重化のメカニズムは、ＩＡＢ−ノードの半デュプレックス制約を考慮することができる。一例では、ＩＡＢは、１つ以上のホップにわたるアクセスリンクとバックホールリンクとの間のタイムスロットおよび／または周波数リソースの直交分割のためのメカニズムをサポートすることができる。ＩＡＢは、アクセスリンクとバックホールリンクに異なるＤＬ／ＵＬスロット構成の利用を提供することができる。ＩＡＢは、ＤＬおよび／またはＵＬ電力制御の拡張および／またはタイミング要件をサポートして、バックホールおよびアクセスリンクのパネル内ＦＤＭおよび／またはＳＤＭを可能にすることができる。一例では、ＩＡＢは、クロスリンク干渉を含む干渉管理を提供することができる。
【０２１３】
一例では、ＩＡＢは、ＩＡＢ−ノード／ＩＡＢ−ドナーおよび／または複数のバックホールホップにわたるスケジューリング調整、リソース割り当て、および／またはルート選択のためのメカニズムを提供することができる。セミスタティック（例えば、ＲＲＣシグナリングのタイムスケール）は、ＩＡＢ−ノード間のリソース（例えば、周波数、スロット／スロット形式に関する時間など）の調整のためにサポートされることができる。一例では、ＩＡＢは、分散型および／または集中型のリソース調整メカニズムをサポートすることができる。ＩＡＢは、必要なシグナリングの様々なリソース粒度（ＴＤＤ構成パターンなど）をサポートすることができる。ＩＡＢ−ノードおよび／またはＩＡＢ−ドナーは、Ｌ１および／またはＬ３測定の情報を交換することができる。一例では、ＩＡＢ−ノードおよび／またはＩＡＢ−ドナーは、バックホールリンク物理レイヤ設計に基づいてトポロジ関連情報（例えば、ホップ順序）を交換することができる。ＩＡＢは、セミスタティック調整よりも高速なリソース（例えば、周波数、スロット／スロット形式での時間など）の調整をサポートすることができる。
【０２１４】
一例では、無線（ＯＴＡ）同期がＩＡＢ用に構成されることができる。一例では、ＩＡＢは、ＩＡＢ−ノードのタイミングアラインメントを調整するためのメカニズムをサポートすることができる。ＩＡＢは、タイミングのずれの検出と管理をサポートすることができる（例えば、ホップ数に依存する）。一例では、ＩＡＢは、マルチホップＩＡＢネットワーク全体にわたるタイミング調整のためのメカニズムを実装することができる。ＩＡＢは、複数のバックホールホップ間を含む、ＩＡＢ−ノード間のＴＡベースの同期をサポートすることができる。一例では、ＩＡＢは、以下のＩＡＢ−ノードおよび／またはＩＡＢ−ドナー間の送信タイミングアラインメントの様々なケースをサポートすることができる：ＩＡＢ−ノードおよび／またはＩＡＢ−ドナー間のＤＬ送信タイミングアラインメント、ＩＡＢ−ノード内で調整されたＤＬおよびＵＬ送信タイミング、ＩＡＢ−ノード内で調整されたＤＬおよびＵＬ受信タイミング、ＤＬおよびＵＬを送信してＤＬおよびＵＬを受信するときのＩＡＢ−ノード内のタイミングアライメント、アクセスリンクのＩＡＢ−ノードおよび／またはＩＡＢ−ドナー間のＤＬ送信タイミングアラインメント、および／または異なるタイムスロットでのバックホールリンクタイミングのためにＤＬおよびＵＬを送信してＤＬおよびＵＬを受信するときのＩＡＢ−ノード内のタイミングアラインメント。
【０２１５】
一例では、ＩＡＢ−ノード／ＩＡＢ−ドナー間および／またはＩＡＢ−ノード内のタイミングアラインメントのレベルは、スロットレベルアラインメント、シンボルレベルアラインメント、および／またはアラインメントなしを含むことができる。アクセスおよびバックホールリンクのＴＤＭ／ＦＤＭ／ＳＤＭ多重化、クロスリンク干渉、および／またはアクセスＵＥのＩＡＢ実装がサポートされることができる。
【０２１６】
一例では、ＩＡＢは、干渉測定および管理メカニズムを提供することによって、アクセスおよびバックホールリンク（複数のホップにわたるものを含む）でのクロスリンク干渉（ＣＬＩ）を制御することができる。
【０２１７】
一例では、ＩＡＢ  ＣＬＩ緩和技術は、高度な受信機および送信機の調整をサポートすることができる。ＣＬＩ緩和技術は、以下のＩＡＢ−ノード間干渉シナリオの干渉緩和メカニズムをサポートすることができる：例えば、犠牲者のＩＡＢ−ノードは、ＭＴを介してＤＬにおいて受信し、干渉するＩＡＢ−ノードは、ＭＴを介してＵＬにおいて送信する。犠牲者のＩＡＢ−ノードは、ＭＴを介してＤＬにおいて受信し、干渉しているＩＡＢ−ノードは、ＤＵを介してＤＬにおいて送信する。犠牲者のＩＡＢ−ノードは、ＤＵを介してＵＬにおいて受信し、干渉しているＩＡＢ−ノードは、ＭＴを介してＵＬにおいて送信する。および／または犠牲者のＩＡＢ−ノードは、ＤＵを介してＵＬにおいて受信し、干渉しているＩＡＢ−ノードは、ＤＵを介してＤＬにおいて送信する。ＩＡＢは、ＩＡＢ−ノードでのアクセスリンクとバックホールリンクとの間のＦＤＭ／ＳＤＭ受信の場合に、ＩＡＢ−ノードで発生した干渉を解決するメカニズムを実装することができる。一例では、ＩＡＢは、ＣＬＩ測定、例えば、短期／長期測定、および／または複数アンテナおよびビームフォーミングベースの測定をサポートすることができ、ＩＡＢ−ノードおよび／またはＩＡＢ−ドナーにおけるＣＬＩ緩和をサポートすることができる。
【０２１８】
ＩＡＢは、高いスペクトル効率で無線バックホールリンクをサポートすることができる。一例では、ＩＡＢは、バックホールリンクに対して１０２４ＱＡＭをサポートすることができる。
【０２１９】
一例では、ＵＥは、ＵＥのアクセスＩＡＢ−ノード上のＤＵへのＲＬＣチャネルを確立することができる。ＲＬＣチャネルは、ＵＥのアクセスＤＵとＩＡＢ−ドナーとの間において、Ｆ１＊−Ｕと呼ばれるＦ１−Ｕの変更された形式を介して拡張することができる。Ｆ１＊−Ｕに埋め込まれた情報は、バックホールリンクを介してＲＬＣチャネルを介して伝送されることができる。無線バックホールを介したＦ１＊−Ｕの転送は、ＲＬＣチャネルと統合できる適応レイヤによって有効にすることができる。ＩＡＢ−ドナー（フロントホールと呼ばれる）は、Ｆ１−Ｕスタックを使用することができる。ＩＡＢ−ドナーＤＵは、フロントホールのＦ１−Ｕおよび／または無線バックホールのＦ１＊−Ｕの間で中継することができる。
【０２２０】
アーキテクチャ１ａの例では、適応レイヤで伝送される情報は、以下のうちの１つ以上の機能をサポートすることができる：ＰＤＵのＵＥベアラの識別、無線バックホールトポロジを介したルーティング、無線バックホールリンクにおけるＤＬおよびＵＬのスケジューラによるＱｏＳの実施、バックホールＲＬＣチャネルへのＵＥユーザプレーンＰＤＵのマッピングなど。
【０２２１】
アーキテクチャ１ｂの例では、適応レイヤで伝送される情報は、以下のうちの１つ以上の機能をサポートすることができる：無線バックホールトポロジ全体のルーティング、無線バックホールリンクにおけるＤＬおよびＵＬでのスケジューラによるＱｏＳの実施、バックホールＲＬＣチャネルへのＵＥユーザプレーンＰＤＵのマッピングなど。
【０２２２】
一例では、適応レイヤヘッダ上で伝送される情報は、以下のうちの１つ以上を含むことができる：ＵＥベアラ固有ＩＤ、ＵＥ固有ＩＤ、ルートＩＤ、ＩＡＢ−ノード、ＩＡＢ−ドナーアドレス、ＱｏＳ情報など。
【０２２３】
一例では、適応レイヤに関する情報は、オンパスＩＡＢ−ノード（例えば、ホップバイホップ）上および／またはＵＥのアクセスＩＡＢ−ノードおよびＩＡＢ−ドナー（例えば、エンドツーエンド）上の適応レイヤ機能をサポートするように処理されることができる。
【０２２４】
一例では、適応レイヤは、図２３（例えば、ａ、ｂ）に示されるように、ＭＡＣレイヤと統合されることができるか、またはＭＡＣレイヤの上に統合されることができる。一例では、適応レイヤは、図２３（例えば、ｃ、ｄ、ｅ）および／または図２４に示されるように、上記ＲＬＣレイヤと統合されることができる。
【０２２５】
一例では、図２３および／または図２４は、プロトコルスタックの例を示している。バックホールに役立つＲＬＣチャネルは、適応レイヤを含むが、適応レイヤは、ＩＡＢ−ノードアクセスリンクに含まれることができる。
【０２２６】
一例では、適応レイヤは、サブレイヤを含むことができる。ＧＴＰ−Ｕヘッダは、適応レイヤの一部とすることができる。一例では、ＧＴＰ−Ｕヘッダは、適応レイヤの上に伝送されて、ＩＡＢ−ノードＤＵとＣＵとの間のエンドツーエンドの関連付けを伝送することができる（例えば、図２３ｄに示されるように）。
【０２２７】
一例では、ＩＰヘッダは、適応レイヤの一部とすることができ、および／または適応レイヤの上に伝送されることができる（例えば、図２３ｅに示されるように）。一例では、ＩＡＢ−ドナーＤＵは、無線バックホールで適応によって伝送されるＩＰレイヤにフロントホールのＩＰルーティングプレーンを拡張するためのＩＰルーティング機能を保持することができる。これは、例えば、ＩＡＢ−ノードＤＵとＩＡＢ−ドナーＣＵ−ＵＰとの間など、ネイティブＦ１−Ｕをエンドツーエンドで確立することを可能にすることができる。ＩＡＢ−ノードは、ＩＰアドレスを保持することができ、これは、フロントホールからＩＡＢ−ドナーＤＵを介してルーティング可能とすることができる。ＩＡＢ−ノードのＩＰアドレスは、無線バックホールでのルーティングに使用されることができる。適応の上のＩＰレイヤは、ＰＤＵセッションを表していない場合がある。ＩＰレイヤ上のＭＴの最初のホップルータは、ＵＰＦを保持しない場合がある。
【０２２８】
一例では、ＲＬＣより上の適応レイヤは、ホップバイホップＡＲＱをサポートすることができる。上記のＭＡＣ適応レイヤは、ホップバイホップとエンドツーエンドの双方のＡＲＱをサポートすることができる。一例では、双方の適応レイヤ配置は、例えば、ＩＡＢ−ノードアドレスを適応ヘッダに挿入することによって、集約ルーティングをサポートすることができる。一例では、双方の適応レイヤ配置は、多数のＵＥベアラに対してＵＥベアラごとのＱｏＳをサポートすることができる。一例では、ＲＬＣより上の適応レイヤの場合、ＵＥベアラが独立した論理チャネルにマッピングされることができるため、ＬＣＩＤ空間が拡張されることができる。一例では、ＭＡＣより上の適応レイヤの場合、ＵＥベアラ関連の情報は、適応ヘッダで伝送されることができる。一例では、双方の適応レイヤ配置は、例えば、集約されたＱｏＳ  ＩＤを適応ヘッダに挿入することによって、集約されたＱｏＳ処理をサポートすることができる。一例では、集約されたＱｏＳ処理は、キューの数を減らすことができる。集約されたＱｏＳ処理は、適応レイヤが配置される場所に依存しない場合がある。一例では、双方の適応レイヤ配置について、ルーティングおよび／またはＱｏＳ処理の集約は、中間のオンパスＩＡＢ−ノードのプロアクティブな構成を可能にすることができる。すなわち、構成は、ＵＥベアラの確立／解放から独立することができる。一例では、双方の適応レイヤ配置について、ＲＬＣ  ＡＲＱは、ＴＸ側で前処理されることができる。
【０２２９】
一例では、ＲＬＣ  ＡＭの場合、ＡＲＱは、アクセスおよびバックホールリンクに沿ってホップバイホップで実行されることができる。ＡＲＱは、ＵＥとＩＡＢ−ドナーとの間で、エンドツーエンドでサポートされることができる。ＲＬＣセグメンテーションは、ジャストインタイムプロセスである場合もあれば、ホップバイホップ方式で実行される場合もある。
【０２３０】
マルチホップＲＬＣ  ＡＲＱのタイプと適応レイヤの配置は、相互依存性を有することができる：エンドツーエンドＡＲＱの場合、適応レイヤは、ＭＡＣレイヤと統合されるか、ＭＡＣレイヤの上に配置されることができ、および／またはホップバイホップＡＲＱは、相互依存性を有する場合と有さない場合とがある。
【０２３１】
一例では、異なるＩＡＢアーキテクチャオプションは、ダウンリンクおよび／またはアップリンク方向のスケジューリングおよび／またはＱｏＳに影響を与えることができる。一例では、適応レイヤは、ＲＬＣの上および／またはＭＡＣの上に配置されることができる。
【０２３２】
一例では、無線バックホールリンクを介した制御プレーン（ＣＰ）シグナリングは、ユーザプレーン（ＵＰ）トラフィックの場合と同じルーティングおよび／またはＱｏＳ実施メカニズムを使用することができる。ＣＰシグナリングの優先順位やＱｏＳ要件は、ＵＰトラフィックとは異なる場合がある。
【０２３３】
一例では、ＩＡＢ−ノード上のＭＴとＩＡＢ−ドナー上の中央ユニット制御計画（ＣＵ−ＣＰ）との間のシグナリングは、ＲＲＣプロトコルを使用することができる。ＩＡＢ−ノード上のＤＵとＩＡＢ−ドナー上のＣＵ−ＣＰとの間のシグナリングは、Ｆ１−ＡＰプロトコルを使用することができる。ＲＲＣおよびＦ１−ＡＰに対するＩＡＢ固有の拡張機能がサポートされることができる。
【０２３４】
一例では、ＲＲＣおよびＦ１−ＡＰ接続は、無線バックホールリンクを介して保護されることができる。ＲＲＣ接続は、無線バックホールリンクにおいてアクセスリンクと少なくとも同じレベルの保護を有することができる。一例では、Ｆ１−ＡＰ接続は、ＲＲＣ接続と少なくとも同じレベルの保護を無線バックホールリンクにおいて有することができる。一例では、ＲＲＣと同じレベルのＦ１−ＡＰの保護がサポートされることができる。
【０２３５】
一例では、ＣＰシグナリング保護の場合：ＰＤＣＰを使用してＲＲＣを保護することができ、および／またはＰＤＣＰを使用して、無線バックホールを介してＦ１−ＡＰを保護することができる。ＮＤＳの使用に基づくＣＰシグナリング保護がサポートされることができる。
【０２３６】
アーキテクチャ１ａの例では、ＵＥおよび／またはＭＴのＵＰおよび／またはＲＲＣトラフィックは、無線バックホールを介してＰＤＣＰを介して保護されることができる。ＣＰ保護メカニズムは、無線バックホールを介してＦ１−ＡＰトラフィックを保護するために定義されることができる。
【０２３７】
一例では、アーキテクチャ１ａの代替１について、図２５は、ＵＥのＲＲＣ、ＭＴのＲＲＣ、および／またはＤＵのＦ１−ＡＰのプロトコルスタックを示している。一例では、適応レイヤをＲＬＣの上に配置することができる。ＩＡＢ−ノードのアクセスリンクは、適応レイヤを含む場合と含まない場合とがある。アーキテクチャ１ａの代替１の例では、ＵＥおよび／またはＭＴのＲＲＣは、ＳＲＢを介して伝送されることができる。ＵＥおよび／またはＭＴのアクセスリンクでは、ＳＲＢは、ＲＬＣチャネルを使用することができる。無線バックホールリンクでは、ＳＲＢのＰＤＣＰレイヤは、適応レイヤを備えたＲＬＣチャネルを介して伝送されることができる。ＲＬＣチャネルでの適応レイヤの配置は、ＣプレーンでもＵプレーンでも同じとすることができる。適応レイヤで伝送される情報は、シグナリング無線ベアラ（ＳＲＢ）とデータ無線ベアラ（ＤＲＢ）とで異なる場合がある。ＤＵのＦ１−ＡＰは、併置されたＭＴのＲＲＣにカプセル化されることができる。Ｆ１−ＡＰは、基盤となるＳＲＢのＰＤＣＰによって保護されることができる。ＩＡＢ−ドナーは、ネイティブＦ１−Ｃスタックを使用することができる。
【０２３８】
一例では、アーキテクチャ１ａの代替２について、図２６は、ＵＥのＲＲＣ、ＭＴのＲＲＣ、および／またはＤＵのＦ１−ＡＰのプロトコルスタックを示している。一例では、適応レイヤは、ＲＬＣの上に存在することができる。ＩＡＢ−ノードのアクセスリンクは、適応レイヤを含む場合と含まない場合とがある。アーキテクチャ１ａの代替２の例では、ＵＥおよび／またはＭＴのＲＲＣは、ＳＲＢを介して伝送されることができる。ＵＥおよび／またはＭＴのアクセスリンク上で、ＳＲＢは、ＲＬＣチャネルを使用することができる。無線バックホールリンクでは、ＲＲＣのＳＲＢのＰＤＣＰは、Ｆ１−ＡＰにカプセル化されることができる。ＤＵのＦ１−ＡＰは、併置されたＭＴのＳＲＢを介して伝送されることができる。Ｆ１−ＡＰは、このＳＲＢのＰＤＣＰによって保護されることができる。無線バックホールリンクでは、Ｆ１−ＡＰのＳＲＢのＰＤＣＰは、適応レイヤを備えたＲＬＣチャネルを介して伝送されることができる。ＲＬＣチャネルでの適応レイヤの配置は、ＣプレーンでもＵプレーンでも同じとすることができる。適応レイヤで伝送される情報は、ＳＲＢとＤＲＢとで異なる場合がある。ＩＡＢ−ドナーは、ネイティブＦ１−Ｃスタックを使用することができる。
【０２３９】
一例では、アーキテクチャ１ａの代替３について、図２７は、ＵＥのＲＲＣ、ＭＴのＲＲＣ、および／またはＤＵのＦ１−ＡＰのプロトコルスタックを示している。一例では、適応レイヤは、ＲＬＣの上に存在することができる。ＩＡＢ−ノードのアクセスリンクは、適応レイヤを含む場合と含まない場合とがある。アーキテクチャ１ａの代替３の例では、ＵＥおよび／またはＭＴのＲＲＣは、ＳＲＢを介して伝送されることができる。ＵＥおよび／またはＭＴのアクセスリンクでは、ＲＲＣのＳＲＢは、ＲＬＣチャネルを使用することができる。無線バックホールリンクでは、ＳＲＢのＰＤＣＰレイヤは、適応レイヤを備えたＲＬＣチャネルを介して伝送されることができる。ＲＬＣチャネルでの適応レイヤの配置は、ＣプレーンでもＵプレーンでも同じとすることができる。適応レイヤで伝送される情報は、ＳＲＢとＤＲＢとで異なる場合がある。ＤＵのＦ１−ＡＰは、併置されたＭＴのＳＲＢを介して伝送されることができる。Ｆ１−ＡＰは、ＳＲＢのＰＤＣＰによって保護されることができる。無線バックホールリンクでは、ＳＲＢのＰＤＣＰは、適応レイヤを備えたＲＬＣチャネルを介して伝送されることができる。ＩＡＢ−ドナーは、ネイティブＦ１−Ｃスタックを使用することができる。
【０２４０】
一例では、アーキテクチャ１ａの代替４について、図２８は、ＵＥのＲＲＣ、ＭＴのＲＲＣ、および／またはＤＵのＦ１−ＡＰのプロトコルスタックを示している。一例では、適応レイヤは、ＲＬＣの上に存在することができ、および／またはＩＰレイヤを伝送することができる。アーキテクチャ１ａの代替４の例では、適応によって伝送されるＩＰレイヤは、ＩＡＢ−ドナーＤＵのルーティング機能を介してフロントホールのＩＰプレーンに接続されることができる。ＩＰレイヤでは、ＩＡＢ−ノードは、ＩＰアドレスを保持することができ、これは、ＩＡＢ−ドナーＣＵ−ＣＰからルーティング可能とすることができる。拡張ＩＰプレーンは、ＩＡＢ−ノードＤＵとＩＡＢ−ドナーＣＵ−ＣＰとの間でネイティブＦ１−Ｃが使用されることを可能にすることができる。シグナリングトラフィックは、ＤＳＣＰマーキングを使用してＩＰルーティングプレーンで優先順位を付けることができる。Ｆ１−Ｃは、Ｄ−ＴＬＳなどのＮＤＳを介して保護されることができる。ＵＥおよび／またはＭＴのＲＲＣは、ＳＲＢを使用することができ、ＳＲＢは、Ｆ１−Ｃを介して伝送されることができる。
【０２４１】
一例では、アーキテクチャ１ｂの代替について、図２９は、ＵＥのＲＲＣ、ＭＴのＲＲＣ、および／またはＤＵのＦ１−ＡＰのプロトコルスタックを示している。一例では、ＤＲＢのＰＤＣＰを伝送する適応レイヤは、ＲＬＣの上に存在することができる。ＩＡＢ−ノードのアクセスリンクは、適応レイヤを含む場合と含まない場合とがある。アーキテクチャ１ｂの代替の例では、ＵＥおよび／またはＭＴのＲＲＣは、ＳＲＢを介して伝送されることができる。無線バックホールでは、ＳＲＢのＰＤＣＰは、ネイティブＦ１−Ｃを介して伝送されることができる。ＩＡＢ−ノードおよび／またはＩＡＢ−ドナー上のＤＵは、ネイティブＦ１−Ｃスタックを使用することができる。無線バックリンクを介して、ネイティブＦ１−ＣスタックのＩＰレイヤは、ＰＤＵセッションによって提供されることができる。ＰＤＵセッションは、ＤＵおよび／またはＵＰＦと併置されたＭＴ間で確立されることができる。ＰＤＵセッションは、ＭＴとＣＵ−ＵＰとの間のＤＲＢによって実行されることができる。ＣＵ−ＵＰとＵＰＦとの間で、ＰＤＵセッションは、ＮＧ−Ｕを介して実行されることができる。ＵＰＦとＣＵ−ＣＰとの間のＩＰトランスポートは、ＰＤＵセッションのＤＮによって提供されることができる。ＩＰトランスポートが保護されることができる。ＵＰＦとＣＵ−ＣＰとの間のＤＮを介したＦ１−Ｃトランスポートの保護がサポートされることができる。
【０２４２】
一例では、ＩＡＢトポロジは、スパニングツリー（ＳＴ）および／または有向非巡回グラフ（ＤＡＧ）を含むことができる。アップリンクとダウンリンクによって定義されるＵｕバックホールリンクの方向性は、ＳＴおよび／またはＤＡＧの階層に合わせることができる。ＳＴの場合、ＩＡＢ−ノードは、１つの親ノードを有することができ、それは、ＩＡＢ−ノードおよび／またはＩＡＢ−ドナーとすることができる。ＳＴの場合、ＩＡＢ−ノードは、一度に１つのＩＡＢ−ドナーに接続されるか、ＩＡＢ−ノードとＩＡＢ−ドナーとの間に１つのルートが存在することができる。ＤＡＧの場合、ＩＡＢ−ノードは、マルチ接続されることができる。すなわち、ＩＡＢ−ノードは、複数の親ノードへのリンクを有することができる。ＤＡＧの場合、ＩＡＢ−ノードは、例えばＩＡＢ−ドナーなどのノードへの複数のルートを有することができる。ＤＡＧの場合、ＩＡＢ−ノードは、複数の親を介したノードへの冗長ルートを有することができる。一例では、マルチコネクティビティ（例えば、デュアルコネクティビティ）および／またはルート冗長性が使用されることができる。冗長ルートは、例えば、負荷分散、信頼性などを実現するために同時に使用されることができる。
【０２４３】
一例では、アーキテクチャグループ１の場合、図３０に示されるように、ＩＡＢ−ノードのルートは、以下に関係することができる：同じＩＡＢ−ドナーＤＵ、および同じＩＡＢ−ドナーＣＵ−ＣＰおよびＣＵ−ＵＰ（図３０ａ）、異なるＩＡＢ−ドナーＤＵ、および同じＩＡＢ−ドナーＣＵ−ＣＰおよびＣＵ−ＵＰ（図３０ｂ）、異なるＩＡＢ−ドナーＤＵ、異なるＩＡＢ−ドナーＣＵ−ＵＰ、および同じＩＡＢ−ドナーＣＵ−ＣＰ（図３０  ３）、異なるＩＡＢ−ドナーＤＵ、ＣＵ−ＣＰおよびＣＵ−ＵＰ（図３０ｄ）。
【０２４４】
一例では、アーキテクチャグループ２について、図３１に示されるように、ＩＡＢ−ノードのルートは、同じＩＰドメインおよび／または異なるＩＰドメインに関係することができる。これらのトポロジの少なくとも一部では、トポロジ適応のためのＩＰアドレス管理および／またはプロシージャがサポートされることができる。
【０２４５】
一例では、ＩＡＢ−ノードは、オペレータのネットワークによって認証することができ、および／またはＯＡＭ構成のためのＯＡＭ機能に到達するためにＩＰ接続を確立することができる。認証フェーズは、ＩＡＢ−ドナーおよび／またはＩＡＢ−ノードとすることができるサービングノードの検出および／または選択を含むことができる。ＩＡＢ−ノードは、例えば、ＯＡＭから、および／またはＯＳＩまたはＲＲＣなどのＲＡＮシグナリングを介して、ＩＡＢ情報を取得することができる。認証フェーズは、ＲＡＮノードおよび／またはコアネットワーク（ＣＮ）への接続のセットアップを含むことができる。認証フェーズは、ＩＡＢ−ノードのＭＴ機能を含むことができる。
【０２４６】
一例では、ＩＡＢ−ノードのＤＵ、ｇＮＢ、および／またはＵＰＦは、ＲＡＮノードおよび／またはＣＮへのインターフェースとともに設定されることができる。インターフェース設定フェーズは、ＩＡＢ−ノードがＵＥのサービスを開始する前、および／またはＩＡＢ−ノードが接続する前に実行されることができる。一例では、アーキテクチャ１ａおよび１ｂの場合、インターフェース設定フェーズは、ＩＡＢ−ノードのＤＵおよび／またはＩＡＢ−ドナーのＣＵ−ＣＰおよび／またはＣＵ−ＵＰへのＦ１確立の設定を含むことができる。一例では、アーキテクチャ２ａの場合、インターフェース設定フェーズは、ＩＡＢ−ノードのｇＮＢおよび／またはＵＰＦの設定、および／または無線バックホールを介したＰＤＵセッション転送レイヤへの統合を含むことができる。一例では、インターフェース設定フェーズは、ＩＡＢ−ノードのトポロジおよび／またはルート管理への統合を含むことができる。
【０２４７】
一例では、ＩＡＢ−ノードは、ＵＥおよび／または統合されたＩＡＢ−ノードにサービスを提供することができる。ＵＥは、ＩＡＢ−ノードへのアクセスとｇＮＢ（例えば、ｅＮＢ、ＲＡＮ）へのアクセスを区別する場合としない場合とがある。
【０２４８】
一例では、ＩＡＢ−ドナーＤＵおよび／またはＩＡＢ−ドナーＣＵのＩＡＢアーキテクチャは、ｇＮＢ（例えば、ＲＡＮ）のＣＵ／ＤＵアーキテクチャに基づくことができる。無線バックホールを介してＦ１＊−ＵをサポートするＩＡＢ−ノードＤＵへの変更がサポートされることができる。
【０２４９】
一例では、図３２に示されるように、ＩＡＢ−ノードは、親ノード、子ノード、および／または無線デバイス（例えば、ＵＥ）との接続を有する。ＩＡＢ−ノードは、ダウンリンク親バックホール（例えば、Ｆ１インターフェース、ＮＧインターフェース、Ｓ１インターフェース、Ｕｕインターフェース、Ｘｎインターフェース）および／またはアップリンク親バックホール（例えば、Ｆ１インターフェース、ＮＧインターフェース、Ｓ１インターフェース、Ｕｕインターフェース、Ｘｎインターフェース）を介してＩＡＢ−ドナー（例えば、ＩＡＢ−ノードの親ノード）に接続されることができる。ＩＡＢ−ノードは、ダウンリンク子バックホール（例えば、Ｆ１インターフェース、ＮＧインターフェース、Ｓ１インターフェース、Ｕｕインターフェース、Ｘｎインターフェース）および／またはアップリンク子バックホール（例えば、Ｆ１インターフェース、ＮＧインターフェース、Ｓ１インターフェース、Ｕｕインターフェース、Ｘｎインターフェース）を介してＩＡＢ−ノードの子ノードに接続されることができる。ＩＡＢ−ノードは、ダウンリンクアクセス（例えば、Ｕｕインターフェース）および／またはアップリンクアクセス（例えば、Ｕｕインターフェース）を介して無線デバイスに接続されることができる。
【０２５０】
一例では、ＲＲＣ接続状態の無線デバイスは、基地局の少なくとも１つのセルからの接続障害を経験する（および／または判定する）ことができる。接続障害は、無線リンク障害（ＲＬＦ）および／またはハンドオーバー障害（ＨＯＦ）を含むことができる。
【０２５１】
一例では、無線デバイスは、以下の基準の１つが満たされたときにＲＬＦを判定することができる：物理レイヤからの無線問題（例えば、非同期）の表示後に開始されたタイマーの満了（タイマーが切れる前に無線問題が回復した場合、ＵＥはタイマーを停止することができる）、ランダムアクセスプロシージャの障害、ＲＬＣの障害（例えば、再送信の数が閾値を超えている）など。一例では、ＲＬＦが宣言された後、無線デバイスは以下を行うことができる：ＲＲＣ＿ＣＯＮＮＥＣＴＥＤ状態（例えば、ＲＲＣ接続状態）にとどまる、適切なセルを選択し、ＲＲＣの再確立を開始する、ＲＬＦが宣言されてから一定時間内に適切なセルが見つからなかった場合は、ＲＲＣ＿ＩＤＬＥ状態（例えば、ＲＲＣアイドル状態）に入る、ＲＬＦが宣言されてから特定の時間内に適切なセルが見つからなかった場合は、ＲＲＣ＿ＩＮＡＣＴＩＶＥ状態（例えば、ＲＲＣ非アクティブ状態）にとどまるなど。
【０２５２】
一例では、ＲＬＦに関連する無線デバイスの動作は、２つのフェーズを含むことができる。第１のフェーズは、無線の問題が検出されたときに開始されることができ、ＲＬＦ検出につながることができ、ＵＥベースのモビリティを開始することはできず、タイマー（例えば、Ｔ１）または他の基準（例えば、カウント）に基づくことができるなどである。第２のフェーズは、ＲＬＦまたはＨＯＦで開始されることができ、無線デバイスのＲＲＣアイドル状態につながることができ、ＵＥベースのモビリティを開始することができ、タイマー（例えば、Ｔ２）に基づくことができるなどである。一例では、ＲＲＣ接続状態の通常動作中の無線デバイスは、無線問題検出を含む第１のフェーズを経験し、Ｔ１中に回復しない場合があり、および／またはＴ２中に回復しないことを含む第２のフェーズを経験する場合がある。第２のフェーズの後に、ＲＲＣアイドル状態が続く場合がある（例えば、無線デバイスがＲＲＣアイドル状態になる場合がある）。通常の動作、第１のフェーズ、および／または第２のフェーズの間、無線デバイスは、ＲＲＣ接続状態にあるとみなされることができる。一例では、ＲＬＦは、第１のフェーズと第２のフェーズとの間で発生するとみなすことができる（例えば、第１のフェーズの終了時間および／または第２のフェーズの開始時間）。
【０２５３】
一例では、ＰＣｅｌｌの物理レイヤの問題を検出すると、すなわち、下位レイヤからＮ３１０の連続した非同期表示を受信すると、無線デバイスは、タイマーＴ３１０を開始することができる。ＰＣｅｌｌの下位レイヤからＮ３１１の連続した同期指示を受信すると、および／またはハンドオーバー手順をトリガし、接続再確立手順を開始すると、無線デバイスは、Ｔ３１０を停止することができる。一例では、タイマーＴ３１０が満了したときに、セキュリティがアクティブ化されていない場合、無線デバイスは、ＲＲＣ＿ＩＤＬＥ状態になることができ、および／またはセキュリティがアクティブ化されている場合、無線デバイスは、接続の再確立プロシージャを開始することができる。
【０２５４】
一例では、ＲＲＣ接続再確立プロシージャを開始すると、無線デバイスは、タイマーＴ３１１を開始することができる。ＬＴＥ／５Ｇ／別のＲＡＴの適切なセルを選択すると、無線デバイスは、Ｔ３１１を停止することができる。Ｔ３１１が満了すると、無線デバイスは、ＲＲＣ＿ＩＤＬＥ状態になることができる。
【０２５５】
一例では、無線デバイスは、早すぎるハンドオーバー、遅すぎるハンドオーバー、間違ったセルへのハンドオーバーなどのために発生する可能性があるＨＯＦを検出することができる。ハンドオーバーが早すぎる場合、ソースセルからターゲットセルへのハンドオーバーが成功した直後に無線リンク障害が発生する可能性があり、および／またはハンドオーバープロシージャ中にハンドオーバー障害が発生する可能性がある。ハンドオーバーが早すぎる場合、無線デバイスは、ソースセルで無線リンク接続を再確立しようとする場合がある。ハンドオーバーが遅すぎる場合、無線デバイスがセル内に長期間留まる可能性がある後に無線リンク障害が発生する可能性があり（例えば、無線リンクの品質が現在のセルで無線デバイスにサービスを提供するのに十分でない場合に、サービング基地局が無線デバイスのハンドオーバーを開始しない可能性があるために、無線リンク障害が発生する可能性がある）、および／または無線デバイスは、別のセルで無線リンク接続を再確立しようとする場合がある。間違ったセルへのハンドオーバーの場合、ソースセルからターゲットセルへのハンドオーバーが成功した直後に無線リンク障害が発生する可能性があり、および／またはハンドオーバープロシージャ中にハンドオーバー障害が発生する可能性がある。間違ったセルへのハンドオーバーの場合、ＵＥは、ソースセルおよびターゲットセル以外のセルで無線リンク接続を再確立しようとする場合がある。一例では、「成功したハンドオーバー」は、ランダムアクセス（ＲＡ）プロシージャの成功した完了の無線デバイスの状態を指すことができる。
【０２５６】
一例では、接続障害（例えば、ＲＬＦおよび／またはＨＯＦ）の問題を解決するために、無線デバイスおよび／またはネットワーク（例えば、基地局、基地局ＣＵ、基地局ＤＵ、ｇＮＢ、ｅＮＢ、コアネットワークなど）は、以下の機能の１つ以上をトリガすることができる：ＲＲＣ再確立の試行後の接続障害の検出、ＲＲＣ接続セットアップ後の接続障害の検出、問題分析に必要な情報の検索など。各機能のトリガは、任意とすることができ、および／または状況および／または実装に依存することができる。
【０２５７】
例示的な実施形態では、無線デバイスは、中間ネットワークノード（例えば、統合アクセスおよびバックホール（ＩＡＢ）ノード、ＩＡＢ−ドナー、基地局、ｇＮＢ、基地局分散ユニット（ｇＮＢ−ＤＵ）、中継ノード）を介してサービスされることができ、これは、無線バックホールリンクを介して無線アクセスネットワーク（ｇＮＢ、ｇＮＢ−ＣＵ、ＩＡＢ−ドナー、ｅＮＢ、基地局、ＲＡＮノードなど）に接続されることができる。中間ネットワークノードに接続された無線アクセスネットワークは、コアネットワークノード（例えば、ＡＭＦ、ＳＭＦ、ＵＰＦ、ＭＭＥ、ＳＧＷ、ＰＧＷ）との有線接続を有することができる。無線デバイスは、中間ネットワークノードを介して無線アクセスネットワークおよび／またはコアネットワークノードによってサービスされることができる。中間ネットワークノードを介して無線デバイスにサービスを提供する場合、中間ネットワークノードの無線バックホールリンクのリンク品質が無線デバイスのサービスに影響を与える可能性がある。一例では、無線バックホールリンクの閉塞／障害／問題は、無線デバイスのパケット送信および／またはサービスの障害を引き起こす可能性がある。一例では、無線バックホールリンクの閉塞／障害／問題は、無線デバイスの接続障害（例えば、無線リンク障害／ハンドオーバー障害）を引き起こす可能性がある。無線リンク障害（ＲＬＦ）レポートの既存の通信メカニズムを実装すると、無線バックホールリンクのステータスに応じて、無線リソース設定パラメータを設定する際の非効率的な動作が増える可能性がある。既存の技術は、不適切な無線パラメータ構成のために、無線デバイスの接続待ち時間とパケット送信遅延を増加させる可能性がある。既存の技術は、無線デバイスのアクセスの信頼性を低下させる可能性がある。
【０２５８】
例示的な実施形態の実装は、ＩＡＢ−ノードによってサービスされるときに接続障害を経験する無線デバイスのバックホールリンク情報を考慮したＲＬＦレポートメカニズムを提供することによって、セルラー通信の信頼性を高めることができる。例示的な実施形態は、無線バックホールリンクのステータス情報のためのネットワークノードおよび／または無線デバイスの通信をサポートすることができる。例示的な実施形態は、無線バックホールリンクのステータス情報に基づいて、ネットワークノードおよび／または無線デバイスの無線構成をサポートすることができる。例示的な実施形態の実施は、無線デバイスの接続待ち時間および／またはパケット送信遅延を減少させることができる。例示的な実施形態の実装は、無線デバイスのアクセス／通信の信頼性および／またはモビリティ性能を向上させることができる。
【０２５９】
例示的な実施形態では、図３３および／または図３４に示されるように、無線デバイス（例えば、ＵＥ、ＩＡＢ−ノード）は、第１のネットワークノード（例えば、ＩＡＢ−ドナー、ｇＮＢ−ＣＵ、および／またはｇＮＢ、ｅＮＢ）および／または第２のネットワークノード（例えば、ＩＡＢ−ノード１、ｇＮＢ−ＤＵ、および／またはｇＮＢ、ｅＮＢ））によってサービスされることができる。第２のネットワークノードは、少なくとも無線デバイスにサービスを提供するために、第１の無線リンク（例えば、リンク１、無線バックホールリンク、バックホールリンク、Ｕｕインターフェース、Ｆ１インターフェース、ＮＧインターフェース、Ｓ１インターフェース）を介して第１のネットワークノードに接続されることができる。一例では、第１の無線リンクは、１つ以上のネットワークノード（例えば、１つ以上のＩＡＢ−ドナー／ＩＡＢ−ノード）を介して接続された１つ以上の無線リンクを含むことができる。一例では、第１の無線リンクの障害は、１つ以上の無線リンクの少なくとも１つの障害を含むことができる。一例では、無線デバイスは、第２の無線リンク（例えば、リンク２、Ｕｕインターフェース）を介して第２のネットワークノードに接続されることができる。一例では、第２のネットワークノードは、無線デバイスにプライマリセルを提供することができる。一例では、第２のネットワークノードは、第１のネットワークノードと無線デバイスとの間の中間ネットワークノードとすることができる。
【０２６０】
一例では、第１のネットワークノードは、基地局、基地局（例えば、ｇＮＢ、ｅＮＢ）、中央ユニット（例えば、ｇＮＢ−ＣＵ）、および／またはＩＡＢ−ドナー（例えば、中継ドナーノード）のうちの少なくとも１つを含むことができる。一例では、第２のネットワークノードは、基地局（例えば、ｇＮＢ、ｅＮＢ）、基地局分散ユニット（例えば、ｇＮＢ−ＤＵ）、および／またはＩＡＢ−ノード（例えば、中継ノード）のうちの少なくとも１つを含むことができる。
【０２６１】
一例では、第３のネットワークノード（例えば、第２の基地局、ｇＮＢ２、ｇＮＢ、ｅＮＢ）は、第１のネットワークノードおよび／または第２のネットワークノードの隣接基地局であってもなくてもよい。第３のネットワークノードは、Ｘｎインターフェース（例えば、Ｘ２インターフェース）および／または１つ以上のＮＧインターフェースを介して（例えば、１つ以上のＡＭＦ、Ｓ１インターフェース、１つ以上のＭＭＥ、１つ以上のコアネットワークノードを介して）第１のネットワークノードに接続されることができる。第３のネットワークノードは、１つ以上のＩＡＢ−ノードおよび／または１つ以上のＩＡＢ−ドナーを含むことができる。第３のネットワークノードは、１つ以上のｇＮＢ−ＣＵおよび／または１つ以上のｇＮＢ−ＤＵを含むことができる。
【０２６２】
一例では、ＩＡＢ−ドナー（例えば、第１のネットワークノード）は、ＩＡＢアーキテクチャグループの実装に応じて、ｇＮＢ機能（例えば、ＰＨＹ／ＭＡＣ／ＲＬＣ／ＰＤＣＰ／ＳＤＡＰレイヤ）、ｇＮＢ−ＣＵ機能（例えば、少なくともＰＤＣＰ／ＳＤＡＰレイヤ）、および／または無線デバイスおよび／またはＩＡＢ−ノードのＵＰＦ機能を含むことができる。一例では、ＩＡＢ−ノード（例えば、第２のネットワークノード）は、ＩＡＢアーキテクチャグループの実装に応じて、無線デバイスについてｇＮＢ機能（例えば、ＰＨＹ／ＭＡＣ／ＲＬＣ／ＰＤＣＰ／ＳＤＡＰレイヤ）および／またはｇＮＢ−ＤＵ機能（例えば、少なくともＭＡＣ／ＰＨＹレイヤ）を含むことができる。一例では、無線デバイスは、１つ以上の無線デバイスおよび／または１つ以上のＩＡＢ−ノードにサービスを提供するＩＡＢ−ノード（またはＩＡＢ−ドナー）とすることができる。
【０２６３】
一例では、第１のネットワークノードは、基地局、統合アクセスおよびバックホールドナー（ＩＡＢ−ドナー）、および／または統合アクセスおよびバックホールノード（ＩＡＢ−ノード）のうちの少なくとも１つを含むことができる。一例では、第２のネットワークノードは、統合アクセスおよびバックホールドナー（ＩＡＢ−ドナー）および／または統合アクセスおよびバックホールノード（ＩＡＢ−ノード）のうちの少なくとも１つを含むことができる。一例では、第３のネットワークノードは、統合アクセスおよびバックホールドナー（ＩＡＢ−ドナー）および／または統合アクセスおよびバックホールノード（ＩＡＢ−ノード）のうちの少なくとも１つを含むことができる。一例では、無線デバイスは、ユーザ機器、統合アクセスおよびバックホールノード（ＩＡＢ−ノード）、および／または統合アクセスおよびバックホールドナー（ＩＡＢ−ドナー）のうちの少なくとも１つを含むことができる。
【０２６４】
一例では、無線デバイスのダウンリンクパケットは、第１のネットワークノードから第２のネットワークノードを介して無線デバイスに送信されることができる。ダウンリンクパケットは、ＰＤＣＰレイヤパケットとすることができる。第１のネットワークノードは、１つ以上のＵＰＦおよび／または１つ以上のＩＡＢ−ドナーからダウンリンクパケットのデータを受信することができる。一例では、無線デバイスのアップリンクパケットは、無線デバイスから第２のネットワークノードを介して第１のネットワークノードに送信されることができる。アップリンクパケットは、ＰＤＣＰレイヤパケットとすることができる。第１のネットワークノードは、アップリンクパケットのデータを１つ以上のＵＰＦおよび／または１つ以上のＩＡＢ−ドナーに転送することができる。
【０２６５】
一例では、図３５、図３６、図３７、図３８、図３９、図４０、図４１、図４２、図４３、および／または図４４に示されるように、無線デバイスは、第１のネットワークノードから（および／または例えば、第２のネットワークノードから）、第２のネットワークノードの第１のセルの構成パラメータを含む少なくとも１つの無線リソース制御（ＲＲＣ）メッセージを受信することができる。一例では、第１のセルは、無線デバイスのプライマリセルとすることができる。一例では、第１のセルは、無線デバイスのＳｐＣｅｌｌ／ＰＳＣｅｌｌとすることができる。
【０２６６】
一例では、第１のネットワークノード（例えば、ＩＡＢ−ドナー、ｇＮＢ−ＣＵ）が無線デバイスにＲＲＣレイヤを提供する場合（例えば、ＩＡＢアーキテクチャグループ１および／またはＩＡＢアーキテクチャ２ｃの場合）、少なくとも１つのＲＲＣメッセージは、第１のネットワークノードによって第１の無線リンクを介して第２のネットワークノード（例えば、ＩＡＢ−ノード、ｇＮＢ−ＤＵ）に送信されることができ、および／または第２のネットワークノードは、第２の無線リンクを介して少なくとも１つのＲＲＣメッセージを無線デバイスに転送／送信することができる。一例では、第２のネットワークノード（例えば、ＩＡＢ−ノード、ｇＮＢ）が無線デバイスにＲＲＣレイヤを提供する場合（例えば、ＩＡＢアーキテクチャグループ２の場合）、少なくとも１つのＲＲＣメッセージは、第２の無線リンクを介して第２のネットワークノードによって無線デバイスに送信されることができる。
【０２６７】
一例では、少なくとも１つのＲＲＣメッセージは、ＲＲＣ再構成メッセージ、ＲＲＣ接続再構成メッセージ、ＲＲＣ接続再確立メッセージ、ＲＲＣ接続設定メッセージ、ＲＲＣ接続再開メッセージ、ダウンリンクＲＲＣメッセージ、中継ノード再構成メッセージなどのうちの少なくとも１つを含むことができる。一例では、少なくとも１つのＲＲＣメッセージは、無線デバイスのＵＥ識別子（例えば、ＴＭＳＩ、Ｃ−ＲＮＴＩ、Ｆ１  ＵＥ識別子、ＮＧ  ＵＥ識別子、ＩＭＳＩ）、第１のセルのセル識別子（例えば、物理セル識別子、ＰＣＩ、グローバルセル識別子、ＧＣＩ、ＣＧＩ）、第１のセルのセル情報（例えば、セルインデックス、セルグループ構成、無線リンク障害タイマーおよび定数、ＲＬＭ同期／非同期閾値、ｔ３０４値を含む同期による再構成、プリアンブルインデックスおよび／またはＲＡＣＨリソースを含むＲＡＣＨ構成パラメータ、キャリア周波数情報、帯域幅部分構成パラメータ、ＳＳビームおよび／またはＣＳＩ−ＲＳビームのビーム構成パラメータ、ｐ−ＭＡＸ／ｐ−ＭｇＮＢ／ｐ−ＳｇＮＢを含む送信電力構成パラメータなど）、少なくとも１つのセルのセル識別子（例えば、物理セル識別子、ＰＣＩ、グローバルセル識別子、ＧＣＩ、ＣＧＩ）、少なくとも１つのセルのセル情報（例えば、セルインデックス、セルグループ構成、無線リンク障害タイマーおよび定数、ＲＬＭ同期／非同期閾値、ｔ３０４値を含む同期による再構成、プリアンブルインデックスおよび／またはＲＡＣＨリソースを含むＲＡＣＨ構成パラメータ、キャリア周波数情報、帯域幅部分構成パラメータ、ＳＳビームおよび／またはＣＳＩ−ＲＳビームのビーム構成パラメータ、ｐ−ＭＡＸ／ｐ−ＭｇＮＢ／ｐ−ＳｇＮＢを含む送信電力構成パラメータなど）、ベアラのベアラ識別子、ベアラの論理チャネル識別子（インデックス）、ベアラのＰＤＵセッション識別子、ベアラのＱｏＳフロー識別子、第２のネットワークノードのＩＡＢ−ノード識別子、第１のネットワークノードのＩＡＢ−ドナー識別子などのうちの少なくとも１つを含むことができる。一例では、第１のセルの構成パラメータ（例えば、少なくとも１つのＲＲＣメッセージの）は、第１のセルのセル識別子および／または第１のセルのセル情報を含むことができる。
【０２６８】
一例では、少なくとも１つのＲＲＣメッセージは、１つ以上のシステム情報ブロック（例えば、マスタ情報ブロック、システム情報ブロックタイプ１、システム情報ブロックタイプ２、システム情報ブロックタイプ３など）を含むことができる。一例では、１つ以上のシステム情報ブロックは、第１のセルのセル識別子、第１のセルのセル情報、少なくとも１つのセルのセル識別子、少なくとも１つのセルのセル情報などを含むことができる。一例では、少なくとも１つのセルは、無線デバイスの１つ以上のセカンダリセル（例えば、マスタセルグループおよび／またはセカンダリセルグループ）を含むことができる。
【０２６９】
一例では、少なくとも１つのＲＲＣメッセージは、ｒｒｃ−トランザクション識別子情報要素（ＩＥ）、１つ以上の無線リソース構成パラメータを含むＩＥ専用の無線リソース構成、測定構成パラメータ、モビリティ制御情報パラメータ、１つ以上のＮＡＳレイヤパラメータ、セキュリティパラメータ、アンテナ情報パラメータ、セカンダリセル追加／変更パラメータ、セカンダリセル解放パラメータ、ＷＬＡＮ構成パラメータ、ＷＬＡＮオフロード構成パラメータ、ＬＷＡ構成パラメータ、ＬＷＩＰ構成パラメータ、ＲＣＬＷＩ構成パラメータ、サイドリンク構成パラメータ、Ｖ２Ｘ構成パラメータ、アップリンク送信電力構成パラメータ（例えば、ｐ−ＭＡＸ、ｐ−ＭｅＮＢ、ｐ−ＳｅＮＢ）、電力制御モード情報要素、セカンダリセルグループ構成パラメータなどのうちの少なくとも１つを含むことができる。
【０２７０】
一例では、少なくとも１つのＲＲＣメッセージを受信することに応答して、無線デバイスは、少なくとも１つの確認応答／応答メッセージ（例えば、少なくとも１つのＲＲＣ確認応答／応答メッセージ）を、第２のネットワークノードを介して第１のネットワークノード（例えば、ＩＡＢアーキテクチャグループ１および／またはＩＡＢアーキテクチャ２ｃの場合）、および／または第２のネットワークノードに（例えば、ＩＡＢアーキテクチャグループ２の場合）に送信することができる。
【０２７１】
少なくとも１つの確認応答／応答メッセージは、少なくとも１つのＲＲＣ確認応答／応答メッセージを含むことができる。一例では、少なくとも１つの確認応答／応答メッセージは、アップリンクＲＲＣメッセージ、中継ノード再構成完了メッセージ、ＲＲＣ接続再構成完了メッセージ、ＲＲＣ接続再確立完了メッセージ、ＲＲＣ接続再開完了メッセージ、ＲＲＣ接続設定完了メッセージなどのうちの少なくとも１つを含むことができる。少なくとも１つの確認応答／応答メッセージは、少なくとも１つのＲＲＣメッセージの１つ以上の要素（例えば、第１のセルの１つ以上の構成パラメータ）が無線デバイスによって正常に構成されているかどうかを示すことができる。少なくとも１つの確認応答／応答メッセージは、ベアラが無線デバイスによって首尾よく確立されているかどうかを示すことができる。
【０２７２】
一例では、無線デバイスは、構成パラメータ（例えば、第１のセルおよび／または少なくとも１つのセルを介して）、および／または第１のネットワークノードおよび／または第２のネットワークノードから受信された（例えば、少なくとも１つのＲＲＣメッセージを介して受信されたＲＬＣ／ＰＤＣＰ／ＭＡＣ構成パラメータおよび／または物理レイヤ構成に基づいて、例えば、ｐ−ＭＡＸに対応する電力レベルで送信）少なくとも１つのＲＲＣメッセージの１つ以上の要素に基づくパケットを、第２のネットワークノードに送信することができる。第２のネットワークノードは、パケットを第１のネットワークノードに転送／送信することができる。第１のネットワークノードは、パケット（例えば、パケットのデータ）を１つ以上のＵＰＦおよび／または１つ以上のサービングゲートウェイに転送／送信することができる。一例では、無線デバイスは、例えば、少なくとも１つのＲＲＣメッセージに基づいて、ベアラを介して第２のネットワークノードにパケットを送信することができる。第２のネットワークノードは、パケット（またはパケットのデータ）（例えば、アップリンクパケット）を、ベアラを介して第１のネットワークノードに転送することができる。
【０２７３】
一例では、無線デバイスは、第２のネットワークノードから、構成パラメータ（例えば、第１のセルおよび／または少なくとも１つのセルを介して）、および／または第１のネットワークノードおよび／または第２のネットワークノードから受信した（例えば、少なくとも１つのＲＲＣメッセージを介して受信したＲＬＣ／ＰＤＣＰ／ＭＡＣ構成パラメータおよび／または物理レイヤ構成に基づいて、例えば、少なくとも１つのＲＲＣメッセージによって構成されたリソース調整パラメータに基づいて割り当てられたリソースを介してパケットを受信）少なくとも１つのＲＲＣメッセージの１つ以上の要素に基づくパケットを受信することができる。第２のネットワークノードは、第１のネットワークノードからパケットを受信することができる。第１のネットワークノードは、１つ以上のＵＰＦから、および／または１つ以上のサービングゲートウェイからパケット（例えば、パケットのデータ）を受信することができる。一例では、無線デバイスは、例えば、少なくとも１つのＲＲＣメッセージに基づいて、第２のネットワークノードから、ベアラを介してパケットを受信することができる。第２のネットワークノードは、ベアラを介して第１のネットワークノードからパケット（またはパケットのデータ）（例えば、ダウンリンクパケット）を受信することができる。
【０２７４】
一例では、無線デバイスは、バックホールリンク障害（例えば、バックホールリンク問題、バックホールリンク閉塞）に基づいて、第１のネットワークノードから（および／または例えば、第２のネットワークノードから）から接続障害を判定することができる。一例では、接続障害は、無線リンク障害および／またはハンドオーバー障害のうちの少なくとも１つを含むことができる。一例では、接続障害は、バックホールリンク障害を含むことができる。一例では、バックホールリンク障害は、第１のネットワークノードと第２のネットワークノードとの間に確立された第１の無線リンクの障害（例えば、問題、閉塞、障害、利用不能、切断、停止）を含むことができる。一例では、第１の無線リンクは、１つ以上のネットワークノードを介して接続された１つ以上の無線リンクを含むことができる。第１の無線リンクの障害（例えば、問題、閉塞、障害、利用不能、切断、停止）は、１つ以上の無線リンクの少なくとも１つの障害を示すことができる。
【０２７５】
バックホールリンク障害は、第２のネットワークノードの接続障害（例えば、無線リンク障害、ハンドオーバー障害）を含むことができる（および／または例えば、そのために発生することができる）。バックホールリンク障害は、第２のネットワークノードの閉塞（例えば、障害、問題、無力、利用不能、切断、停止）（例えば、第１のネットワークノードとのシグナリングの一時的な障害）を含むことができる（および／または例えば、そのために発生することができる）。第１の無線リンクの閉塞（および／または例えば、バックホールリンク障害）は、以下のうちの少なくとも１つを含むことができる：セル（例えば、第２のネットワークノードにサービスを提供するセル）のビーム障害、セル（例えば、第２のネットワークノードにサービスを提供するセル）のビーム障害回復障害、セル（例えば、第２のネットワークノードにサービスを提供するセル）のタイムアライメントタイマーの満了、第１のカウント値以上である第２のネットワークノードの第１の数の無線リンク制御（ＲＬＣ）パケット再送信（および／またはＨＡＲＱ再送信）、第１の電力／品質値以下であるセル（例えば、第２のネットワークノードにサービスを提供するセル）から第２のネットワークノードの電力／品質（ＲＳＲＰ／ＲＳＲＱ）を受信した基準信号、閉塞タイマーの満了（例えば、閉塞は第２のネットワークノードによって判定されるため、閉塞タイマーの時間が経過する）など。
【０２７６】
一例では、ＩＡＢアーキテクチャグループ１および／またはＩＡＢアーキテクチャグループ２ｃの場合（例えば、ＲＲＣ機能がＩＡＢ−ドナー（例えば、第１のネットワークノード）に位置する）、第１のネットワークノードからの無線デバイスの接続障害は、ＲＲＣ接続障害（および／または例えば、ＲＬＣ／ＭＡＣレイヤ接続障害、Ｆ１接続障害）を含むことができる。一例では、ＩＡＢアーキテクチャグループ２の場合（例えば、ＲＲＣ機能がＩＡＢ−ノード（例えば、第２のネットワークノード）に位置する）、第１のネットワークノードからの無線デバイスの接続障害は、バックホールリンク問題（および／または障害）（例えば、ＮＧ接続障害、バックホールリンク障害）を含むことができる。
【０２７７】
一例では、無線デバイスは、第２のネットワークノードからの指示に基づいて、および／または上位レイヤのパケット送信ステータスに基づいて、バックホールリンク障害を判定することができる（例えば、ＲＬＣパケット送信障害、送信されたＲＬＣパケットからのＡＣＫを受信しない、送信されたＲＬＣパケットのＮＡＣＫを受信する、および／または構成された値以上のＲＬＣパケット再送信の数）。
【０２７８】
一例では、無線デバイスは、第２のネットワークノードから、第１のネットワークノードと第２のネットワークノードとの間に確立された第１の無線リンクの障害（例えば、問題、閉塞）を示すバックホールリンク障害情報を受信することができる。一例では、無線デバイスは、バックホールリンク障害情報に基づいて接続障害を判定することができる。一例では、無線デバイスは、第２のネットワークノードから、接続解放表示を受信することができる。接続解放表示は、バックホールリンク障害情報を含むことができる。接続解放表示は、第２のネットワークノード（例えば、第１のセル）および／または第１のネットワークノードからの接続を解放するように無線デバイスに命令／指示することができる。第２のネットワークノードは、バックホールリンク障害情報を介して示されたバックホールリンク障害（例えば、問題）の判定に応答して、接続解放表示を送信することができる。
【０２７９】
一例では、無線デバイスは、媒体アクセス制御制御要素（ＭＡＣ  ＣＥ）、ダウンリンク制御情報（ＤＣＩ）を含む物理レイヤコマンド、適応レイヤ表示、１つ以上のユーザプレーンパケット、および／または無線リソース制御メッセージ（例えば、ＲＲＣ接続解放メッセージ、ダウンリンクＲＲＣメッセージ、ＲＲＣ接続再構成メッセージ）のうちの少なくとも１つを介して、接続解放表示および／またはバックホールリンク障害情報を受信することができる。一例では、適応レイヤ表示は、以下のうちの少なくとも１つを含むことができる：１つ以上の（例えば、適応レイヤ）パケット（例えば、パケットのデータを含む）のうちの少なくとも１つ、および／または１つ以上の（例えば、適応レイヤ）パケット（例えば、パケットのデータを含む）のうちの少なくとも１つのヘッダ。
【０２８０】
一例では、バックホールリンク障害情報は、以下のうちの少なくとも１つを含むことができる：第１のネットワークノードの第１のノード識別子、第２のネットワークノードの第２のノード識別子、バックホールリンク障害の障害（例えば、閉塞、問題）タイプ（例えば、一時的な閉塞、第２のネットワークノードの複数のバックホールリンクの少なくとも１つの障害、および／または第２のネットワークノードの全てのバックホールリンクの障害の少なくとも１つを含む）、統合アクセスおよびバックホールノード障害を判定するためのタイマー値（例えば、無線デバイスは、タイマー値のタイマーの満了に応答してバックホールリンク障害を判定することができ、タイマーは、バックホールリンク障害情報の受信に応答して開始することができる）、第２のネットワークノードの１つ以上のセルの休止状態への状態遷移を示す表示パラメータ、第２のネットワークノードの１つ以上のセルの解放を示す表示パラメータ、第１の無線リンクの障害の原因値（例えば、ＲＬＦ原因、ＲＬＣ再送信番号、障害タイマーの有効期限、ビーム障害回復の障害、ランダムアクセスの障害、タイムアライメントタイマーの有効期限）、第１の無線リンクの障害によって影響を受けるベアラのベアラ識別子、セル（例えば、第２のネットワークノードによって使用される）（例えば、第１のネットワークノードのセル）（例えば、第１の無線リンクの障害を引き起こすセル）の１つ以上のビームの１つ以上のビーム識別子、セル（例えば、第２のネットワークノードによって使用される）（例えば、第１のネットワークノードのセル）（例えば、第１の無線リンクの障害を引き起こすセル）の１つ以上のＢＷＰの１つ以上の帯域幅部分（ＢＷＰ）識別子、および／またはセル（例えば、第２のネットワークノードによって使用される）（例えば、第１のネットワークノードのセル）（例えば、第１の無線リンクの障害を引き起こす）のセル識別子。
【０２８１】
一例では、バックホールリンク障害情報は、第１のネットワークノードと第２のネットワークノードとの間の１つ以上のネットワークノードのネットワークノードのノード識別子を含むことができる（例えば、障害／閉塞／問題を経験したネットワークノードのアクセス無線リンク；例えば、ネットワークノードのアクセス無線リンクは、第１のネットワークノードと第２のネットワークノードとの間の１つ以上のネットワークノードを介して接続された（障害のある）１つ以上の無線リンクの１つである／それを含む）。
【０２８２】
一例では、バックホールリンク障害情報の表示は、第２のネットワークノードの１つ以上のセルの休止状態への状態遷移を示す表示パラメータ（例えば、ＭＡＣ  ＣＥを介して）を含むことができる。一例では、表示パラメータが、無線デバイスの第２のネットワークノードの全てのセルまたは全てのセルの一部が休止状態に遷移することを示している場合、無線デバイスは、第１の無線リンクが閉塞（例えば、障害）を経験しているとみなすことができる。
【０２８３】
一例では、バックホールリンク障害情報の表示は、第２のネットワークノードの１つ以上のセルの非アクティブ化を示す表示パラメータ（例えば、ＭＡＣ  ＣＥを介して）を含むことができる。一例では、表示パラメータが、無線デバイスの第２のネットワークノードの全てのセルまたは全てのセルの一部が非アクティブ化されていることを示している場合、無線デバイスは、第１の無線リンクが閉塞（例えば、障害）を経験しているとみなすことができる。
【０２８４】
一例では、第２のネットワークノードは、以下のうちの少なくとも１つに基づいて、第１の無線リンクの障害（例えば、閉塞）を判定することができる：（例えば、第１のネットワークノードからのおよび／または第１のネットワークノードおよび第２のネットワークノードを接続する１つ以上のネットワークノードからの）無線リンク障害、ハンドオーバー障害、第２のネットワークノードにサービスを提供するセルのビーム障害、セル（例えば、第２のネットワークノードにサービスを提供するセル；例えば、第１のネットワークノードのセル）のビーム障害回復障害、セル（例えば、第２のネットワークノードにサービスを提供するセル；例えば、第１のネットワークノードのセル）を介したランダムアクセスの障害、セル（例えば、第２のネットワークノードにサービスを提供するセル；例えば、第１のネットワークノードのセル）のタイムアライメントタイマーの満了、第１の値を超えている第１のネットワークノードへの無線リンク制御（ＲＬＣ）パケット再送信（またはＨＡＲＱ再送信）の第１の数、セル（例えば、第２のネットワークノードにサービスを提供するセル；例えば、第１のネットワークノードのセル）、および／またはセル（例えば、第２のネットワークノードにサービスを提供するセル；電力／品質値以下である（例えば、それ以下になる）第１のネットワークノードのセル）の１つ以上のビームの基準信号受信電力／品質、閉塞タイマーの満了など。
【０２８５】
一例では、第２のネットワークノードが第１のネットワークノードのセル（および／または第２のネットワークノードにサービスを提供するセル）の１つ以上のサービングビームのビーム障害を判定する場合、第２のネットワークノードは、第１の無線リンクの閉塞（例えば、障害）を判定することができる。一例では、第２のネットワークノードが、第１のネットワークノードのセル（および／または第２のネットワークノードにサービスを提供するセル）の１つ以上のサービングビームのビーム障害を判定すると、第２のネットワークノードは、閉塞タイマーを開始することができ、および／または閉塞タイマーの満了に応答して第１の無線リンクの閉塞（例えば、障害）を判定することができる。
【０２８６】
一例では、第２のネットワークノードが、第１のネットワークノードのセル（および／または第２のネットワークノードにサービスを提供するセル）の１つ以上のサービングビームに対する１つ以上のビーム障害回復プロシージャのビーム障害回復障害を判定する場合、第２のネットワークノードは、第１の無線リンクの閉塞（例えば、障害）を判定することができる。一例では、第２のネットワークノードが、第１のネットワークノードのセル（および／または第２のネットワークノードにサービスを提供するセル）の１つ以上のサービングビームに対する１つ以上のビーム障害回復プロシージャのビーム障害回復障害を判定するとき、第２のネットワークノードは、閉塞タイマーを開始することができ、および／または閉塞タイマーの満了に応答して第１の無線リンクの閉塞（例えば、障害）を判定することができる。
【０２８７】
一例では、第２のネットワークノードが第１のネットワークノードのセル（および／または第２のネットワークノードにサービスを提供するセル）のランダムアクセス障害を判定する場合、第２のネットワークノードは、第１の無線リンクの閉塞（例えば、障害）を判定することができる。一例では、第２のネットワークノードが第１のネットワークノードのセル（および／または第２のネットワークノードにサービスを提供するセル）のランダムアクセス障害を判定するとき、第２のネットワークノードは、閉塞タイマーを開始することができ、および／または閉塞タイマーの満了に応答して第１の無線リンクの閉塞（例えば、障害）を判定することができる。
【０２８８】
一例では、第２のネットワークノードが第１のネットワークノードのセル（および／または第２のネットワークノードにサービスを提供するセル）のタイムアライメントタイマーの満了を判定する場合、第２のネットワークノードは、第１の無線リンクの閉塞（例えば、障害）を判定することができる。一例では、第２のネットワークノードが第１のネットワークノードのセル（および／または第２のネットワークノードにサービスを提供するセル）のタイムアライメントタイマーの満了を判定するとき、第２のネットワークノードは、閉塞タイマーを開始することができ、および／または閉塞タイマーの満了に応答して第１の無線リンクの閉塞（例えば、障害）を判定することができる。一例では、第２のネットワークノードが第１のネットワークノードからタイミングアドバンスコマンド（ＴＡＣ）を受信すると、第２のネットワークノードは、第１の無線リンクの閉塞の回復を判定することができる。
【０２８９】
一例では、第２のネットワークノードが、第１のネットワークノードへの無線リンク制御パケット再送信（またはＨＡＲＱ再送信）の第１の数がカウント値以上になると判定した場合、第２のネットワークノードは、第１の無線リンクの閉塞（例えば、障害）を判定することができる。一例では、第２のネットワークノードが、第１のネットワークノードへの無線リンク制御パケット再送信（またはＨＡＲＱ再送信）の第１の数がカウント値以上になると判定した場合、第２のネットワークノードは、閉塞タイマーを開始することができ、および／または閉塞タイマーの満了に応答して第１の無線リンクの閉塞（例えば、障害）を判定することができる。
【０２９０】
一例では、第２のネットワークノードが、第１のネットワークノードのセル（および／または第２のネットワークノードにサービスを提供するセル）の１つ以上のビームの電力／品質（ＲＳＲＰ／ＲＳＲＱ）を受信した基準信号、および／または第１のネットワークノードのセル（および／または第２のネットワークノードにサービスを提供するセル）のＲＳＲＰ／ＲＳＲＱが電力／品質値以下になる／またはそれ以下であると判定した場合、第２のネットワークノードは、第１の無線リンクの閉塞（例えば、障害）を判定することができる。一例では、第２のネットワークノードが、第１のネットワークノードのセル（および／または第２のネットワークノードにサービスを提供するセル）の１つ以上のビームのＲＳＲＰ／ＲＳＲＱ、および／または第１のネットワークノードのセル（および／または第２のネットワークノードにサービスを提供するセル）のＲＳＲＰ／ＲＳＲＱが電力／品質値以下になるまたはそれ以下であると判定するとき、第２のネットワークノードは、閉塞タイマーを開始することができ、および／または閉塞タイマーの満了に応答して第１の無線リンクの閉塞（例えば、障害）を判定することができる。
【０２９１】
一例では、バックホールリンク障害の判定に応答して、無線デバイスは、第２のネットワークノードおよび／または第１のネットワークノードを介して確立されたベアラを解放することができる。一例では、バックホールリンク障害の判定に応答して、無線デバイスは、第２のネットワークノードの第１のセルを解放することができる。一例では、バックホールリンク障害の判定に応答して、無線デバイスは、第１のネットワークノードおよび／または第２のネットワークノードを解放することができる。一例では、バックホールリンク障害の判定に応答して、無線デバイスは、第２のネットワークノードおよび／または第１のネットワークノードの構成（例えば、ＲＲＣ構成、ＭＡＣ構成、ＰＤＣＰ構成、ＲＬＣ構成、ＳＤＡＰ構成、ＰＨＹ構成、ベアラ構成、セキュリティ構成、ＵＬ／ＤＬリソース構成、電源構成、セル構成、ビーム構成など）を解放することができる。
【０２９２】
一例では、無線デバイスは、バックホールリンク障害の判定に応答して、ベアラおよび／または１つ以上のベアラの第２のネットワークノードへのスケジューリング要求（例えば、アップリンク送信のためのリソース要求）の送信を停止することができる。一例では、バックホールリンク障害の判定に応答して、無線デバイスは、第２のネットワークノードのセル（例えば、第１のセル）のハイブリッド自動反復要求バッファをフラッシュすることができる。一例では、バックホールリンク障害の判定に応答して、無線デバイスは、第２のネットワークノードのセルの構成されたアップリンク許可タイプ１を一時停止（例えば、クリア、解放）することができる。一例では、バックホールリンク障害の判定に応答して、無線デバイスは、第２のネットワークノードのセルの構成されたダウンリンク割り当てをクリアすることができる。
【０２９３】
一例では、バックホールリンク障害の判定に応答して、無線デバイスは、第２のネットワークノードのセルの構成されたアップリンク許可タイプ２をクリア（例えば、一時停止、解放）することができる。一例では、バックホールリンク障害の判定に応答して、無線デバイスは、第２のネットワークノードのセルの１つ以上の帯域幅部分の帯域幅部分非アクティブタイマーを停止（例えば、一時停止）することができる（例えば、セルが一時停止されている、および／または休止／非アクティブ化状態に移行したとみなす）。一例では、バックホールリンク障害の判定に応答して、無線デバイスは、第２のネットワークノードのセルの帯域幅部分非アクティブタイマーを開始（例えば、再起動）することができる（例えば、バックホールリンク閉塞情報を受信することを、セルおよび／または対応する帯域幅部分を介してダウンリンク表示を受信することとみなす）。
【０２９４】
一例では、バックホールリンク障害の判定に応答して、無線デバイスは、第２のネットワークノードのセル上でランダムアクセスプロシージャ（例えば、進行中のランダムアクセスプロシージャ）を停止（例えば、中止）することができる（例えば、ランダムアクセスプリアンブルの送信を停止し、および／またはランダムアクセス応答の監視を停止する）。一例では、バックホールリンク障害の判定に応答して、無線デバイスは、第２のネットワークノードのセルのセカンダリセル非アクティブ化タイマーを停止（例えば、一時停止）することができる（例えば、セルが一時停止および／または休止／非アクティブ化状態に移行したとみなす）。一例では、バックホールリンク障害の判定に応答して、無線デバイスは、第２のネットワークノードのセルのセカンダリセル非アクティブ化タイマーを開始（例えば、再起動）することができる（例えば、バックホールリンク閉塞情報を受信することを、セルを介してダウンリンク表示を受信することとみなす）。一例では、バックホールリンク障害の判定に応答して、無線デバイスは、第２のネットワークノードのセルを休止状態に遷移させることができる。一例では、バックホールリンク障害の判定に応答して、無線デバイスは、第２のネットワークノードのセルを非アクティブ化することができる。
【０２９５】
一例では、バックホールリンク障害の判定に応答して、無線デバイスは、第２のネットワークノードへのトランスポートブロックの送信を停止することができる（例えば、構成された許可タイプ１および／またはタイプ２のリソースを介して）。一例では、バックホールリンク障害の判定に応答して、無線デバイスは、バッファステータスレポート（ＢＳＲ）の第２のネットワークノード（例えば、第１のベアラ、および／または第１のベアラの論理チャネル）への送信を停止することができる。一例では、バックホールリンク障害の判定に応答して、無線デバイスは、第２のネットワークノードへの電力ヘッドルームレポート（ＰＨＲ）の送信を停止することができる。
【０２９６】
一例では、バックホールリンク障害の判定に応答して、無線デバイスは、１つ以上のセルを介して第２のネットワークノードへのサウンディング基準信号（ＳＲＳ）の送信を停止することができる（例えば、１つ以上のセルが一時停止および／または休止／非アクティブ化状態に遷移したとみなす）。一例では、バックホールリンク障害の判定に応答して、無線デバイスは、（例えば、第２のネットワークノードがアクセスリンクを監視するため）１つ以上のセルを介して第２のネットワークノードにサウンディング基準信号（ＳＲＳ）を送信することができる。
【０２９７】
一例では、バックホールリンク障害の判定に応答して、無線デバイスは、チャネル状態情報（例えば、ＣＳＩ）の第２のネットワークノードへの送信を停止することができる（例えば、第２のネットワークノードのセルが一時停止および／または休止／非アクティブ化状態に移行したとみなす）。一例では、バックホールリンク障害の判定に応答して、無線デバイスは、チャネル状態情報（例えば、ＣＳＩ）を第２のネットワークノード（例えば、休止状態に移行したセルの場合、および／またはアクセスリンクを監視するための第２のネットワークノードの場合）に送信することができる。
【０２９８】
一例では、バックホールリンク障害の判定に応答して、無線デバイスは、アップリンク共有チャネル（例えば、ＳＣＨ、ＰＵＳＣＨ）を介した第２のネットワークノードへのトランスポートブロックの送信を停止することができる。一例では、バックホールリンク障害の判定に応答して、無線デバイスは、ランダムアクセスチャネル（例えば、ＲＡＣＨ）を介した第２のネットワークノードへのプリアンブルの送信を停止することができる。
【０２９９】
一例では、バックホールリンク障害の判定に応答して、無線デバイスは、第２のネットワークノードのセルの物理ダウンリンク制御チャネル（ＰＤＣＣＨ）の監視を停止することができる（例えば、第１の無線リンクの回復および／または障害表示が他のリンクを介して（例えば、第１のネットワークノードおよび／または第３のネットワークノードを介して）またはセルとは異なる他のセルを介して送信される場合）。一例では、バックホールリンク障害の判定に応答して、無線デバイスは、第２のネットワークノードのセルの物理ダウンリンク制御チャネル（ＰＤＣＣＨ）を監視することができる（例えば、第１の無線リンクの回復および／または障害表示を受信するため）。
【０３００】
一例では、バックホールリンク障害の判定に応答して、無線デバイスは、第２のネットワークノードのセルの物理ダウンリンク制御チャネル（ＰＤＣＣＨ）の監視を停止することができる（例えば、第２のネットワークノードのセルが一時停止されている、および／または休止／非アクティブ化状態に移行したとみなす）。一例では、バックホールリンク障害の判定に応答して、無線デバイスは、第２のネットワークノードのセルの物理ダウンリンク制御チャネル（ＰＤＣＣＨ）を監視することができる（例えば、第１の無線リンクの回復および／または障害表示を受信するため）。
【０３０１】
一例では、バックホールリンク障害の判定に応答して、無線デバイスは、第２のネットワークノードのセルを介した物理アップリンク制御チャネル（ＰＵＣＣＨ）の送信を停止することができる。一例では、バックホールリンク障害の判定に応答して、無線デバイスは、第２のネットワークノードのセルを介して物理アップリンク制御チャネル（ＰＵＣＣＨ）を送信することができる（例えば、第２のネットワークノードのセルの解放／非アクティブ化／休止状態への移行を示すために）。
【０３０２】
一例では、バックホールリンク障害の判定に応答して、無線デバイスは、以下のうちの少なくとも１つを送信することができる：第２のネットワークノードのセルのチャネル品質情報（例えば、ＣＱＩ）、第２のネットワークノードのセルのプリコーディングマトリックスインデックス（ＰＭＩ）、第２のネットワークノードのセルのランクインジケータ（ＲＩ）、第２のネットワークノードのセルのプリコーディングタイプインジケータ、第２のネットワークノードのセルのチャネル状態情報参照信号（ＣＳＩ−ＲＳ）リソースインジケータ、および／または第２のネットワークノードのセルのチャネル状態情報（例えば、ＣＳＩ）。
【０３０３】
一例では、バックホールリンク障害および／または接続障害を判定することに応答して（および／または例えば、第１のセル、第２のネットワークノード、および／または第１のネットワークノードを解放することに応答して）、無線デバイスは、ＲＲＣ状態をＲＲＣアイドル状態にするかまたはＲＲＣ接続状態からＲＲＣ非アクティブ状態に遷移することができる。
【０３０４】
一例では、バックホールリンク障害および／または接続障害を判定することに応答して（および／または例えば、第１のセル、第２のネットワークノード、および／または第１のネットワークノードを解放することに応答して）、無線デバイスは、無線リソース制御接続（例えば、ＲＲＣ接続の確立および／またはＲＲＣ接続の再確立）のための第３のネットワークノードの第２のセルを選択することができる。一例では、無線デバイスは、１つ以上のセルの測定結果に基づいて第２のセルを選択することができる。１つ以上のセルは、第１のセル、第２のセル、および／または第２のセルおよび／または第１のセルの１つ以上の隣接セルのうちの少なくとも１つを含むことができる。
【０３０５】
一例では、第３のネットワークノードは、第１のネットワークノードとすることができる。一例では、第３のネットワークノードは、第２のネットワークノードとすることができる。一例では、第３のネットワークノードは、第１のネットワークノードおよび第２のネットワークノードを含むことができる。一例では、第１のセルは、第２のセルとすることができる。一例では、第１のセルは、第２のセルとは異なるセルとすることができる。
【０３０６】
一例では、測定結果は、１つ以上のセルの基準信号受信電力（ＲＳＲＰ）および／または基準信号受信品質（ＲＳＲＱ）、１つ以上のセルの１つ以上のビームのＲＳＲＰ／ＲＳＲＱ、および／または１つ以上のセルの複数のビームのグループのＲＳＲＰ／ＲＳＲＱを含むことができる。一例では、第２のセルのＲＳＲＰ／ＲＳＲＱおよび／または第２のセルの１つ以上のビーム（またはビームのグループ）が電力値（例えば、デルタｄＢ）以上である、および／または品質値（例えば、ガンマｄＢ）以上であることに応答して、無線デバイスは、第２のセルを選択することができる。一例では、第２のセルのＲＳＲＰ／ＲＳＲＱおよび／または第２のセルの１つ以上のビーム（またはビームのグループ）が、第２のセルの１つ以上の隣接セルおよび／または１つ以上の隣接セルの１つ以上のビーム（またはビームのグループ）のＲＳＲＰ／ＲＳＲＱ以上であることに応答して、無線デバイスは、第２のセルを選択することができる。
【０３０７】
一例では、第２のセルが許可されていないアクセスセルのリスト（例えば、ブラックリストセル）に属さない、および／または許可されたアクセスセルのリスト（例えば、ホワイトリストセル）に属さないことに応答して、無線デバイスは、第２のセルを選択することができる。無線デバイスは、以下のうちの少なくとも１つに応答して第２のセルを選択することができる：許可された閉じた加入者グループのものである第２のセル、必要なネットワークスライスをサポートする第２のセル（例えば、第２のセルのシステム情報ブロックを介してブロードキャストされるＮＳＳＡＩ／Ｓ−ＮＳＳＡＩ／ネットワークスライス情報に基づく、および／または無線デバイスのアプリケーションレイヤに必要なＮＳＳＡＩ／Ｓ−ＮＳＳＡＩに基づく）、ネットワーク能力情報（例えば、第３のネットワークノードおよび／または第２のセルのＲＡＮ能力）、第２のセルによってサポートされているヌメロロジ／ＴＴＩ、第２のセルおよび／または１つ以上の隣接セルの輻輳レベル（例えば、第２のセルの１つ以上のシステム情報ブロックを介して受信された輻輳レベル）、第３のネットワークノードのバックホールリンク容量（例えば、第２のセルの１つ以上のシステム情報ブロックを介して受信したバックホールリンク容量に関する情報）、第３のネットワークノードのバックホールリンクの信頼性（例えば、第２のセルの１つ以上のシステム情報ブロックを介して受信したバックホールリンクの信頼性に関する情報）、第３のネットワークノードのバックホールリンク輻輳（例えば、第２のセルの１つ以上のシステム情報ブロックを介して受信したバックホールリンク輻輳に関する情報）など。
【０３０８】
一例では、第３のネットワークノードの第２のセルを選択することに応答して、無線デバイスは、第２のセルにキャンプオンすることができる。一例では、第３のネットワークノードの第２のセルを選択することに応答して、無線デバイスは、例えば、第２のセルを介して３番目のネットワークノードとＲＲＣ接続を行うために、第２のセルを介して第３のネットワークノードに１つ以上のランダムアクセスプリアンブルを送信することによってランダムアクセスプロシージャを開始することができる。一例では、無線デバイスは、第２のセルを介して、１つ以上のランダムアクセスプリアンブルを送信することができる。無線デバイスは、第３のネットワークノードから、１つ以上のランダムアクセスプリアンブルに対するランダムアクセス応答を受信することができる。一例では、無線デバイスは、例えば、ＲＲＣ接続再確立／セットアップ／再開を要求するために、ランダムアクセス応答に基づいて第３のネットワークノードに、無線リソース制御（ＲＲＣ）接続（例えば、再確立および／または確立）要求メッセージ（例えば、ＲＲＣ接続再確立／セットアップ／再開要求メッセージおよび／またはＲＲＣ接続再確立／セットアップ／再開完了メッセージ）を送信することができる。一例では、ＲＲＣ接続要求メッセージは、無線デバイスが接続障害（例えば、ＲＬＦ、ＨＯＦ、再構成障害、バックホールリンク障害／閉塞／問題、他の障害など）を経験したことを示す表示フィールドを含むことができる。表示フィールドは、ＲＲＣ接続の再確立／セットアップ／再開要求の原因（確立の原因など）を示すことができる。一例では、ＲＲＣ接続要求メッセージ（例えば、ＲＲＣ接続再確立／セットアップ／再開要求メッセージおよび／またはＲＲＣ接続再確立／セットアップ／再開完了メッセージ）は、無線デバイスが基地局（例えば、第３のネットワークノード）に送信する接続障害に関するレポート（例えば、レポートに対するイベント、ＲＬＦレポート、接続障害レポート）を有することを示すレポート表示を含むことができる。
【０３０９】
一例では、無線デバイスは、第３のネットワークノードに、無線リンク障害（ＲＬＦ）レポート（例えば、接続障害レポート、バックホールリンク障害レポート）を送信することができる。ＲＬＦレポートは、接続障害（および／または例えば、バックホールリンク障害）の原因値を含むことができる。原因値は、バックホールリンク障害が接続障害を引き起こしたことを示すことができる。
【０３１０】
一例では、ＲＲＣ接続要求メッセージ（例えば、ＲＲＣ接続再確立／セットアップ／再開要求メッセージおよび／またはＲＲＣ接続再確立／セットアップ／再開完了メッセージ）は、ＲＬＦレポートを構成することができる。一例では、無線デバイスから第３のネットワークノードに送信されるレポートメッセージ（例えば、ＵＥ情報メッセージ）は、ＲＬＦレポートを含むことができる。
【０３１１】
一例では、無線デバイスは、第３のネットワークノードから、ＲＬＦレポートを第３のネットワークノードに送信する要求を示すレポート要求メッセージ（例えば、ＵＥ情報要求メッセージ）を受信することができる。第３のネットワークノードは、ＲＲＣ接続要求メッセージのレポート表示に基づいて（および／またはそれに応答して）、無線デバイスから受信したレポート要求メッセージ（例えば、ＲＲＣ接続再確立／セットアップ／再開要求メッセージおよび／またはＲＲＣ接続再確立／セットアップ／再開完了メッセージ）を送信することができる。一例では、レポート要求メッセージ（例えば、ＵＥ情報要求メッセージ）の受信に応答して、無線デバイスは、第３のネットワークノードに、ＲＬＦレポートを含むレポートメッセージ（例えば、ＵＥ情報メッセージ）を送信することができる。一例では、レポート要求メッセージ（例えば、ＵＥ情報要求メッセージ）および／またはレポートメッセージ（例えば、ＵＥ情報メッセージ）は、ＲＲＣメッセージとすることができる。一例では、無線デバイスは、第３のネットワークノードからレポート要求メッセージ（例えば、ＵＥ情報要求メッセージ）を受信したことに応答して、第３のネットワークノードにＲＬＦレポート（例えば、レポートメッセージおよび／またはＵＥ情報メッセージ）を送信することができる。
【０３１２】
一例では、接続障害の原因値（例えば、無線デバイスがＲＬＦレポートを介して第３のネットワークノードに送信する）は、第２のネットワークノードおよび／または第１のネットワークノードによって提供されたときに無線デバイスが接続障害および／またはバックホールリンク障害を判定した理由／原因を示すことができる。一例では、接続障害の原因値（例えば、無線デバイスがＲＬＦレポートを介して第３のネットワークノードに送信する）は、第２のネットワークノードが無線デバイスにサービスを提供したときに第２のネットワークノードがバックホールリンク障害を判定した理由／原因を示すことができる。一例では、原因値は、無線デバイスが第２のネットワークノードから受信したバックホールリンク障害情報を含むことができる。
【０３１３】
一例では、原因値は、以下のうちの少なくとも１つを示す１つ以上のフィールドを含むことができる：第２のネットワークノードにサービスを提供するセルのビーム障害（および／またはセルのセル識別子、ビーム障害の１つ以上のビームの１つ以上のビーム識別子）、第２のネットワークノードにサービスを提供するセルのビーム障害回復障害（および／またはセルのセル識別子、ビーム障害回復障害の１つ以上のビームの１つ以上のビーム識別子）、第２のネットワークノードにサービスを提供するセルのタイムアライメントタイマー（ＴＡＴ）の満了（および／またはＴＡＴ満了のセルのセル識別子）、第１のカウント値以上である第２のネットワークノードの第１の数の無線リンク制御（ＲＬＣ）パケット再送信（および／またはＨＡＲＱ再送信）、第１の電力／品質値（および／またはＲＳＲＰ／ＲＳＲＱのセルのセル識別子）以下であるセルから第２のネットワークノードの電力／品質（ＲＳＲＰ／ＲＳＲＱ）を受信した基準信号、第２の電力／品質値以下であるセルの１つ以上のビームからの第２のネットワークノードのＲＳＲＰ／ＲＳＲＱ（および／またはＲＳＲＰ／ＲＳＲＱのセルのセル識別子および／または１つ以上のビームの１つ以上のビーム識別子）、閉塞タイマーの満了（例えば、閉塞は第２のネットワークノードによって判定されるため、閉塞タイマーの時間が経過する）など。
【０３１４】
一例では、原因値は、無線デバイスが、第２のネットワークノードからの指示に基づいて、および／または上位レイヤのパケット送信ステータスに基づいてバックホールリンク障害を判定したことを示すことができる（例えば、ＲＬＣパケット送信障害、送信されたＲＬＣパケットからのＡＣＫを受信しない、送信されたＲＬＣパケットのＮＡＣＫの受信、および／または設定された値以上のＲＬＣパケットの再送信の数）。一例では、原因値は、第１のネットワークノードと第２のネットワークノードとの間に確立された第１の無線リンクの障害（例えば、問題、閉塞）を示すことができる。
【０３１５】
一例では、原因値は、以下のうちの少なくとも１つを示す／含むことができる：第１のネットワークノードの第１のノード識別子、第２のネットワークノードの第２のノード識別子、バックホールリンク障害の障害（例えば、閉塞、問題）タイプ（例えば、一時的な閉塞、第２のネットワークノードの複数のバックホールリンクの少なくとも１つの障害、および／または第２のネットワークノードの全てのバックホールリンクの障害のうちの少なくとも１つを含む）、統合アクセスおよびバックホールノード障害を判定するためのタイマー値（例えば、無線デバイスは、タイマー値のタイマーの満了に応答してバックホールリンク障害を判定することができる；タイマーは、バックホールリンク障害情報の受信に応答して開始することができる）、第２のネットワークノードの１つ以上のセルの休止状態への状態遷移を示す表示パラメータ、第２のネットワークノードの１つ以上のセルの解放を示す表示パラメータ、第１の無線リンクの障害／問題／閉塞の原因値（例えば、バックホールリンク障害）（例えば、ＲＬＦ原因、ＲＬＣ再送信番号、障害タイマーの有効期限、ビーム障害回復の障害、ランダムアクセス障害、タイムアライメントタイマーの有効期限）、第１の無線リンクの障害によって影響を受けるベアラのベアラ識別子、セル（例えば、第２のネットワークノードによって使用される）（例えば、第１のネットワークノードのセル）（例えば、第１の無線リンクの障害を引き起こすセル）の１つ以上のビームの１つ以上のビーム識別子、セル（例えば、第２のネットワークノードによって使用される）（例えば、第１のネットワークノードのセル）（例えば、第１の無線リンクの障害を引き起こすセル）の１つ以上のＢＷＰの１つ以上の帯域幅部分（ＢＷＰ）識別子、および／またはセル（例えば、第２のネットワークノードによって使用される）（例えば、第１のネットワークノードのセル）（例えば、第１の無線リンクの障害を引き起こす）のセル識別子。
【０３１６】
一例では、原因値は、第１のネットワークノードと第２のネットワークノードとの間の１つ以上のネットワークノードのネットワークノードのノード識別子を含むことができる（例えば、障害／閉塞／問題を経験したネットワークノードのアクセス無線リンク；例えば、ネットワークノードのアクセス無線リンクは、第１のネットワークノードと第２のネットワークノードとの間の１つ以上のネットワークノードを介して接続された（障害のある）１つ以上の無線リンクの１つである／を含む）。
【０３１７】
一例では、原因値は、第２のネットワークノードが、以下の少なくとも１つに基づいて第１の無線リンクの障害（例えば、閉塞）を判定したことを示す１つ以上のフィールドを含むことができる：無線リンク障害（例えば、第１のネットワークノードからおよび／または第１のネットワークノードおよび第２のネットワークノードを接続する１つ以上のネットワークノードから）、ハンドオーバー障害、第２のネットワークノードにサービスを提供するセルのビーム障害、セル（例えば、第２のネットワークノードにサービスを提供するセル；例えば、第１のネットワークノードのセル）のビーム障害回復障害、セル（例えば、第２のネットワークノードにサービスを提供するセル；例えば、第１のネットワークノードのセル）を介したランダムアクセスの障害、セル（例えば、第２のネットワークノードにサービスを提供するセル；例えば、第１のネットワークノードのセル）のタイムアライメントタイマーの満了、第１の値を超えている第１のネットワークノードへの無線リンク制御（ＲＬＣ）パケット再送信（またはＨＡＲＱ再送信）の第１の数、電力／品質値以下である（例えば、それになる）セル（例えば、第２のネットワークノードにサービスを提供するセル；例えば、第１のネットワークノードのセル）および／またはセル（例えば、第２のネットワークノードにサービスを提供するセル；例えば、第１のネットワークノードのセル）の１つ以上のビームの電力／品質を受信した基準信号、閉塞タイマーの満了など。
【０３１８】
一例では、ＲＬＦレポートは、以下のうちの少なくとも１つを含むことができる：第１のネットワークノードの識別子、第２のネットワークノードの識別子、第２のネットワークノードの基地局識別子、第２のネットワークノードの統合アクセスおよびバックホール識別子、第２のネットワークノードの送信および受信ポイント識別子、第１のセルのセル識別子、第１のセルのビーム識別子、第１のセルの１つ以上のビームのビームグループ識別子、無線デバイスのＦ１無線デバイス識別子、バックホールリンク障害が接続障害を引き起こしたことを示す情報要素、障害（例えば、閉塞、問題）タイプ（例えば、一時的な閉塞、第２のネットワークノードの複数のバックホールリンクの少なくとも１つの障害、および／または第２のネットワークノードの全てのバックホールリンクの障害の少なくとも１つを含む）、統合アクセスおよびバックホールノードの障害を判別するためのタイマー値、第１の無線リンクの障害の原因値、および／またはセル（例えば、第１のネットワークノードのセルおよび／または第２のネットワークノードによって使用されるセル）（例えば、第１の無線リンクの障害を引き起こすセル）のセル識別子。
【０３１９】
一例では、ＲＬＦレポートは、第１のセルのセル識別子、ＢＷＰのＢＷＰインデックス（例えば、接続障害が判定されたときのアクティブなＢＷＰのＢＷＰインデックス）などのうちの少なくとも１つを含むことができる。一例では、ＲＬＦレポートは、ＢＷＰ構成パラメータの１つ以上の要素を含むことができる。ＲＬＦレポートは、以下のうちの少なくとも１つを示す（ＢＷＰ構成パラメータの）パラメータを含むことができる：複数のＢＷＰの複数のＢＷＰインデックス、複数のＢＷＰの複数のＢＷＰ帯域幅、複数のＢＷＰのデフォルトＢＷＰのデフォルトＢＷＰインデックス、ＢＷＰ非アクティブタイマー、複数のＢＷＰの初期ＢＷＰ（例えば、初期アクティブＢＷＰ）の初期ＢＷＰインデックス、複数のＢＷＰのためのサブキャリア間隔、サイクリックプレフィックス、多数の隣接するＰＲＢ、１つ以上のＤＬ  ＢＷＰおよび／または１つ以上のＵＬ  ＢＷＰのセット内のインデックス、構成されたＤＬ  ＢＷＰおよびＵＬ  ＢＷＰのセットからのＤＬ  ＢＷＰとＵＬ  ＢＷＰとの間のリンク、ＰＤＳＣＨ受信タイミング値に対するＤＣＩ検出、ＨＡＲＱ−ＡＣＫ送信タイミング値へのＰＤＳＣＨ受信、ＰＵＳＣＨ送信タイミング値に対するＤＣＩ検出、帯域幅の第１のＰＲＢに対する、それぞれＤＬ帯域幅またはＵＬ帯域幅の第１のＰＲＢのオフセットなど。
【０３２０】
一例では、ＲＬＦレポートは、無線デバイスの接続障害に関連する情報を示す１つ以上のレポートＩＥを含むことができる。１つ以上のレポートＩＥは、以下のうちの少なくとも１つを示すことができる：障害のあるセル（例えば、第１のセルおよび／またはバックホールリンクの障害／閉塞／問題および／または接続障害の時に第２のネットワークノードにサービスを提供したセル）の障害セル識別子、ここで、無線デバイスは、障害のあるセルを使用している間に接続障害を経験した；接続障害のＲＬＦ原因、ここで、ＲＬＦ原因は、ｔ３１０の有効期限、ランダムアクセスの問題、無線リンク制御（ＲＬＣ）の最大再送信回数、またはｔ３１２の有効期限の少なくとも１つを示す；無線デバイスの無線デバイス識別子（例えば、Ｃ−ＲＮＴＩ、ＩＭＥＩ、ＴＭＳＩ）および／または障害のあるセルの第２のネットワークノードのネットワークノード識別子（例えば、ＩＡＢ−ノード識別子、ｇＮＢ識別子、ＵＥ識別子、ｇＮＢ−ＤＵ識別子、Ｃ−ＲＮＴＩ）；障害のあるセルの搬送周波数値、無線デバイスの最後のハンドオーバー初期化から接続障害までに経過した時間を示す第１の時間値（例えば、ｔｉｍｅＣｏｎｎＦａｉｌｕｒｅ）；接続障害（または確立障害）から経過した時間を示す第２の時間値（例えば、ｔｉｍｅＳｉｎｃｅＦａｉｌｕｒｅ）；接続障害および／またはバックホールリンク障害がＲＬＦによるものか、ハンドオーバー障害によるものかを示す接続障害タイプ；障害のあるセルのＲＳＲＰまたはＲＳＲＱの少なくとも１つを含む測定結果；障害のあるセルの１つ以上の隣接セルのＲＳＲＰまたはＲＳＲＱの少なくとも１つを含む測定結果；ＱＣＩ値が１のベアラが設定されているときに接続障害および／またはバックホールリンク障害が発生したことを示す品質分類表示１ベアラ；第１のセルでの無線デバイスのＣ−ＲＮＴＩなど。
【０３２１】
一例では、障害のあるセル（例えば、第１のセルおよび／またはバックホールリンクの障害／閉塞／問題の時に第２のネットワークノードにサービスを提供するセル）の障害セル識別子は、グローバルセル識別子（例えば、ＮＣＧＩ、ＥＣＧＩ、ＣＧＩなど）、物理セル識別子（例えば、ＰＣＩ）などを含むことができる。一例では、障害のあるセルは、接続障害が発生したときの無線デバイスのプライマリセルとすることができる。一例では、障害のあるセルは、接続障害が発生したときの第２のネットワークノードのプライマリセルとすることができる。
【０３２２】
一例では、接続障害の原因値は、無線デバイスの接続障害を判定する原因が、ｔ３１０の有効期限、ランダムアクセス問題（例えば、障害）、無線リンク制御（ＲＬＣ）、再送信の最大数、ｔ３１２の有効期限などのうちの少なくとも１つを含むことを示すことができる。一例では、バックホールリンク障害の原因値は、無線デバイスのバックホールリンク障害（例えば、第２のネットワークノードのアクセスリンク障害）を判定する原因が、ｔ３１０の有効期限、ランダムアクセスの問題（例えば、障害）、無線リンク制御（ＲＬＣ）の最大再送信回数、ｔ３１２の有効期限などの少なくとも１つを含むことを示すことができる。
【０３２３】
一例では、ｔ３１０の有効期限は、接続障害（例えば、バックホールリンク障害）が発生したときに、無線デバイスおよび／または第２のネットワークノードのタイマーｔ３１０が障害のあるセルで満了になったことを示すことができる。タイマーｔ３１０は、無線デバイスおよび／または第２のネットワークノードが物理レイヤ関連の問題（例えば、プライマリセル）を検出したとき（例えば、無線デバイスおよび／または第２のネットワークノードが特定の数（例えば、Ｎ３１０）の下位レイヤからの連続非同期表示を受信したとき）に開始することができる。一例では、タイマーｔ３１０は、以下のときに停止することができる：無線デバイスおよび／または第２のネットワークノードが、下位レイヤ（例えば、プライマリセル）から特定の数（例えば、Ｎ３１１）の連続同期指示を受信したとき、ハンドオーバープロシージャをトリガしたとき、ＲＲＣ接続再確立プロシージャの開始時など。一例では、タイマーｔ３１０の満了時に、セキュリティがアクティブ化されていない場合、無線デバイスおよび／または第２のネットワークノードは、ＲＲＣアイドル状態になることができる。一例では、タイマーｔ３１０の満了時に、セキュリティがアクティブ化されると、無線デバイスおよび／または第２のネットワークノードは、ＲＲＣ接続再確立プロシージャを開始することができる。
【０３２４】
一例では、ｔ３１２の有効期限は、接続障害（例えば、バックホールリンク障害）が発生したときに、無線デバイスおよび／または第２のネットワークノードのタイマーｔ３１２が障害のあるセルで満了になったことを示すことができる。タイマーｔ３１２は、タイマーｔ３１０が実行されている間に、タイマーｔ３１２が構成された測定アイデンティティの測定レポートをトリガすると開始することができる。一例では、タイマーｔ３１２は、以下のときに停止することができる：下位レイヤから特定の数（例えば、Ｎ３１１）の連続同期表示を受信したとき、ハンドオーバープロシージャをトリガしたとき、接続再確立プロシージャを開始したとき、タイマーｔ３１０の満了時など。一例では、タイマーｔ３１２の満了時に、セキュリティがアクティブ化されていない場合、無線デバイスおよび／または第２のネットワークノードは、アイドル状態になることができる。一例では、タイマーｔ３１２の満了時に、セキュリティがアクティブ化されると、無線デバイスおよび／または第２のネットワークノードは、ＲＲＣ接続再確立プロシージャを開始することができる。
【０３２５】
一例では、ランダムアクセス問題（例えば、障害）は、接続障害が発生したときに、無線デバイスおよび／または第２のネットワークノードが、障害したセルで１つ以上のランダムアクセス問題（例えば、ランダムアクセス障害）を経験したことを示すことができる。一例では、ＲＬＣ最大再送信数は、接続障害が発生したときに、無線デバイスおよび／または第２のネットワークノードのＲＬＣ層が最大数のパケット再送信を試みたことを示すことができる。
【０３２６】
一例では、無線デバイスの無線デバイス識別子は、障害のあるセル（例えば、第１のセル）でのＣ−ＲＮＴＩ、一時移動加入者識別（ＴＭＳＩ）、国際移動加入者識別（ＩＭＳＩ）、グローバル固有一時的識別子（ＧＵＴＩ）などとすることができる。一例では、搬送周波数値は、障害のあるセルの搬送周波数値を示すことができる。一例では、搬送周波数値は、例えば、最大ＥＡＲＦＣＮの最大値を有する、ＥＡＲＦＣＮ、ＡＲＦＣＮなどのうちの少なくとも１つを含むことができる。一例では、搬送周波数値は、関係する測定結果を取得するときに使用される帯域にしたがって判定されることができる。
【０３２７】
一例では、第２のネットワークノードのネットワークノード識別子は、セル（例えば、バックホールリンク障害および／または接続障害のときに第２のネットワークノードにサービスを提供した障害のあるセル（例えば、第２のネットワークノードのプライマリセル））にＣ−ＲＮＴＩ、一時移動加入者識別（ＴＭＳＩ）、国際移動加入者識別（ＩＭＳＩ）、グローバル固有一時的識別子（ＧＵＴＩ）などを含むことができる。一例では、搬送周波数値は、障害のあるセルの搬送周波数値を示すことができる。一例では、搬送周波数値は、例えば、最大ＥＡＲＦＣＮの最大値を有する、ＥＡＲＦＣＮ、ＡＲＦＣＮなどのうちの少なくとも１つを含むことができる。一例では、搬送周波数値は、関係する測定結果を取得するときに使用される帯域にしたがって判定されることができる。
【０３２８】
一例では、測定結果は、障害のあるセル（例えば、第１のセルおよび／またはバックホールリンク障害／閉塞／問題および／または接続障害時に第２のネットワークノードにサービスを提供したセル）の少なくとも１つの基準信号受信電力結果（ＲＳＲＰ）または基準信号受信品質（ＲＳＲＱ）、無線デバイスおよび／または第２のネットワークノードの最後のサービングセル、無線デバイスおよび／または第２のネットワークノードの１つ以上のサービングセル、障害のあるセルの（無線デバイスおよび／または第２のネットワークノードの）１つ以上の隣接セル、および／または無線デバイスおよび／または第２のネットワークノードの１つ以上のセカンダリセルのうちの少なくとも１つを含むことができる。一例では、無線デバイスおよび／または第２のネットワークノードは、無線デバイスが接続障害を経験したとき（または前／後）、および／または第２のネットワークノードがバックホールリンク障害（例えば、第２のネットワークノードのアクセスリンク障害）を経験したとき（または前／後）を測定することによって、測定結果の１つ以上の要素を判定することができる。一例では、品質分類表示１ベアラ（例えば、ｄｒｂ−ＥｓｔａｂｌｉｓｈｅｄＷｉｔｈＱＣＩ−１）は、ＱＣＩ値１のベアラが構成されている間に接続障害および／またはバックホールリンク障害が発生したことを示すことができる。
【０３２９】
一例では、第１のネットワークノードは、第３のネットワークノードから、無線リンク障害レポートの１つ以上の要素を受信することができる。一例では、第１のネットワークノードは、第３のネットワークノードから、ＲＬＦレポートの１つ以上の要素を含むＲＬＦ情報（１つ以上の要素を含む）を受信することができる。一例では、第１のネットワークノードは、１つ以上のＸｎインターフェースおよび／または１つ以上のＸ２インターフェース（例えば、第１のネットワークノードと第３のネットワークノードとの間の直接インターフェース、または間接インターフェースおよび／または第１のネットワークノードと第３のネットワークノードとの間のネットワークノード）を介して（例えば、ハンドオーバーレポートメッセージを介して、および／またはＲＬＦ表示メッセージを介して）ＲＬＦ情報を受信することができる。一例では、第１のネットワークノードは、１つ以上のＮＧインターフェースおよび／または１つ以上のＳ１インターフェースを介して（例えば、第１のネットワークノードと第３のネットワークノードとの間の１つ以上のコアネットワークノード（例えば、１つ以上のＡＭＦ、１つ以上のＭＭＥ、１つ以上のＳＧＳＮ、１つ以上のＧＧＳＮ）を介して）ＲＬＦ情報を受信することができる（例えば、ｇＮＢ／ｅＮＢ／ＮＯＤＥ構成転送メッセージおよび／またはＡＭＦ／ＭＭＥ構成転送メッセージを介して；例えば、ｇＮＢ／ｅＮＢ／ＮＯＤＥ構成および／またはＡＭＦ／ＭＭＥ構成転送メッセージのＳＯＮ情報転送メッセージは、ＲＬＦ情報を含むことができる）。一例では、第１のネットワークノードは、１つ以上のＦ１インターフェース（例えば、第１のネットワークノードと第３のネットワークノードとの間の直接インターフェース、または第１のネットワークノードと第３のネットワークノードとの間の間接インターフェースおよび／またはネットワークノード）を介してＲＬＦ情報を受信することができる（例えば、１つ以上のＦ１インターフェースメッセージを介して）。
【０３３０】
一例では、図３４に示されるように、第１のネットワークノードが第３のネットワークノードである場合、第１のネットワークノードは、無線デバイスからＲＬＦレポートを受信することができる。一例では、第２のネットワークノードが第３のネットワークノードである場合、第１のネットワークノードは、第２のネットワークノードからＲＬＦ情報および／またはＲＬＦレポートを受信することができる。一例では、第１のネットワークノードによって提供されるＩＡＢ−ノードが第３のネットワークノードである場合、第１のネットワークノードは、第１のネットワークノードによって提供されるＩＡＢ−ノードからＲＬＦ情報および／またはＲＬＦレポートを受信することができる。
【０３３１】
一例では、第１のネットワークノードは、ＲＬＦ情報および／または無線リンク障害レポートの１つ以上の要素に基づいて無線リソース構成パラメータを構成することができる。一例では、無線リソース構成パラメータは、第２のネットワークノードのビーム構成パラメータを含むことができる。一例では、無線リソース構成パラメータは、統合されたアクセスおよびバックホールノードのためのハンドオーバートリガパラメータを含むことができる。ハンドオーバートリガパラメータは、無線信号受信品質値（例えば、閾値品質値）および／または無線信号受信電力値（例えば、閾値電力値）のうちの少なくとも１つを含むことができる。
【０３３２】
一例では、ＲＬＦ情報および／または無線リンク障害レポートの１つ以上の要素に基づいて、第１のネットワークノードは、ＲＬＦ情報に基づいて、１つ以上の無線デバイスおよび／または１つ以上のＩＡＢ−ノードについての第１のネットワークノードの１つ以上のセルの少なくとも１つのセル構成パラメータ（例えば、無線リソース構成パラメータ）を判定することができる。１つ以上のセルは、障害のあるセルを含むことができる（例えば、第２のネットワークノードの第１のセル、および／または接続障害および／またはバックホールリンク障害時に第２のネットワークノードにサービスを提供したセル）。一例では、少なくとも１つのセル構成パラメータは、以下のうちの少なくとも１つを含むことができる：少なくとも１つのＢＷＰ構成パラメータ、少なくとも１つの送信電力構成パラメータ、少なくとも１つの周波数構成パラメータ、少なくとも１つのビームフォーミング構成パラメータ、少なくとも１つの物理制御チャネルスケジューリングパラメータ、少なくとも１つのアンテナ構成パラメータ、１つ以上の無線デバイスのための少なくとも１つのセル選択または再選択構成パラメータ、少なくとも１つのシステム情報、少なくとも１つの干渉制御パラメータなど。
【０３３３】
一例では、少なくとも１つのＢＷＰ構成パラメータは、１つ以上の無線デバイス用とすることができる。少なくとも１つのＢＷＰ構成パラメータは、以下のうちの少なくとも１つを示す１つ以上のパラメータを含むことができる：複数のＢＷＰの複数のＢＷＰインデックス、複数のＢＷＰの複数のＢＷＰ帯域幅、複数のＢＷＰのデフォルトＢＷＰのデフォルトＢＷＰインデックス、ＢＷＰ非アクティブタイマー、複数のＢＷＰの初期ＢＷＰ（例えば、初期アクティブＢＷＰ）の初期ＢＷＰインデックス、複数のＢＷＰのためのサブキャリア間隔、サイクリックプレフィックス、多数の隣接するＰＲＢ、１つ以上のＤＬ  ＢＷＰおよび／または１つ以上のＵＬ  ＢＷＰのセット内のインデックス、構成されたＤＬ  ＢＷＰおよびＵＬ  ＢＷＰのセットからのＤＬ  ＢＷＰとＵＬ  ＢＷＰとの間のリンク、ＰＤＳＣＨ受信タイミング値に対するＤＣＩ検出、ＨＡＲＱ−ＡＣＫ送信タイミング値へのＰＤＳＣＨ受信、ＰＵＳＣＨ送信タイミング値に対するＤＣＩ検出、帯域幅の第１のＰＲＢに対する、それぞれＤＬ帯域幅またはＵＬ帯域幅の第１のＰＲＢのオフセットなど。
【０３３４】
一例では、無線デバイスおよび／またはＩＡＢ−ノード（例えば、第２のネットワークノード）が、セルの複数のＢＷＰの第１のＢＷＰがアクティブなＢＷＰである間に接続障害を経験する場合、基地局（例えば、第１のネットワークノード）は、第１のＢＷＰを１つ以上の無線デバイスのデフォルトＢＷＰとして（および／または初期ＢＷＰとして）構成しない場合がある。
【０３３５】
一例では、無線デバイスおよび／またはＩＡＢ−ノード（例えば、第２のネットワークノード）が複数のＢＷＰの第１のＢＷＰがアクティブなＢＷＰである間に接続障害を経験したとき、セルの複数のＢＷＰの第２のＢＷＰのチャネル品質（例えば、ＲＳＲＰ／ＲＳＲＱ）が良好である（例えば、アクティブなＢＷＰのチャネル品質よりも良好である）場合、基地局（例えば、第１のネットワークノード）は、第２のＢＷＰをデフォルトのＢＷＰとして（および／または１つ以上の無線デバイスの初期ＢＷＰとして）構成することができる。
【０３３６】
一例では、少なくとも１つの送信電力構成パラメータは、１つ以上の無線デバイスおよび／または第１のネットワークノードについての最大ダウンリンク／アップリンクセル送信電力、物理ダウンリンク制御チャネル（ＰＤＣＣＨ）送信電力、アップリンクおよび／またはダウンリンクについての１つ以上の電力制御パラメータ、ＴＰＣ構成パラメータ、ＳＲＳ構成パラメータなどを含むことができる。一例では、第１のネットワークノードが、ＰＤＣＣＨの送信電力が低いために接続障害が発生したと判定した場合（例えば、ＲＬＦレポートの測定結果に基づいて）、第１のネットワークノードは、ＰＤＣＣＨの送信電力を増加させることができる。一例では、ＰＤＣＣＨ上の大きな干渉のために接続障害が発生した場合、第１のネットワークノードは、他のサブフレームに配置されるようにＰＤＣＣＨを再スケジュールすることができる。
【０３３７】
一例では、無線デバイスおよび／またはＩＡＢ−ノード（例えば、第２のネットワークノード）が、セルの複数のＢＷＰの第１のＢＷＰがアクティブＢＷＰである間に接続障害を経験する場合、基地局（例えば、第１のネットワークノード）は、１つ以上の無線デバイスが第１のＢＷＰをアクティブＢＷＰとして使用する場合、１つ以上の無線デバイス（例えば、第１のセルでサービスされるＵＥ）のアップリンク／ダウンリンク電力レベルを増加させることができる（例えば、０．１ｄＢ増加）。
【０３３８】
一例では、無線デバイスおよび／またはＩＡＢ−ノード（例えば、第２のネットワークノード）の接続障害の原因がランダムアクセス問題であり、無線デバイスおよび／またはＩＡＢ−ノード（例えば、第２のネットワークノード）がセルの複数のＢＷＰの第１のＢＷＰがアクティブＢＷＰである間に接続障害を経験する場合、基地局（例えば、第１のネットワークノード）は、１つ以上の無線デバイスのランダムアクセスプリアンブル送信のために第１のＢＷＰを構成しない場合がある。
【０３３９】
一例では、無線デバイスおよび／またはＩＡＢ−ノード（例えば、第２のネットワークノード）の接続障害の原因がＲＬＣ最大再送信回数（例えば、アップリンク送信問題；ＲＬＣ再送信の数が閾値を超える）であり、無線デバイスおよび／またはＩＡＢ−ノード（例えば、第２のネットワークノード）がセルの複数のＢＷＰの第１のＢＷＰがアクティブＢＷＰである間に接続障害を経験する場合、基地局（例えば、第１のネットワークノード）は、１つ以上の無線デバイスが第１のＢＷＰをアクティブなＢＷＰとして使用する場合、１つ以上の無線デバイスのアップリンク電力レベルを増加させることができる。
【０３４０】
一例では、少なくとも１つの周波数構成パラメータは、搬送周波数、帯域幅、１つ以上の帯域幅部分構成パラメータなどを含むことができる。一例では、第１のネットワークノードのセルが隣接セルからの大きな干渉を経験する場合、第１のネットワークノードは、動作周波数を他の周波数に変更することができる。一例では、第１のネットワークノードのサービス対象セルの特定の帯域幅部分が隣接セルまたは他の技術からの大きな干渉を経験する場合、第１のネットワークノードは、１つ以上の無線デバイスのデフォルト帯域幅部分および／またはアクティブ帯域幅部分を他の帯域幅部分に変更することができる。
【０３４１】
一例では、少なくとも１つのビームフォーミング構成パラメータは、１つ以上のビームフォーミング方向構成パラメータ、１つ以上のビーム掃引構成パラメータ、１つ以上の同期信号（ＳＳ）／基準信号（例えば、ＣＳＩ−ＲＳ）構成パラメータ、１つ以上のビーム回復関連パラメータ、１つ以上のＢＲＡＣＨパラメータ、ビーム回復のための１つ以上のプリアンブル構成パラメータ、１つ以上のビームの１つ以上のランダムアクセス構成パラメータなどを含むことができる。一例では、ランダムアクセス障害またはビーム回復プロシージャの障害（例えば、非同期）のために接続障害が発生した場合、基地局（例えば、第１のネットワークノード）は、ランダムアクセスリソースおよび／またはＢＲＡＣＨリソースを再スケジュールすることができ、および／またはランダムアクセスの競合を減らすためにプリアンブルを再構成することができる。
【０３４２】
一例では、少なくとも１つの物理制御チャネルスケジューリングパラメータは、サブフレームパターン構成パラメータ、測定サブフレームパターン構成パラメータ、局所送信および／または分散送信を示す送信タイプパラメータ、リソースブロック割り当て構成パラメータ、ＣＳＩ−ＲＳ構成パラメータなどを含むことができる。一例では、少なくとも１つのアンテナ構成パラメータは、デフォルトのアンテナ構成パラメータ、アンテナポート構成パラメータ、いくつかのＣＲＳアンテナポートパラメータなどを含むことができる。一例では、１つ以上の無線デバイスの少なくとも１つのセル選択または再選択構成パラメータは、第１のネットワークノードの少なくとも１つの無線デバイスのセル選択／再選択のための１つ以上の電力／時間閾値パラメータ、セル選択／再選択などのための１つ以上のセル優先順位構成パラメータなどを含むことができる。一例では、無線デバイスおよび／または第２のネットワークノードのランダムアクセス障害のために接続障害が発生し、第１のネットワークノードは、無線デバイスおよび／またはＩＡＢ−ノード（例えば、第２のネットワークノード）が増加した閾値を満たさない場合、１つ以上の電力／時間閾値パラメータの値を増加させて、無線デバイスに障害のあるセルを回避させることができる。
【０３４３】
一例では、第１のネットワークノードは、ＲＬＦレポートに基づいて、システム情報タイプブロックタイプ１から２１のうちの少なくとも１つを含む少なくとも１つのシステム情報の１つ以上のＩＥを再構成することができる。一例では、少なくとも１つの干渉制御パラメータは、１つ以上のほぼ空白のサブフレーム構成パラメータ、１つ以上のＣｏＭＰ干渉管理関連パラメータなどを含むことができる。一例では、障害のあるセルの隣接セルからの干渉のために接続障害および／またはバックホールリンク障害が発生した場合、第１のネットワークノードは、隣接セルおよび障害セルのリソースブロックをスケジュールして、同時にリソースブロックを使用しないことができる。
【０３４４】
一例では、第１のネットワークノードは、少なくとも１つのセル構成パラメータを含む少なくとも１つのシステム情報ブロックを送信することができる。少なくとも１つのシステム情報ブロックは、システム情報ブロックタイプ１から２１のうちの少なくとも１つとすることができる。第１のネットワークノードは、例えばＲＲＣメッセージを介して、少なくとも１つのセル構成パラメータのうちの少なくとも１つを１つ以上の無線デバイスに送信することができる。１つ以上の無線デバイスは、無線デバイスおよび／またはＩＡＢ−ノード（例えば、第２のネットワークノード）を含むことができる。
【０３４５】
一例では、第１のネットワークノードは、第２のネットワークノードに、ＲＬＦ情報および／またはＲＬＦレポートの１つ以上の要素を送信することができる（例えば、Ｆ１インターフェース、Ｕｕインターフェース、ＮＧインターフェースを介して；例えば、Ｆ１情報メッセージ、ＲＲＣメッセージ、ＮＧ構成メッセージを介して）。一例では、第２のネットワークノードが第３のネットワークノードである場合、第２のネットワークノードは、無線デバイスからＲＬＦレポートを受信することができる。
【０３４６】
一例では、第２のネットワークノードおよび／または第１のネットワークノードは、ＲＬＦ情報および／または無線リンク障害レポートの１つ以上の要素に基づいて、第２のネットワークノードの無線リソース構成パラメータを構成することができる。一例では、無線リソース構成パラメータは、１つ以上の無線デバイスおよび／または１つ以上のＩＡＢ−ノードにサービスを提供するための第２のネットワークノードのビーム構成パラメータを含むことができる。一例では、無線リソース構成パラメータは、統合されたアクセスおよびバックホールノードのためのハンドオーバートリガパラメータを含むことができる。ハンドオーバートリガパラメータは、無線信号受信品質値（例えば、閾値品質値）および／または無線信号受信電力値（例えば、閾値電力値）のうちの少なくとも１つを含むことができる。
【０３４７】
一例では、ＲＬＦ情報および／または無線リンク障害レポートの１つ以上の要素に基づいて、第２のネットワークノードおよび／または第１のネットワークノードは、ＲＬＦ情報に基づいて１つ以上の無線デバイス（例えば、第２のネットワークノードによってサービス提供される）および／または１つ以上のＩＡＢ−ノード（例えば、第２のネットワークノードによってサービス提供される）にサービスを提供するために、第２のネットワークノードの１つ以上のセルの少なくとも１つのセル構成パラメータ（例えば、無線リソース構成パラメータ）を判定することができる。１つ以上のセルは、障害のあるセル（例えば、第２のネットワークノードの第１のセル）を含むことができる。一例では、少なくとも１つのセル構成パラメータは、以下のうちの少なくとも１つを含むことができる：少なくとも１つのＢＷＰ構成パラメータ、少なくとも１つの送信電力構成パラメータ、少なくとも１つの周波数構成パラメータ、少なくとも１つのビームフォーミング構成パラメータ、少なくとも１つの物理制御チャネルスケジューリングパラメータ、少なくとも１つのアンテナ構成パラメータ、１つ以上の無線デバイスのための少なくとも１つのセル選択または再選択構成パラメータ、少なくとも１つのシステム情報、少なくとも１つの干渉制御パラメータなど。
【０３４８】
一例では、少なくとも１つのＢＷＰ構成パラメータは、１つ以上の無線デバイス用とすることができる。少なくとも１つのＢＷＰ構成パラメータは、以下のうちの少なくとも１つを示す１つ以上のパラメータを含むことができる：複数のＢＷＰの複数のＢＷＰインデックス、複数のＢＷＰの複数のＢＷＰ帯域幅、複数のＢＷＰのデフォルトＢＷＰのデフォルトＢＷＰインデックス、ＢＷＰ非アクティブタイマー、複数のＢＷＰの初期ＢＷＰ（例えば、初期アクティブＢＷＰ）の初期ＢＷＰインデックス、複数のＢＷＰのためのサブキャリア間隔、サイクリックプレフィックス、多数の隣接するＰＲＢ、１つ以上のＤＬ  ＢＷＰおよび／または１つ以上のＵＬ  ＢＷＰのセット内のインデックス、構成されたＤＬ  ＢＷＰおよびＵＬ  ＢＷＰのセットからのＤＬ  ＢＷＰとＵＬ  ＢＷＰとの間のリンク、ＰＤＳＣＨ受信タイミング値に対するＤＣＩ検出、ＨＡＲＱ−ＡＣＫ送信タイミング値へのＰＤＳＣＨ受信、ＰＵＳＣＨ送信タイミング値に対するＤＣＩ検出、帯域幅の第１のＰＲＢに対する、それぞれＤＬ帯域幅またはＵＬ帯域幅の第１のＰＲＢのオフセットなど。
【０３４９】
一例では、セルの複数のＢＷＰの第１のＢＷＰがアクティブなＢＷＰである間に無線デバイスが接続障害を経験した場合、基地局（例えば、第１のネットワークノードおよび／または第２のネットワークノード）は、第１のＢＷＰを１つ以上の無線デバイスのデフォルトＢＷＰ（および／または初期ＢＷＰ）として構成しない場合がある。
【０３５０】
一例では、複数のＢＷＰの第１のＢＷＰがアクティブＢＷＰである間に無線デバイスが接続障害を経験したとき、セルの複数のＢＷＰの第２のＢＷＰのチャネル品質（例えば、ＲＳＲＰ／ＲＳＲＱ）が良好である（例えば、アクティブＢＷＰのチャネル品質よりも良好である）場合、基地局（例えば、第１のネットワークノードおよび／または第２のネットワークノード）は、第２のＢＷＰを１つ以上の無線デバイスについてのデフォルトのＢＷＰ（および／または初期ＢＷＰ）として構成することができる。
【０３５１】
一例では、少なくとも１つの送信電力構成パラメータは、１つ以上の無線デバイスおよび／または第２のネットワークノードについての最大ダウンリンク／アップリンクセル送信電力、物理ダウンリンク制御チャネル（ＰＤＣＣＨ）送信電力、アップリンクおよび／またはダウンリンク用の１つ以上の電力制御パラメータ、ＴＰＣ構成パラメータ、ＳＲＳ構成パラメータなどを含むことができる。一例では、第２のネットワークノードおよび／または第１のネットワークノードが、ＰＤＣＣＨの低い送信電力のために接続障害が発生したと判定した場合（例えば、ＲＬＦレポートの測定結果に基づいて）、第２のネットワークノードおよび／または第１のネットワークノードは、ＰＤＣＣＨの送信電力を増加させることができる。一例では、ＰＤＣＣＨ上の大きな干渉のために接続障害が発生した場合、第１のネットワークノードは、他のサブフレームに配置されるようにＰＤＣＣＨを再スケジュールすることができる。
【０３５２】
一例では、セルの複数のＢＷＰの第１のＢＷＰがアクティブＢＷＰである間に無線デバイスが接続障害を経験した場合、基地局（例えば、第２のネットワークノードおよび／または第１のネットワークノード）は、１つ以上の無線デバイスが第１のＢＷＰをアクティブＢＷＰとして使用する場合、１つ以上の無線デバイス（例えば、第１のセルでサービスされるＵＥ）のアップリンク／ダウンリンク電力レベルを増加させることができる（例えば、０．１ｄＢ増加）。
【０３５３】
一例では、無線デバイスの接続障害の原因がランダムアクセスの問題であり、無線デバイスがセルの複数のＢＷＰの第１のＢＷＰがアクティブＢＷＰである間に接続障害を経験した場合、基地局（例えば、第２のネットワークノードおよび／または第１のネットワークノード）は、１つ以上の無線デバイスのランダムアクセスプリアンブル送信のために第１のＢＷＰを構成しない場合がある。
【０３５４】
一例では、無線デバイスの接続障害の原因がＲＬＣの最大再送信回数であり（例えば、アップリンク送信の問題、ＲＬＣ再送信の数が閾値を超えている）、セルの複数のＢＷＰの第１のＢＷＰがアクティブＢＷＰである間に無線デバイスが接続障害を経験した場合、基地局（例えば、第２のネットワークノードおよび／または第１のネットワークノード）は、１つ以上の無線デバイスが第１のＢＷＰをアクティブＢＷＰとして使用する場合、１つ以上の無線デバイスのアップリンク電力レベルを増加させることができる。
【０３５５】
一例では、少なくとも１つの周波数構成パラメータは、搬送周波数、帯域幅、１つ以上の帯域幅部分構成パラメータなどを含むことができる。一例では、第２のネットワークノードのセルが隣接セルからの大きな干渉を経験する場合、第２のネットワークノードおよび／または第１のネットワークノードは、動作周波数を他の周波数に変更することができる。一例では、第２のネットワークノードのサービス対象セルの特定の帯域幅部分が隣接セルまたは他の技術からの大きな干渉を経験する場合、第２のネットワークノードおよび／または第１のネットワークノードは、１つ以上の無線デバイスのデフォルトの帯域幅部分および／またはアクティブ帯域幅部分を他の帯域幅部分に変更することができる。
【０３５６】
一例では、少なくとも１つのビームフォーミング構成パラメータは、１つ以上のビームフォーミング方向構成パラメータ、１つ以上のビーム掃引構成パラメータ、１つ以上の同期信号（ＳＳ）／基準信号（例えば、ＣＳＩ−ＲＳ）構成パラメータ、１つ以上のビーム回復関連パラメータ、１つ以上のＢＲＡＣＨパラメータ、ビーム回復のための１つ以上のプリアンブル構成パラメータ、１つ以上のビームの１つ以上のランダムアクセス構成パラメータなどを含むことができる。一例では、ランダムアクセス障害またはビーム回復プロシージャの障害（例えば、非同期）のために接続障害が発生した場合、基地局（例えば、第２のネットワークノードおよび／または第１のネットワークノード）は、ランダムアクセスリソースおよび／またはＢＲＡＣＨリソースを再スケジュールすることができ、および／またはランダムアクセスの競合を減らすためにプリアンブルを再構成することができる。
【０３５７】
一例では、少なくとも１つの物理制御チャネルスケジューリングパラメータは、サブフレームパターン構成パラメータ、測定サブフレームパターン構成パラメータ、局所送信および／または分散送信を示す送信タイプパラメータ、リソースブロック割り当て構成パラメータ、ＣＳＩ−ＲＳ構成パラメータなどを含むことができる。一例では、少なくとも１つのアンテナ構成パラメータは、デフォルトのアンテナ構成パラメータ、アンテナポート構成パラメータ、いくつかのＣＲＳアンテナポートパラメータなどを含むことができる。一例では、１つ以上の無線デバイスの少なくとも１つのセル選択または再選択構成パラメータは、第２のネットワークノードの少なくとも１つの無線デバイスのセル選択／再選択のための１つ以上の電力／時間閾値パラメータ、セル選択／再選択などのための１つ以上のセル優先順位構成パラメータなどを含むことができる。一例では、無線デバイスのランダムアクセス障害のために接続障害が発生した場合、第２のネットワークノードおよび／または第１のネットワークノードは、無線デバイスが増加した閾値を満たさない場合、１つ以上の電力／時間閾値パラメータの値を増加させて、無線デバイスに障害のあるセルを回避させることができる。
【０３５８】
一例では、第２のネットワークノードおよび／または第１のネットワークノードは、ＲＬＦレポートに基づいて、システム情報タイプブロックタイプ１から２１のうちの少なくとも１つを含む少なくとも１つのシステム情報の１つ以上のＩＥを再構成することができる。一例では、少なくとも１つの干渉制御パラメータは、１つ以上のほぼ空白のサブフレーム構成パラメータ、１つ以上のＣｏＭＰ干渉管理関連パラメータなどを含むことができる。一例では、障害のあるセルの隣接セル（例えば、第１のセル）からの干渉のために接続障害および／またはバックホールリンク障害が発生した場合、第２のネットワークノードおよび／または第１のネットワークノードは、同時にリソースブロックを使用しないように隣接セルおよび障害セルについてのリソースブロックをスケジュールすることができる。
【０３５９】
一例では、第２のネットワークノードおよび／または第１のネットワークノードは、少なくとも１つのセル構成パラメータを含む少なくとも１つのシステム情報ブロックを送信することができる。少なくとも１つのシステム情報ブロックは、システム情報ブロックタイプ１から２１のうちの少なくとも１つとすることができる。第１のネットワークノードは、例えばＲＲＣメッセージを介して、少なくとも１つのセル構成パラメータのうちの少なくとも１つを１つ以上の無線デバイスに送信することができる。１つ以上の無線デバイスは、無線デバイスを含むことができる。
【０３６０】
一例では、第２のネットワークノードおよび／または第１のネットワークノードは、ＲＬＦ情報および／またはＲＬＦレポートの１つ以上の要素に基づいてハンドオーバーパラメータを構成することができる。一例では、バックホールリンク接続が安定していない場合（例えば、「不安定なものはＲＬＦ情報および／またはＲＬＦレポートの１つ以上の要素に基づく」と判定する場合）、第２のネットワークノードおよび／または第１のネットワークノードは、例えば、バックホールリンク障害によって引き起こされる接続障害を回避するために、バックホールリンク接続が安定する前にサービング無線デバイス（および／またはサービングＩＡＢ−ノード）のハンドオーバーを開始することができる。一例では、第１のネットワークノードに対する第２のネットワークノードのＲＳＲＰ／ＲＳＲＱ（例えば、第１のネットワークノードからの第２のネットワークノードによって測定されたＲＳＲＰ／ＲＳＲＱ；例えば、バックホールリンクＲＳＲＰ／ＲＳＲＱ）が更新された値よりも低い場合（例えば、ＲＬＦ情報および／またはＲＬＦレポートの１つ以上の要素に基づいて判定される；例えば、第１のネットワークノードについての第２のネットワークノードのＲＳＲＰ／ＲＳＲＱがＸｄＢであるときにバックホールリンク障害が発生した場合、更新された値は、ＸｄＢまたはＸｄＢよりも高い値として構成される）、第２のネットワークノードおよび／または第１のネットワークノードは、第２のネットワークノードとの安定したアクセスリンク接続を有する（第２のネットワークノードによってサービス提供される）無線デバイス（例えば、安定したバックホールリンク接続の場合に採用されるハンドオーバー閾値ＲＳＲＰ／ＲＳＲＱよりも第２のネットワークノードのセルからの高いＲＳＲＰ／ＲＳＲＱ（例えば、更新された値および／またはＸｄＢよりも高いバックホールリンクＲＳＲＰ／ＲＳＲＱ）を有する無線デバイス）のハンドオーバーを開始することができる。
【０３６１】
一例では、無線デバイスは、第１のネットワークノードから（および／または例えば、第２のネットワークノードから）、第２のネットワークノードの第１のセルの構成パラメータを含む少なくとも１つの無線リソース制御（ＲＲＣ）メッセージを受信することができる。無線デバイスは、構成パラメータに基づいて（仕様で説明されている）パケットを第２のネットワークノードに送信することができる。無線デバイスは、バックホールリンク障害（例えば、バックホールリンク問題、バックホールリンク閉塞）に基づいて、第１のネットワークノード（および／または例えば、第２のネットワークノード）からの接続障害を判定することができる。無線デバイスは、接続障害に応答して、無線リソース制御接続（例えば、確立および／または再確立）のために第３のネットワークノードの第２のセルを選択することができる。無線デバイスは、接続障害の原因値を含む無線リンク障害レポートを第３のネットワークノードに送信することができる。原因値は、バックホールリンク障害が接続障害を引き起こしたことを示すことができる。
【０３６２】
一例では、無線デバイスは、第２のネットワークノードから、第１のネットワークノードと第２のネットワークノードとの間に確立された第１の無線リンクの障害（例えば、問題、閉塞）を示すバックホールリンク障害情報を受信することができる。一例では、無線デバイスは、バックホールリンク障害情報に基づいて接続障害を判定することができる。一例では、無線デバイスは、媒体アクセス制御制御要素（ＭＡＣ  ＣＥ）、ダウンリンク制御情報を含む物理レイヤコマンド、適応レイヤ表示、および／または無線リソース制御メッセージ（例えば、ＲＲＣ接続解放メッセージ）のうちの少なくとも１つを介してバックホールリンク障害情報を受信することができる。
【０３６３】
一例では、バックホールリンク障害情報は、以下のうちの少なくとも１つを含むことができる：第１のネットワークノードの第１のノード識別子、第２のネットワークノードの第２のノード識別子、障害（例えば、閉塞、問題）タイプ（例えば、一時的な閉塞、第２のネットワークノードの複数のバックホールリンクの少なくとも１つの障害、および／または第２のネットワークノードの全てのバックホールリンクの障害の少なくとも１つを含む）、統合アクセスおよびバックホールノードの障害を判別するためのタイマー値、第２のネットワークノードの１つ以上のセルの休止状態への状態遷移を示す表示パラメータ、第２のネットワークノードの１つ以上のセルの解放を示す表示パラメータ、第１の無線リンクの障害の原因値（例えば、ＲＬＦの原因）、第１の無線リンクの障害によって影響を受けるベアラのベアラ識別子、および／または第１のネットワークノードのセル（例えば、第２のネットワークノードによって使用される）（例えば、第１の無線リンクの障害を引き起こすセル）のセル識別子。
【０３６４】
一例では、無線デバイスは、バックホールリンク障害情報の受信に応答して、第２のネットワークノードを介して確立されたベアラを解放することができる。一例では、無線デバイスは、バックホールリンク障害情報の受信に応答して、第２のネットワークノードへのスケジューリング要求の送信を停止することができる。一例では、第１の無線リンクは、１つ以上のネットワークノードを介して接続された１つ以上の無線リンクを含むことができる。第１の無線リンクの障害は、１つ以上の無線リンクの少なくとも１つの障害を示すことができる。
【０３６５】
一例では、無線デバイスは、第２のセルを介して、１つ以上のランダムアクセスプリアンブルを送信することができる。無線デバイスは、第３のネットワークノードから、１つ以上のランダムアクセスプリアンブルに対するランダムアクセス応答を受信することができる。無線デバイスは、ランダムアクセス応答に基づいて、無線リソース制御接続（例えば、再確立および／または確立）要求メッセージを送信することができる。
【０３６６】
一例では、接続障害は、無線リンク障害および／またはハンドオーバー障害のうちの少なくとも１つを含むことができる。第１のセルは、無線デバイスのプライマリセルとすることができる。第１のネットワークノードは、第３のネットワークノードを含むことができる。第２のネットワークノードは、第３のネットワークノードを含むことができる。一例では、第１のセルは、第２のセルとすることができる。一例では、無線リンク障害レポートは、以下のうちの少なくとも１つを含むことができる：第１のネットワークノードの識別子、第２のネットワークノードの識別子、第２のネットワークノードの基地局識別子、第２のネットワークノードの統合アクセスおよびバックホール識別子、第２のネットワークノードの送信および受信ポイント識別子、第１のセルのセル識別子、第１のセルのビーム識別子、第１のセルの１つ以上のビームのビームグループ識別子、無線デバイスのＦ１無線デバイス識別子、バックホールリンク障害が接続障害を引き起こしたことを示す情報要素、障害（例えば、閉塞、問題）タイプ（例えば、一時的な閉塞、第２のネットワークノードの複数のバックホールリンクの少なくとも１つの障害、および／または第２のネットワークノードの全てのバックホールリンクの障害の少なくとも１つを含む）、統合アクセスおよびバックホールノードの障害を判別するためのタイマー値、第１の無線リンクの障害の原因値（例えば、ＲＬＦ原因）、および／または第１のネットワークノードのセル（例えば、第２のネットワークノードによって使用される）（例えば、第１の無線リンクの障害を引き起こすセル）のセル識別子。
【０３６７】
一例では、第１のネットワークノードは、以下のうちの少なくとも１つを含むことができる：基地局、基地局中央ユニット、および／または統合されたアクセスおよびバックホールドナー。一例では、第２のネットワークノードは、以下のうちの少なくとも１つを含むことができる：基地局、基地局分散ユニット、および／または統合されたアクセスおよびバックホールノード。
【０３６８】
一例では、第１のネットワークノードは、第３のネットワークノードから、無線リンク障害レポートの１つ以上の要素を受信することができる。第１のネットワークノードは、無線リンク障害レポートの１つ以上の要素に基づいて無線リソース構成パラメータを構成することができる。一例では、無線リソース構成パラメータは、第２のネットワークノードのビーム構成パラメータを含むことができる。一例では、無線リソース構成パラメータは、統合されたアクセスおよびバックホールノードのためのハンドオーバートリガパラメータを含むことができる。ハンドオーバートリガパラメータは、無線信号受信品質値（例えば、閾値品質値）および／または無線信号受信電力値（例えば、閾値電力値）のうちの少なくとも１つを含むことができる。一例では、第１のネットワークノードは、第２のネットワークノードに、無線リンク障害レポートの１つ以上の要素を送信することができる。
【０３６９】
一例では、無線デバイスは、第１のネットワークノードから、第２のネットワークノードの第１のセルの構成パラメータを含む少なくとも１つの無線リソース制御メッセージを受信することができる。無線デバイスは、構成パラメータに基づいて、第２のネットワークノードにパケットを送信することができる。無線デバイスは、第２のネットワークノードから、第１のネットワークノードと第２のネットワークノードとの間に確立された第１の無線リンクの障害を示すバックホールリンク障害情報を受信することができる。無線デバイスは、バックホールリンク障害情報に基づいて、第１のネットワークノードからの接続障害を判定することができる。無線デバイスは、接続障害に応答して、無線リソース制御接続のために第１のネットワークノードの第２のセルを選択することができる。無線デバイスは、接続障害の原因値を含む無線リンク障害レポートを第１のネットワークノードに送信することができ、原因値は、バックホールリンク障害が接続障害を引き起こしたことを示す。
【０３７０】
一例では、無線デバイスは、第１のネットワークノードから、第２のネットワークノードの第１のセルの構成パラメータを含む少なくとも１つの無線リソース制御メッセージを受信することができる。無線デバイスは、構成パラメータに基づいて、第２のネットワークノードにパケットを送信することができる。無線デバイスは、第２のネットワークノードから、第１のネットワークノードと第２のネットワークノードとの間に確立された第１の無線リンクの障害を示すバックホールリンク障害情報を受信することができる。無線デバイスは、バックホールリンク障害情報に基づいて、第１のネットワークノードからの接続障害を判定することができる。無線デバイスは、接続障害に応答して、無線リソース制御接続のために第２のネットワークノードの第２のセルを選択することができる。無線デバイスは、接続障害の原因値を含む無線リンク障害レポートを第２のネットワークノードに送信することができ、原因値は、バックホールリンク障害が接続障害を引き起こしたことを示す。
【０３７１】
一例では、無線デバイスは、第１のネットワークノードから第２のネットワークノードを介して、第２のネットワークノードの第１のセルの構成パラメータを含む少なくとも１つの無線リソース制御メッセージを受信することができる。無線デバイスは、第１のセルを介して第２のネットワークノードにパケットを送信することができる。無線デバイスは、第１のネットワークノードと第２のネットワークノードとの間のバックホールリンク障害に基づいて、第１のネットワークノードへの接続の障害を判定することができる。無線デバイスは、接続の障害の判定に基づいて、無線リソース制御接続のための第３のネットワークノードの第２のセルを選択することができる。無線デバイスは、バックホールリンク障害を示す無線リンク障害レポートを第３のネットワークノードに送信することができる。
【０３７２】
一例では、無線デバイスは、第２のネットワークノードから、第１のネットワークノードと第２のネットワークノードとの間に確立された第１の無線リンクの障害を示すバックホールリンク障害情報を受信することができる。無線デバイスは、媒体アクセス制御制御要素、ダウンリンク制御情報を含む物理レイヤコマンド、適応レイヤ表示、無線リソース制御メッセージなどのうちの少なくとも１つを介してバックホールリンク障害情報を受信することができる。一例では、無線デバイスは、バックホールリンク障害情報に基づいて接続の障害を判定することができる。バックホールリンク障害情報は、以下のうちの少なくとも１つを含むことができる：第１のネットワークノードの第１のノード識別子、第２のネットワークノードの第２のノード識別子、障害タイプ（例えば、一時的な閉塞、第２のネットワークノードの複数のバックホールリンクの少なくとも１つの障害、第２のネットワークノードの全てのバックホールリンクの障害などの少なくとも１つを含む）、統合アクセスおよびバックホールノードの障害を判別するためのタイマー値、第２のネットワークノードの１つ以上のセルの休止状態への状態遷移を示す表示パラメータ、第２のネットワークノードの１つ以上のセルの解放を示す表示パラメータ、第１の無線リンクの障害の原因値、第１の無線リンクの障害によって影響を受けるベアラのベアラ識別子、第１のネットワークノードのセルであり、第１の無線リンクの障害を引き起こすセルのセル識別子など。
【０３７３】
一例では、無線デバイスは、バックホールリンク障害情報の受信に応答して、第２のネットワークノードを介して確立されたベアラを解放することができる。無線デバイスは、バックホールリンク障害情報の受信に応答して、第２のネットワークノードへのスケジューリング要求の送信を停止することができる。第１の無線リンクは、１つ以上のネットワークノードを介して接続された１つ以上の無線リンクを含むことができる。第１の無線リンクの障害は、１つ以上の無線リンクの少なくとも１つの障害を示すことができる。
【０３７４】
一例では、無線デバイスは、第２のセルを介して、１つ以上のランダムアクセスプリアンブルを送信することができる。無線デバイスは、第３のネットワークノードから、１つ以上のランダムアクセスプリアンブルに対するランダムアクセス応答を受信することができる。無線デバイスは、ランダムアクセス応答に基づいて、第３のネットワークノードに、無線リソース制御接続要求メッセージを送信することができる。接続の障害は、無線リンクの障害、ハンドオーバーの障害などのうちの少なくとも１つを含むことができる。第１のセルは、無線デバイスのプライマリセルとすることができる。第１のセルは、第２のセルとすることができる。第１のネットワークノードは、第３のネットワークノードとすることができる。第２のネットワークノードは、第３のネットワークノードとすることができる。無線リンク障害レポートは、以下のうちの少なくとも１つを含むことができる：第１のネットワークノードの識別子、第２のネットワークノードの識別子、第２のネットワークノードの基地局識別子、第２のネットワークノードの統合アクセスおよびバックホール識別子、第２のネットワークノードの送信および受信ポイント識別子、第１のセルのセル識別子、第１のセルのビーム識別子、第１のセルの１つ以上のビームのビームグループ識別子、無線デバイスのＦ１無線デバイス識別子、バックホールリンク障害が接続の障害を引き起こしたことを示す情報要素、障害タイプ（例えば、一時的な閉塞、第２のネットワークノードの複数のバックホールリンクの少なくとも１つの障害、第２のネットワークノードの全てのバックホールリンクの障害などの少なくとも１つを含む）、統合アクセスおよびバックホールノードの障害を判別するためのタイマー値、第１の無線リンクの障害の原因値、第１のネットワークノードのセル（例えば、第１の無線リンクの障害を引き起こすことがあるセル）のセル識別子など。
【０３７５】
一例では、第１のネットワークノードは、以下のうちの少なくとも１つを含むことができる：基地局、基地局中央ユニット、統合されたアクセスおよびバックホールドナーなど。第２のネットワークノードは、以下のうちの少なくとも１つを含むことができる：基地局、基地局分散ユニット、統合されたアクセスおよびバックホールノードなど。
【０３７６】
一例では、第１のネットワークノードは、第３のネットワークノードから、無線リンク障害レポートの１つ以上の要素を受信することができる。第１のネットワークノードは、１つ以上の要素に基づいて無線リソース構成パラメータを構成することができる。無線リソース構成パラメータは、第２のネットワークノードのビーム構成パラメータを含むことができる。無線リソース構成パラメータは、統合されたアクセスおよびバックホールノードのためのハンドオーバートリガパラメータを含むことができる。ハンドオーバートリガパラメータは、無線信号受信品質値、無線信号受信電力値などのうちの少なくとも１つを含むことができる。第１のネットワークノードは、第２のネットワークノードに、無線リンク障害レポートの１つ以上の要素を送信することができる。
【０３７７】
一例では、図４５に示されるように、無線デバイスは、第２のネットワークノードを介して第１のネットワークノードと通信することができる４５１０。無線デバイスは、第１のネットワークノードと第２のネットワークノードとの間のバックホールリンク障害を示す無線リンク障害レポートを第３のネットワークノードに送信することができる４５２０。
【０３７８】
一例では、図４６に示されるように、第３のネットワークノードは、無線デバイスから、第１のネットワークノードと第２のネットワークノードとの間のバックホールリンク障害を示す無線リンク障害レポートを受信することができる４６１０。第２のネットワークノードを介した無線デバイスと第１のネットワークノードとの間の接続の障害は、バックホールリンク障害に基づくことができる４６２０。第３のネットワークノードは、第１のアクセスノードに、無線リンク障害レポートの１つ以上の要素を送信することができる。
【０３７９】
一例では、無線デバイスは、第２のネットワークノードを介した無線デバイスと第１のネットワークノードとの間の接続障害が、第１のネットワークノードと第２のネットワークノードとの間のバックホールリンク障害に基づくことを示す無線リンク障害レポートを送信することができる。
【０３８０】
一例では、無線デバイスは、第１のネットワークノードと第２のネットワークノードとの間のバックホールリンク障害を示す無線リンク障害レポートを送信することができる。第２のネットワークノードを介した無線デバイスと第１のネットワークノード間の接続障害は、バックホールリンク障害に基づくことができる。
【０３８１】
一例では、無線デバイスは、第１のネットワークノードと第２のネットワークノードとの間のバックホールリンク障害を示す無線リンク障害レポートを送信することができる。無線デバイスは、バックホールリンク障害の前に、第２のネットワークノードを介して第１のネットワークノードと通信することができる。
【０３８２】
一例では、無線デバイスは、第１のネットワークノードと第２のネットワークノードとの間のバックホールリンク障害を示す無線リンク障害レポートを第３のネットワークノードに送信することができる。無線デバイスは、バックホールリンク障害の前に、第２のネットワークノードを介して第１のネットワークノードと通信することができる。
【０３８３】
一例では、無線デバイスは、第１のネットワークノードと第２のネットワークノードとの間のバックホールリンク障害に基づいて、第２のネットワークノードを介した無線デバイスと第１のネットワークノードとの間の接続の障害を判定することができる。無線デバイスは、第３のネットワークノードに、バックホールリンク障害を示す無線リンク障害レポートを送信することができる。
【０３８４】
一例では、無線デバイスは、第１のネットワークノードから、第２のネットワークノードの第１のセルの構成パラメータを含む少なくとも１つの無線リソース制御メッセージを受信することができる。無線デバイスは、構成パラメータに基づいて、第２のネットワークノードにパケットを送信することができる。無線デバイスは、第２のネットワークノードから、第１のネットワークノードと第２のネットワークノードとの間に確立された第１の無線リンクの障害を示すバックホールリンク障害情報を受信することができる。無線デバイスは、バックホールリンク障害情報に基づいて、第１のネットワークノードからの接続障害を判定することができる。無線デバイスは、接続障害に基づいて、無線リソース制御接続のために第３のネットワークノードの第２のセルを選択することができる。無線デバイスは、接続障害の原因値を含む無線リンク障害レポートを第３のネットワークノードに送信することができる。原因値は、バックホールリンク障害が接続障害を引き起こしたことを示すことができる。
【０３８５】
実施形態は、必要に応じて動作するように構成されてもよい。開示されたメカニズムは、例えば、無線デバイス、基地局、無線環境、ネットワーク、上記の組み合わせなどで、特定の基準が満たされるときに実行されることができる。例示的な基準は、例えば、無線デバイスまたはネットワークノード構成、トラフィック負荷、初期システム設定、パケットサイズ、トラフィック特性、上記の組み合わせなどに少なくとも部分的に基づいてもよい。１つ以上の基準が満たされると、様々な例示的な実施形態が適用されることができる。したがって、開示されたプロトコルを選択的に実装する例示的な実施形態を実装することが可能であり得る。
【０３８６】
基地局は、様々な無線デバイスと通信することができる。無線デバイスおよび／または基地局は、複数の技術、および／または同じ技術の複数のリリースをサポートすることができる。無線デバイスは、無線デバイスのカテゴリおよび／または能力に応じて、いくつかの特定の能力を有してもよい。基地局は、複数のセクタを含んでもよい。本開示が複数の無線デバイスと通信する基地局に言及する場合、本開示は、カバレッジエリア内の全無線デバイスのサブセットに言及することができる。本開示は、例えば、所定の能力を備え、基地局の所定のセクタにある、所定のＬＴＥまたは５Ｇリリースの複数の無線デバイスに言及することができる。本開示における複数の無線デバイスは、選択された複数の無線デバイス、および／または開示された方法などにしたがって実行するカバレッジエリア内の全無線デバイスのサブセットに言及することができる。例えば、それらの無線デバイスまたは基地局は、ＬＴＥまたは５Ｇ技術の古いリリースに基づいて実行されるため、開示された方法に準拠しない場合があるカバレッジエリアに複数の基地局または複数の無線デバイスが存在し得る。
【０３８７】
本開示では、「ａ」および「ａｎ」および同様のフレーズは、「少なくとも１つ」および「１つ以上」と解釈されるべきである。同様に、接尾辞「（ｓ）」で終わる任意の用語は、「少なくとも１つ」および「１つ以上」と解釈されるべきである。本開示では、用語「ｍａｙ」は、「例えば、できる」と解釈されるべきである。換言すれば、用語「ｍａｙ」は、用語「ｍａｙ」に続くフレーズが様々な実施形態の１つ以上に使用される場合とされない場合とがある多数の適切な可能性の１つの例であることを示す。
【０３８８】
ＡおよびＢがセットであり、Ａの全ての要素がＢの要素でもある場合、ＡはＢのサブセットと呼ばれる。本明細書では、非空集合およびサブセットのみが考慮される。例えば、Ｂ＝｛セル１、セル２｝の可能なサブセットは、｛セル１｝、｛セル２｝、および｛セル１、セル２｝である。「に基づいて」（または同等に「に少なくとも基づいて」）というフレーズは、用語「に基づいて」に続くフレーズが様々な実施形態の１つ以上に用いられる場合と用いられない場合とがある多数の好適な可能性の１つの例であることを示す。「に応答して」（または同等に「に少なくとも応答して」）というフレーズは、フレーズ「に応答して」に続くフレーズが様々な実施形態の１つ以上に用いられる場合と用いられない場合とがある多数の好適な可能性の１つの例であることを示す。フレーズ「に応じて」（または同等に「に少なくとも応じて」）は、フレーズ「に応じて」に続くフレーズが様々な実施形態の１つ以上に用いられる場合と用いられない場合とがある多数の好適な可能性の１つの例であることを示す。フレーズ「採用／使用」（または同等に「少なくとも採用／使用」）は、フレーズ「採用／使用」に続くフレーズが様々な実施形態の１つ以上に使用される場合とされない場合とがある多数の適切な可能性の１つの例であることを示す。
【０３８９】
用語「構成された」は、装置が動作状態にあるか非動作状態にあるかにかかわらず、装置の容量に関連する場合がある。「構成された」とは、デバイスが動作状態にあるか非動作状態にあるかにかかわらず、デバイスの動作特性に影響するデバイスの特定の設定に言及することもできる。換言すれば、ハードウェア、ソフトウェア、ファームウェア、レジスタ、メモリ値などは、デバイスが特定の特性を提供するために、デバイスが動作状態または非動作状態にあるかどうかにかかわらず、デバイス内で「構成され」得る。「装置において発生する制御メッセージ」などの用語は、装置が動作状態か非動作状態かにかかわらず、制御メッセージが装置における特定の特性を構成するために使用できるまたは装置における特定のアクションを実装するために使用できるパラメータを有することを意味することができる。
【０３９０】
本開示では、様々な実施形態が開示されている。開示された例示的な実施形態からの制限、特徴、および／または要素が組み合わせられ、本開示の範囲内でさらなる実施形態を作成することができる。
【０３９１】
本開示では、パラメータ（または同等にフィールド、または情報要素：ＩＥと呼ばれる）は、１つ以上の情報オブジェクトを含むことができ、情報オブジェクトは、１つ以上の他のオブジェクトを含むことができる。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的な実施形態では、１つ以上（または少なくとも１つ）のメッセージが複数のパラメータを含む場合、複数のパラメータ内のパラメータが１つ以上のメッセージの少なくとも１つにあるが、１つ以上のメッセージのそれぞれにある必要がないことを意味する。例示的な実施形態では、１つ以上（または少なくとも１つ）のメッセージが値、イベントおよび／または状態を示すとき、値、イベントおよび／または状態が１つ以上のメッセージの少なくとも１つによって示されるが、１つ以上のメッセージのそれぞれによって示される必要はないことを意味する。
【０３９２】
さらにまた、上記で提示された多くの特徴は、「ｍａｙ」の使用または括弧の使用により任意選択であるものとして説明されている。簡潔さおよび読みやすさのために、本開示は、任意選択の特徴のセットから選択することによって得られ得るありとあらゆる変更を明示的に記載していない。しかしながら、本開示は、そのような全ての変更を明示的に開示していると解釈されるべきである。例えば、３つの任意選択の特徴を有するものとして説明されたシステムは、７つの異なる方式、すなわち、３つの可能な特徴の１つのみ、３つの特徴のいずれか２つ、または３つの特徴の３つ全てによって具現化されることができる。
【０３９３】
開示される実施形態で説明される要素の多くは、モジュールとして実装されてもよい。ここで、モジュールは、定義された機能を実行し、他の要素への定義されたインターフェースを有する要素として定義される。本開示で説明されるモジュールは、ハードウェア、ハードウェアと組み合わせたソフトウェア、ファームウェア、ウェットウェア（すなわち、生物学的要素を備えたハードウェア）、またはそれらの組み合わせで実装されてもよく、それらの全ては、挙動的に等価とすることができる。例えば、モジュールは、ハードウェアマシン（Ｃ、Ｃ＋＋、Ｆｏｒｔｒａｎ、Ｊａｖａ（登録商標）、Ｂａｓｉｃ、Ｍａｔｌａｂなど）もしくはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔで実行されるように構成されたコンピュータ言語で記述されたソフトウェアルーチンで実装されてもよい。さらに、ディスクリートまたはプログラム可能なアナログ、デジタル、および／または量子ハードウェアを組み込む物理ハードウェアを使用してモジュールを実装することも可能であり得る。プログラム可能なハードウェアの例には、コンピュータ、マイクロコントローラ、マイクロプロセッサ、特定用途向け集積回路（ＡＳＩＣ）、フィールドプログラマブルゲートアレイ（ＦＰＧＡ）、コンプレックスプログラマブルロジックデバイス（ＣＰＬＤ）が含まれる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、ＣＰＬＤは、多くの場合、プログラマブルデバイスの機能が少ない内部ハードウェアモジュール間の接続を構成するＶＨＳＩＣハードウェア記述言語（ＶＨＤＬ）またはＶｅｒｉｌｏｇなどのハードウェア記述言語（ＨＤＬ）を使用してプログラムされる。機能モジュールの結果を達成するために、上記の技術がしばしば組み合わせて使用される。
【０３９４】
この特許文書の開示には、著作権保護の対象となる資料が組み込まれている。著作権所有者は、特許商標局の特許ファイルまたは記録にあるように、法律で要求される限られた目的のために、特許文書または特許開示の誰しもによるファクシミリ複製に異議を唱えないが、それ以外はあらゆるすべての著作権を留保する。
【０３９５】
様々な実施形態が上記で説明されてきたが、それらは例として提示されており、限定ではないことを理解されたい。当業者には、範囲から逸脱することなく、形態および詳細の様々な変更を行うことができることは明らかであろう。実際、上記の明細書を読んだ後、代替の実施形態を実装する方法が関連技術分野の当業者に明らかになるであろう。したがって、本実施形態は、上述の例示的な実施形態のいずれによっても限定されるべきではない。
【０３９６】
さらに、機能と利点を強調するいかなる図も、例示のみを目的として提示されていることを理解する必要がある。開示されたアーキテクチャは、示されている以外の方式で利用することができるように、十分に柔軟で構成可能である。例えば、いかなるフローチャートにリストされたアクションも、いくつかの実施形態で並べ替えられ、または任意選択としてのみ使用されてもよい。
【０３９７】
さらに、開示の要約の目的は、米国特許商標局および一般の人々、特に特許または法的用語または語法に精通していない科学者、エンジニアおよび実務家が、アプリケーションの技術的開示の性質と本質を迅速に判断することである。本開示の要約は、多少なりとも範囲を限定することを意図するものではない。
【０３９８】
最後に、米国特許法第１１２条の下で、「のための手段」または「のためのステップ」という表現を含む特許請求の範囲のみが解釈されることが出願人の意図である。「する手段」または「するステップ」というフレーズを明示的に含まない特許請求の範囲は、米国特許法第１１２条に基づいて解釈されるべきではない。
【図１】
2021536706.tif 000003
【図２Ａ】
2021536706.tif 000004
【図２Ｂ】
2021536706.tif 000005
【図３】
2021536706.tif 000006
【図４Ａ】
2021536706.tif 000007
【図４Ｂ】
2021536706.tif 000008
【図４Ｃ】
2021536706.tif 000009
【図４Ｄ】
2021536706.tif 000010
【図５Ａ】
2021536706.tif 000011
【図５Ｂ】
2021536706.tif 000012
【図６】
2021536706.tif 000013
【図７Ａ】
2021536706.tif 000014
【図７Ｂ】
2021536706.tif 000015
【図８】
2021536706.tif 000016
【図９Ａ】
2021536706.tif 000017
【図９Ｂ】
2021536706.tif 000018
【図１０】
2021536706.tif 000019
【図１１Ａ】
2021536706.tif 000020
【図１１Ｂ】
2021536706.tif 000021
【図１２】
2021536706.tif 000022
【図１３】
2021536706.tif 000023
【図１４】
2021536706.tif 000024
【図１５】
2021536706.tif 000025
【図１６】
2021536706.tif 000026
【図１７】
2021536706.tif 000027
【図１８】
2021536706.tif 000028
【図１９】
2021536706.tif 000029
【図２０】
2021536706.tif 000030
【図２１】
2021536706.tif 000031
【図２２】
2021536706.tif 000032
【図２３】
2021536706.tif 000033
【図２４】
2021536706.tif 000034
【図２５】
2021536706.tif 000035
【図２６】
2021536706.tif 000036
【図２７】
2021536706.tif 000037
【図２８】
2021536706.tif 000038
【図２９】
2021536706.tif 000039
【図３０】
2021536706.tif 000040
【図３１】
2021536706.tif 000041
【図３２】
2021536706.tif 000042
【図３３】
2021536706.tif 000043
【図３４】
2021536706.tif 000044
【図３５】
2021536706.tif 000045
【図３６】
2021536706.tif 000046
【図３７】
2021536706.tif 000047
【図３８】
2021536706.tif 000048
【図３９】
2021536706.tif 000049
【図４０】
2021536706.tif 000050
【図４１】
2021536706.tif 000051
【図４２】
2021536706.tif 000052
【図４３】
2021536706.tif 000053
【図４４】
2021536706.tif 000054
【図４５】
2021536706.tif 000055
【図４６】
2021536706.tif 000056
【国際調査報告】
2021536706.tif 000057
2021536706.tif 000058
2021536706.tif 000059